(57)【特許請求の範囲】
【請求項１】
第１面および第２面を有する基板と、
前記基板上に位置する多層スタックとを備え、
前記多層スタックは、前記基板に対して垂直な方向に積層された複数の画素を含み、
前記複数の画素は、前記基板の前記第１面から離れる方向に出力を供給する少なくとも１つの画素と、前記多層スタックの少なくとも１つの層を通過する入力を受ける少なくとも１つの画素とを含む、通信デバイス。
【請求項２】
前記複数の画素は、前記基板の前記第１面から離れる方向への出力を有する少なくとも２つの画素、または、入力を有する少なくとも２つの画素を含み、
入力を有する前記２つの画素の少なくともいずれか一方への前記入力は、前記多層スタックの少なくとも２つの層を通過する、請求項１に記載の通信デバイス。
【請求項３】
前記通信デバイスは、さらに、
複数のピンホール経路を含み、
各前記ピンホール経路は、前記基板に対して垂直な方向に、かつ前記多層スタックの他の層へ向かって前記多層スタックの少なくとも１つの層を通るように伸びている、請求項１に記載の通信デバイス。
【請求項４】
前記複数のピンホール経路は、実質的に前記第１面の全体上にわたり配列されている、請求項３に記載の通信デバイス。
【請求項５】
前記多層スタックは、実質的に前記第１面の全体上に延在している、請求項１に記載の通信デバイス。
【請求項６】
前記多層スタックは、実質的に前記第２面の全体上に延在している、請求項５に記載の通信デバイス。
【請求項７】
前記多層スタックは、前記第１面上に位置する第１多層スタックと、前記第２面上に位置する第２多層スタックとを含む、請求項１に記載の通信デバイス。
【請求項８】
前記通信デバイスは、さらに、
複数のピンホール経路を含み、
各前記ピンホール経路は、前記第１多層スタックおよび前記基板を介して前記基板の前記第２面上に位置する前記第２多層スタックの層へ向かって伸びている、請求項７に記載の通信デバイス。
【請求項９】
前記多層スタックは、発光画素および光検出画素を含む、請求項１に記載の通信デバイス。
【請求項１０】
前記発光画素は、第１の方向に光を伝送し、
前記光検出画素は、前記第１の方向とは反対の第２の方向から光を受ける、請求項９に記載の通信デバイス。
【請求項１１】
前記光検出画素は、前記発光画素と前記基板との間に位置している、請求項９に記載の通信デバイス。
【請求項１２】
前記多層スタックは、発光層および光検出層を含む、請求項１に記載の通信デバイス。
【請求項１３】
前記発光層は、第１の方向に光を伝送し、
前記光検出層は、前記第１の方向から光を受ける、請求項１２に記載の通信デバイス。
【請求項１４】
前記光検出層は、前記発光層と前記基板との間に位置している、請求項１２に記載の通信デバイス。
【請求項１５】
前記多層スタックは、さらに、圧電出力層と、圧電入力層と、磁気入力層と、磁気出力層とを含む、請求項１２に記載の通信デバイス。
【請求項１６】
前記多層スタックは、さらに、磁気出力層を含む、請求項１に記載の通信デバイス。
【請求項１７】
前記磁気出力層は、磁気データを示す磁気パターンが得られるように構成されている、請求項１６に記載の通信デバイス。
【請求項１８】
前記多層スタックは、光検出画素を含み、
前記通信デバイスは、前記光検出画素から入力信号を受け、かつ制御信号を送信するコントローラをさらに備え、
前記磁気出力層は、前記制御信号を受け、かつ磁気パターンを確立し、
前記光検出画素は、生体特徴を示す前記入力信号を前記コントローラへ送信し、
前記コントローラは、前記入力信号の示す生体特徴が少なくとも１つの条件を満たすときのみ制御信号を送信する、請求項１７に記載の通信デバイス。
【請求項１９】
前記多層スタックは、生体認証入力を受ける少なくとも１つの層を含む、請求項１に記載の通信デバイス。
【請求項２０】
前記生体認証入力は、指紋、ジェスチャ、声および顔のうちの少なくともいずれか１つである、請求項１９に記載の通信デバイス。
【請求項２１】
前記多層スタックは、複数の生体認証入力を受け、かつ前記複数の生体認証入力に対応するデータを送信する、請求項１９に記載の通信デバイス。
【請求項２２】
第１面および第２面を有する基板と、
前記基板上に位置する多層スタックとを備え、
前記多層スタックは、前記基板に対して垂直な方向に積層された複数の画素を含み、
前記複数の画素は、出力を供給する少なくとも１つの画素と、入力を受ける少なくとも１つの画素とを含み、
前記多層スタックは、磁気データを示す磁気パターンが得られるように構成された磁気出力層を含み、
前記多層スタックは、光検出画素を含み、
前記光検出画素から入力信号を受け、かつ制御信号を送信するコントローラをさらに備え、
前記磁気出力層は、前記制御信号を受け、かつ磁気パターンを確立し、
前記光検出画素は、生体特徴を示す前記入力信号を前記コントローラへ送信し、
前記コントローラは、前記入力信号の示す生体特徴が少なくとも１つの条件を満たすときのみ制御信号を送信する、通信デバイス。
【請求項２３】
第１面および第２面を有する基板と、
前記基板上に位置する多層スタックとを備え、
前記多層スタックは、前記基板に対して垂直な方向に積層された複数の画素を含み、
前記複数の画素は、外表面と、出力を供給する少なくとも１つの画素である出力画素と、光を入力として受ける少なくとも１つの画素である受光画素とを含み、
さらに、
前記外表面から前記多層スタックの少なくともいずれか１つの層を介して少なくともいずれか１つの前記受光画素において終端する複数のピンホールを備え、
各前記ピンホールは、前記外表面から少なくともいずれか１つの前記出力画素を介して少なくともいずれか１つの前記受光画素へ光を送信する、通信デバイス。
【発明の詳細な説明】
【技術分野】
【０００１】
関連出願の相互参照
この出願は、２０１２年９月７日に出願された米国特許出願第６１／６９８，５２９の利益を主張するものであり、その全ての内容は引用によりここに援用される。
技術分野
技術分野は、電子デバイスに関し、より詳細には、識別、セキュアな商取引および他のユーザ指向のサービスを行うことが可能な携帯型電子デバイスに関する。
【背景技術】
【０００２】
背景
磁気カードは多くの目的を有する。例としては、クレジットカード、デビットカード、医療保険カード、薬物支払カード、ヘルスケアサービスカード、ストアードバリューカード、ストアドバリューカード、ＩＤカードおよびアクセスエントリカード等があげられる。これらのカードの多くは、ＰＯＳ（販売時点管理）システムに提供するため、磁気ストライプに格納された情報を有している。
【０００３】
同時に、スマートフォンおよびワイヤレスコンピュータ等の携帯型ユーザ装置は、ユーザに情報通信機能を幅広く提供する。いくつかの携帯型ユーザ装置は、たとえば、カードの磁気ストライプにおける情報の変更を可能とすることにより、磁気カードの使用を増大させる、カードスロットを使用することにより、磁気ストライプリーダにインタフェースするモバイル機器も存在する。さらに、たとえば、通常、ＡＴＭ（現金自動預け払い機）で見つけるものとして、セキュアなファサードの内部に完全に存在するカードリーダーがある。
【発明の概要】
【課題を解決するための手段】
【０００４】
概要
開示の第１の局面では、通信デバイスは、ディスプレイを含む第１の主表面と、少なくとも２つの異なるタイプのアレイユニットを含む第１の混合アレイとを備える。前記第１の混合アレイは、前記第１の主表面に対して垂直に見たときの平面視において、少なくとも実質的に前記第１の主表面の全体と一致する領域を占めている。
【０００５】
開示の第２の局面は、第１および第２の通信デバイス間の通信方法である。各通信デバイスは、ディスプレイを含む主表面と、少なくとも２つの異なるアレイユニットを含む混合アレイとを含み、各前記混合アレイは、各前記主表面に対して垂直に見たときの平面視において、少なくとも実質的に前記主表面の全体と一致する、前記各通信デバイスの領域を占めている。各主表面は、各前記主表面に垂直な線に対する相対的なそれぞれの角度で放射および検出を行うために設けられた少なくとも１つの発光画素および少なくとも１つの検出画素を含む。各通信デバイスはまた、少なくとも１つの制御可能な磁気素子を含む。前記方法は、前記第１および第２の通信デバイスが平面視で実質的に互いに整列するように、前記第１の通信デバイスの上に前記第２の通信デバイスを磁気的に浮揚させることと、前記少なくとも１つの発光検出画素が前記少なくとも１つの発光画素からの発光を検出するように前記第１の通信デバイスの少なくとも１つの発光画素および前記第２の通信デバイスの少なくとも１つの発光検出画素が実質的に整列するように、前記第２の通信デバイスの角度位置を調整するために、前記少なくとも制御可能な磁気素子を制御することと、前記整列された少なくとも一つの発光検出画素が前記少なくとも１つの発光画素からの発光を検出する間でデータをやり取りすることとを備える。
【０００６】
開示の第３の局面では、認証方法は、ディスプレイを含む主表面と、少なくとも２つの異なるアレイユニットを含む混合アレイとを含み、各前記混合アレイは、各前記主表面に対して垂直の平面視において、少なくとも実質的に前記主表面の全体と一致する、前記各通信デバイスの領域を占めている、通信デバイスを用いる。前記方法は、前記少なくとも２つの異なるアレイユニットを用いて、前記主表面に隣接する単一のターゲットから少なくとも２つのタイプの生体特徴をセンシングして前記２つの特徴タイプに関連する生体データを生成することと、前記生成されたデータを、保存された生体データと比較することと、前記比較に基づいて、本物であるか否かを判断することとを備える。
【０００７】
開示の第４の局面では、取引を実行する方法は、ディスプレイを含む主表面と、少なくとも２つの異なるアレイユニットを含む混合アレイとを含み、各前記混合アレイは、各前記主表面に対して垂直の平面視において、少なくとも実質的に前記主表面の全体と一致する、前記各通信デバイスの領域を占めている、通信デバイスを用いる。前記方法は、前記２つの異なるアレイユニットのうちの少なくとも１つを用いて、購入すべき少なくとも１つのアイテムをスキャンすることと、スキャンされた各アイテムを識別するデータを含むリストを作成することと、前記通信デバイスを使用してリモートコンピュータに前記リストを送信することと、前記リスト上の各アイテムに基づいて前記取引を終了させることとを備え、前記リスト上のアイテムごとの、前記リモートコンピュータによって実行される最高の値の探索および検索に基づいて前記取引量が調整される。
【図面の簡単な説明】
【０００８】
【図１】図１は、例示的な実施の形態に従う通信システムの図である。
【図２】図２は、例示的な実施の形態に従うカードシステムの図である。
【図３Ａ−Ｃ】図３Ａ−３Ｃは、それぞれ、例示的な実施の形態に従うカードの斜視図、平面図および側面図である。
【図４Ａ−Ｄ】図４は、画素アレイおよび画素要素の例を示す図である。
【図５】図５は、図３ＢにおけるＡ−Ａに沿ったカードの断面図である。
【図６】図６は、例示的な実施の形態に従う図５に示すカードの基板の概略図である。
【図７Ａ−Ｂ】図７Ａ，７Ｂは、カードの例の一部を示す図である。図７Ａは、カードの一部の平面図であり、図７Ｂは、図７ＡのＢ−Ｂに沿ったカードの一部の断面図である。
【図８Ａ−Ｂ】図８Ａおよび図８Ｂは、カードの例の一部を示す図である。図８Ａは、カードの一部の平面図であり、図８Ｂは、図８ＡのＢ−Ｂに沿ったカードの一部の断面図である。
【図９Ａ−Ｃ】図９Ａ−９Ｃは、磁気素子を介してあるカードを別のカードの上に浮揚させることができる構成を含む例示的な実施の形態のカードを示す図である。図９Ａは、埋め込まれた磁気要素を含むカードの平面図である。図９Ｂは、第２のカードが第１の磁気カードの上に浮揚している状態における第１のカードおよび第２のカードの側面図である。図９Ｃは、第１のカードが第２のカードの位置を制御していることを示す、図９Ｂの第１のカードおよび第２のカードの側面図である。
【図１０Ａ−Ｂ】図１０Ａおよび１０Ｂは、本実施形態のカード保持ブラケットを示す図であり、図１０Ａでは、水平方向に向く複数のカードを保持しており、図１０Ｂでは、垂直方向に向く複数のカードを保持している。
【図１１Ａ−Ｃ】図１１Ａ−１１Ｃは、本実施形態に従う携帯型カード読み取りブラケットである。
【図１２】図１２は、通常のまたは従来のカードリーダを示す図である。
【図１３】図１３は、本実施形態に従う販売（ＰＯＳ）カードリーダのポイントを示す図である。
【図１４Ａ−Ｃ】図１４Ａ−１４Ｃは、例示的な変換技術を使用して、従来のカードリーダで構成したカードリーダを示す図である。
【図１５Ａ−Ｅ】図１５Ａ−１５Ｅは、テザーの例を示す図である。図１５Ａは、通信装置に接続されたテザーを示す図である。図１５Ｂは、図１５Ａに示すテザーの詳細を示す側面図である。図１５Ｃは、図１５Ａおよび図１５Ｂに示すテザーのヘッドの正面図である。図１５Ｄは、テザーの他の例の側面図である。図１５Ｅは、他の実施の形態に従うテザーヘッドの正面図または背面図である。
【図１６Ａ−Ｃ】図１６Ａおよび図１６Ｂは、例示的な従来のカードを示す図である。図１６Ｃは、例示的な実施の形態に従うカードへクローン化された従来のカードの例を示す図である。
【図１７Ａ−Ｃ】図１７Ａは、異なる画素密度を有する２枚のカードを示す図である。図１７Ｂは、カードのデザインの繰り返しを通して後方互換性のコミュニケーションを維持する画素配列を示す図である。図１７Ｃは、例示的な実施の形態に従う異なるサイズのカードの重なりを示す図である。
【図１８】図１８は、ドッキングされたスタック内のカード間、または外部ＰＯＳデバイスを含むカード間のデータの移動中に生じ得る問題を示すタイミング図である。少なくともいくつかのデータは中間カードを介して中継されなければならない場合があり、確認応答または他のデータはまた、常時、データ転送の方向と反対方向に移動することができる。複数のカードおよび／または外部プロセッサを含むことができるシステムのために、プロセッサの待ち時間が近似的に示されている。
【発明を実施するための形態】
【０００９】
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
詳細な説明
本発明者は、幅広い情報通信機能を提供するスマート携帯電話およびワイヤレスコンピュータ等の携帯型ユーザデバイスの多くの機能が、磁気カードまたはスマートカードのようなユーザデバイスを関与させる活動に密接に関係できることに気づいた。
【００２７】
本開示に従う実施の形態において、システムは、セキュアなネットワーク接続と、情報を提供可能な真にポータブルなデバイスと、市場およびその関連環境とのやり取りとをユーザに提供する、カードおよびモバイルプラットフォームのシームレスな組み合わせを含む。
【００２８】
本開示は、ＰＯＳでまたはＡＴＭのような内部が物理的にセキュアなマシンで使用されるもののような組み込み型の従来のリーダとの取引ができるようにする方法により、標準的なクレジットカードまたは銀行カードをエミュレートすることでセキュアな取引を実施可能なモバイルコンピュータ化されたプラットフォームを提供する。このように、本開示に従うカードのアプリケーションは、従来のカードリーダと、銀行カードが処理されるのと同じような、ＡＴＭマシンにおいて内部的に提供されるリーダとを含むことができる。
【００２９】
電子デバイスは、プラスチックカードと比較して、衝撃および水分のような環境要因のみならず、直接的な損傷および磁気誘導による損傷を介した、露出した磁気ストライプ材料に対して示される感度のような環境要因に対する耐性低下の負担をすでにもたらしている。これに対して、本開示の実施形態は、そのような環境要因に対して強い耐性を有するカードを提供する。
【００３０】
本開示に従うカードは、光を放出し、光を感知し、かつ、カードの少なくとも実質的に全体の主要な平坦な各表面にわたって感知された光に関連する情報を収集することができる。つまり、各主要面の全範囲にわたる当該各主要面の実質的な部分である。サウンドカードは、少なくとも一つのカード表面を横切って、放射可能および／または回収可能なエネルギー源として提供されることができる。いくつかの実施形態では、カードの一つ以上の全体の主表面は、光、音、触覚エネルギー源およびフィードバック（例えば、触覚）のうちの１つ以上のようなエネルギー源を放出し、また、検出することができる。光学的および聴覚的コンポーネントの背後から保護されかつ非視認とされたこれらのカードの主表面にわたって磁気的入力および磁気的出力する機能を用いた、磁気的、光学的および／または聴覚的な出力および入力の組み合わせにより、本開示に従うカードは、スキャンして動的に現実の世界と相互作用することができ、これにより、個々のユーザ、ユーザグループ、機関および政府のための新たな機能性およびセキュリティ性の非常に広いセットを可能にすることができる。
【００３１】
本開示に従うユーザデバイスとしてのカードは、単一のスマートカードがすべての可能なドメインにおける足掛かりを得るのであれば、そのようなデバイスの総数を減らすことの利益のためにユーザがすでに携帯する他の電子デバイスに組み込むことができ、しかしながら、身分証明およびＰＯＳ使用のドメインに限定されるものではない。例えば、１つのみの便利で多機能なアイテムを持ち運びして効率的にするために、携帯電話、携帯コンピュータ機器、車両スマートキーまたはＰＤＡ／タブレット等を置いてくることが１つの利点であるならば、ユーザは、環境および重量の節約を受け入れる可能性がはるかに高い。
【００３２】
カードユーザデバイスの例示的な実施の形態について図面を参照しながら説明する。特に断らない限り、同一の参照番号を有する要素についての説明は、簡略化のために繰り返さない。
【００３３】
図１は、カード１００が、インターネット等の広域ネットワーク（ＷＡＮ）、アドホックネットワーク、ローカルエリアネットワーク（ＬＡＮ）、メトロポリタンネットワーク（ＭＡＮ）、セルラネットワーク、無線広域ネットワーク（ＷＷＡＮ）、無線パーソナルエリアネットワーク（ＷＰＡＮ）、および公衆電話交換網（ＰＳＴＮ）、地上無線ネットワークもしくは別のネットワーク、またはそれらの組み合わせ、などとすることができるネットワーク２１０を介して、システムの様々な機能を実行するための複数のユニットおよびメモリを含むサーバコンピュータ２００と通信する例示的なシステム１を示す図である。カード１００は、無線接続（例えば、磁気，電磁気）または有線接続２１３を通じた、ＰＯＳに位置するクレジットカードリーダ、ＡＴＭ、およびセキュアな入力装置等のカードリーダ２１２を介して、そして、カードリーダ２１２からネットワーク２１０までは無線または有線の通信チャネル２１４を介して、ネットワーク２１０に接続することができる。カード１００は、１つまたは複数の無線または有線の通信チャネル２１７を通じて、携帯電話、ＰＤＡ、電子タブレット、ラップトップコンピュータ、およびデスクトップコンピュータなどの通信装置２１６を介して、そして、通信装置２１６とネットワーク２１０との間の通信接続２１８を介して、サーバ２００と通信することができる。本実施形態において、通信装置２１６は、通信接続２２１を介してネットワーク２１０と通信する無線ネットワークの基地局（例えば、ＮｏｄｅＢまたはｅＮｏｄｅＢ）のアンテナ２１９への無線接続２２０を介して、ネットワーク２１０およびサーバ２００に接続することができる。本実施形態では、カード１００は、追加のエネルギー消費で、中間の通信装置２１６無しで、または１もしくは複数の無線中継器を介して、無線接続２２４を通じた基地局アンテナ２１９を介してサーバ２００に接続することができる。本実施形態では、カード１００は、Ｗｉ−Ｆｉまたは他の無線プロトコルおよび通信接続２２５を利用する無線アクセスポイント２２２、ならびにネットワーク２１０を介してサーバ２００に接続することができる。
【００３４】
図２は、カード１００の例示的なシステム要素を示す図である。図２に示すように、カード１００は、各システム構成要素がプロセッサまたはコントローラ１１０（例えば、ＣＰＵ）と通信する際に用いられ、また、電力供給部１１２によって電力が供給されるアドレス／データバス１０８を含む。カード１００のシステム構成要素は、揮発性および不揮発性メモリなどのメモリ１１４と、入力／出力（Ｉ／Ｏ）インタフェース部１１６と、通信部１１８およびアンテナ１１９と、ビデオデコーダ１２０と通信可能に結合している第１の発光ユニット１２２上での表示のためにビデオデータを復号し、かつビデオデコーダ１２０と通信可能に結合している第２の発光ユニット１２４上での表示のためにビデオデータを復号するビデオデコーダ１２０と、第１および第２の光検出ユニット１２６，１２８で生成された映像データを符号化するビデオエンコーダ１３０に通信可能に結合された第１の光検出ユニット１２６および第２の光検出ユニット１２８と、カード１００の第１および第２の主表面における磁場をそれぞれ検出する第１の磁気入力ユニット１３２および第２の磁気入力ユニット１３４と、カード１００の第１および第２の主表面において磁場をそれぞれ発生する第１の磁気出力ユニット１３４および第２の磁気出力ユニット１３５と、第１または第２のマイク／スピーカ（マイクロスピーカ）画素アレイ１３８，１４０によって生成された聴覚情報を含む信号を受信して符号化し、バス１０８に符号化信号を供給し、バス１０８から受信したデータを復号化し、音、音声、または触覚情報を含む復号信号を生成し、復号信号を第１または第２のマイクロスピーカ画素アレイ１３８，１４０に供給し、それによって音を生成するか、音声を再生するか、または触覚のフィードバックを提供する音／声／触覚エンコーダ／デコーダ（コーデック）１３６と、認証部１４２と、ロケーション部１４４と、データ交換部１４６と、浮揚／位置決めコントローラ部、またはマグレフ部１４７（後述する）とを含む。
【００３５】
カード１００のプロセッサ１１０は、少なくとも一つのマイクロプロセッサ、マイクロコントローラ、中央処理装置（ＣＰＵ）、特定用途向け集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールドプログラマブルゲートアレイ（ＦＰＧＡ）、および本明細書に記載の機能を実行するように設計された他のデバイス、ならびに／または上記の任意の組み合わせ等の、１または複数のプロセッサを含むことができる。
【００３６】
真のＮ＋１冗長性を提供する実施形態では、ハードウェア設計の要素は、これらの要素のいずれか１つの故障がカード１００の障害を生じないように、複製およびインタフェースの交差の中で与えられるであろう。これらの要素は、プロセッサ、メモリ、電源、バスおよび画素等を含むことができ、また、これらに限定されない。冗長素子が故障したとき、ユーザは、サービスの中断を経験しないであろう。カードは、故障した１または複数の要素を再起動し、ハードウェアの障害回復の結果を報告し、再同期化して、全体的な成功または失敗を、ユーザ、サーバ、およびシステム全体のオペレータに報告することを試みるだろう。完全な冗長性の解決では、独立して存続可能なプロセッサを表す各プロセッサは、各プロセッサを次のプロセッサに同期させるために存在する冗長制御プロセッサのような追加の要素によって制御されることができる。冗長性を達成するための同期を行う要素でも、複製されることができ、そして、利用者へのサービスを中断することなく障害を被ることができる。第２のプロセッサ（図示せず）が、主に、カード１００の反対側の要素を制御することができながら、第１のプロセッサ（図示せず）は、主に、カード１００の一方の側の要素を制御することができる。いずれかのプロセッサに障害が発生した場合において、カード１００の両側は、すべてのサービスが提供され、中断されずに機能し続けることができる。
【００３７】
メモリ１１４は、記憶媒体または他の1または複数のストレージのような非一過性マシン可読媒体であり、プログラムに関する命令、ルーチン、およびプロセッサ１１０によって実行可能な他のコード、ならびに暗号化されたユーザの個人および金融情報のようなデータ構造を記憶する。メモリ１１４は、ランダムアクセスメモリ（ＲＡＭ）、読み出し専用メモリ（ＲＯＭ）、消去可能プログラマブルリードオンリーメモリ（例えば、ＥＰＲＯＭ、ＥＥＰＲＯＭ、またはフラッシュメモリ）、または、情報および上記の組み合わせを記憶可能な任意の他の有形媒体を含むことができる。メモリは、また、データを送信および／または通信部１１８のレシーバによるデータの受信まで、受信データを処理することができるまで、通信部１１８のトランスミッタによって送信されるべき送信データを保持するバッファメモリを含むことができる。図２は、プロセッサまたはコントローラ１１０とは別個に、または外付けとしてメモリ１１４を示しているが、メモリは、プロセッサもしくはコントローラ１１０または他の処理部内に実装されてもよい。
【００３８】
カード１００およびシステム１の多くの機能および他の態様は、プロセスおよびプロセスシーケンスの観点から記載されている。これらのプロセスおよびプロセスシーケンスは、プログラムされた各命令を実行するプロセッサまたはコントローラ１１０によって実行可能であることが理解されるべきである、いくつかのプロセスが、プログラムされた各命令を実行することが可能な他のハードウェアを使用して実行可能であるが。例えば、各実施形態は、ハードウェア、ソフトウェア、ファームウェア、ミドルウェア、マイクロコード、またはそれらの任意の組合せで実現することができる。そのプログラムされた各命令は、必要な各タスクを実行するプログラムコードまたは各コードセグメントであり、メモリ１１４に格納することができる。コードセグメントは、プロシージャ、関数、サブプログラム、プログラム、ルーチン、サブルーチン、モジュール、ソフトウェアパッケージ、クラス、または、各命令、各データ構造、もしくは各プログラム文の任意の組み合わせを表すことができる。コードセグメントは、情報、データ、各引数、各パラメータ、またはメモリ１１４の各内容を渡すおよび／または受信することによって他のコードセグメントまたはハードウェア回路に結合することができる。
【００３９】
入力／出力インタフェース部１１６は、直接、または介在する各Ｉ／Ｏコントローラ（図示せず）を介してのいずれかでカード１００に他の機器を接続することができる。実施形態では、Ｉ／Ｏインタフェース部１１６は、光、無線（例えば、ＲＦまたは磁気）または各有線チャネルを使用して、カード１００および他の各デバイス間の通信を可能にする。例えば、Ｉ／Ｏインタフェースは、第１または第２の光検出ユニット１２６，１２８の一部分と、カード１００の同じ側に存在する第１および第２の発光ユニット１２２，１２４のいずれか一方のそれぞれ対応する部分を含むことができ、各光通信パスを含むテザーは、光信号を介してデータを交換するための部分に磁気的に取り付けることができる。別の実施形態では、Ｉ／Ｏインタフェース１３４は、ＨＤＭＩ（登録商標）、ＶＧＡ／ＳＶＧＡ、１００ｆＡＳＥ−Ｔ、ＩＥＥＥ１３９４（ＦｉｒｅＷｉｒｅ（登録商標））および／またはＵＳＢ型ポート等の物理ポートを含むことができる。
【００４０】
通信部１１８は、アンテナ１１９を通じた電波の送受信を介して無線ネットワーク要素と通信可能な送信機および受信機を含む。通信部１１８およびアンテナ１１９は、データ信号を変調し、変調されたデータ信号をＲＦ周波数にアップコンバートし、プロセッサ１１０を介してバス１０８から受信したデータ情報を含む信号を、アンテナ１１９から、電波として無線ネットワークを介してリモートデバイスへ送信するように構成されている。また、通信部１１８およびアンテナ１１９は、無線ネットワークを介してリモートデバイスから送信された変調信号情報を含む電波を受信し、受信した電波をダウンコンバートし、ダウンコンバートされた変調信号を復調し、リモートデバイスから送信された再生データとしてバス１０８およびプロセッサ１１０へ出力するように構成されている。
【００４１】
無線ネットワーク要素は、例えば、アクセスポイント（例えば、Ｗｉ−Ｆｉアクセスポイント）、フェムトセル、携帯電話またはパーソナル通信またはデータデバイス、デスクトップコンピュータ、ならびに、ラップトップおよびタブレット等の携帯型コンピューティングデバイスを含むことができ、そして、無線通信装置が、Ｗｉ−Ｆｉまたはブルートゥースを使用してワイヤレスネットワークに接続することを可能にし、あるいは、無線通信装置が、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、または他の無線技術および／または標準等のセルラ通信技術を用いる基地局のような要素を使用してワイヤレスネットワークに接続することを可能にする。無線ネットワークは、例えば、ユニバーサル移動体通信システム（ＵＴＭＳ）、ロング・ターム・エボリューション（ＬＴＥ）、エボリューション・データ・オプティマイズまたはエボリューションデータ・オンリー（ＥＶ−ＤＯ）、ＧＳＭ（Global System for Mobile communications）（登録商標）、ＷｉＭＡＸ（Worldwide Interoperability for Microwave Access）、ＣＤＭＡ（Code division multiple access）−２０００、またはＴＤ−ＳＣＤＭＡ（Time Division Synchronous Code Division Multiple Access）のような技術である１つ以上の技術を利用することができる。
【００４２】
カード１００の第１の発光ユニット１２２および第２の発光ユニット１２４の各々は、半導体発光ダイオード（ＬＥＤ）、有機発光ダイオード（ＯＬＥＤ）、モノクロ液晶ディスプレイ（ＬＣＭ）、モノクロおよびカラーの両方の表示モードが可能なマルチモードディスプレイ、または、カード１００の各主表面にわたって配列されている（図３Ａ、図３Ｃおよび図４Ｃ参照）、薄膜トランジスタ（ＴＦＴ）により制御されるバックライトまたはエッジライトの液晶ディスプレイ（ＬＣＤ）デバイス等の、複数の発光デバイスを含む。カード１００のこれらの発光アレイは、カードの主表面上に画像を表示するだけでなく、その電力制限内で任意のオブジェクトを照らすことができるような光源として機能するように、かつ、赤外線および紫外線から１つ以上の周波数を含む任意の周波数で発光するような装備がカードになされるようにしている。図２から分かるように、ビデオデコーダ１２０は、プロセッサ１１０からバス１０８に供給された符号化信号を受信し、当該信号を復号化し、そして、第１の発光ユニット１２２および／または第２の発光ユニット１２４は、復号化された信号に応じて発光を制御する。
【００４３】
第１の発光ユニット１２２および／または第２の発光ユニット１２４は、携帯電話のディスプレイのようなディスプレイとして動作することができ、あるいは、ＰＯＳオペレータ（または誰でもそれを求めて）、またはスキャンのための身分証明の提示として機能する。ディスプレイ上の画像の倍率等の表示機能は、そうするための制御とともに、提供されることができる。ディスプレイがあるので、従来のカードに関連付けられた限度が「無制限」になる。例えば、クレジットカード番号を表示する必要がなくなり、例えば、おそらく最後の４桁だけとなる。ユーザがカードの機能を選択した場合、彼はガードとして、必要に応じて、必要なときに、カード上に通常存在するすべての情報を見ることができる。実施形態では、カードは、前面および背面で、最初に対面のスキャンで、そして、ディスプレイを介して、ユーザが携行するであろう複数のハードカードをエミュレートすることができる。
【００４４】
透かしは、カード１００の各主表面の少なくとも一方で見えるかもしれないが（例えば、図１６参照）、赤外光および紫外光は、より強固なセキュリティのために使用することができる。多くの波長を使用するときに信号を捕捉することはより困難であるので、表示のために種々の可視光周波数および不可視光周波数を使用することはまた、データ移動のための接続、対面によるカード通信、またはＰＯＳシステムの接続から公衆の敵を遠ざけることになる。
【００４５】
クレジットカードのおなじみのフォームファクタで第１の発光ユニット１２２および第２の発光ユニット１２４により提供される拡張ディスプレイは、例えば、社会保障カード、免許証（たとえば運転免許証）、セキュリティ／アクセスカード、ＥＺパス、クレジット、デビットおよび銀行カード、キー、ほんの数名への、ユーザまたはユーザの肉親に関連した救急医療状況情報の提供など、いくつかの機能を果たすことができるので、スペースを節約することができる。すなわち、例示的な実施形態が本明細書に記載されているが、カード１００およびシステム１のアプリケーションの範囲は遙かなところに至っており、したがって、当業者には明らかであろうように、本明細書に記載の特定の実施例には限定されない。
【００４６】
第１の光検出ユニット１２６および第２の光検出ユニット１２８の各々は、それぞれが画像の画素を表し、カード１００の各主表面にわたって配列された複数の半導体ＭＯＳダイオードを含む電荷結合素子（ＣＣＤ）等の光検出アレイまたは撮像デバイスを含む（図３Ａ、図３Ｃおよび図４Ｂ参照）。光検出ユニット１２２，１２４は、撮像デバイスから出力される撮像信号をデジタル化することができ、当該撮像信号に対してガンマ補正等の各種補正処理を実行することができ、結果をビデオエンコーダ１３０へ出力することができ、これにより、ビデオエンコーダ１３０は、当該撮像信号に対して符号化処理を実行し、その結果をプロセッサまたはコントローラ１１０へ出力する。
【００４７】
さらに、カード１００の第１の光検出ユニット１２６および第２の光検出ユニット１２８は、カードによって作成された光を検出するか、もしくは所与の設定で使用可能な周囲光を検出するか、または両方の光を検出するために備えられることが可能である。カード表面における特定の各部分からの特定の光の各波長および各パターンの放出を介して、オブジェクトまでの距離は、この発光の検出から決定することができ、また、表示または保存のために与えられたオブジェクトの速度，加速度，減速度を決定するためにカードが視差を使用可能となるようにすることができる。イベントのスナップショットまたはビデオは、リアルタイムまたは後で使用するための移動データに画像データをメッシュさせることができる。スペクトル解析を通じて、温度、および糖（血糖）などの物質の存在を読み取るアプリケーションが、アプリケーションの開発者によって提供されることができる。カード１００の進歩およびスペクトル分析の向上により、カード１００は、血清分析において所与のオブジェクトにおけるすべての物質を同定するように、所与のオブジェクト、物質または表面のリアルタイムの法医学スキャンを実行するように構成することができる。これらの機能は、カード１００のための、およびタッチに依存しない向上したマンマシンインタフェースを作成するためにカード１００用のアプリケーションを作成する開発者のための、多くのアプリケーションを可能にする。
【００４８】
カード１００の第１の光検出ユニット１２６および第２の光検出ユニット１２８は、カードのそれぞれの主表面に対向するオブジェクトの画像を形成することができるので、カードはいくつかの点で、カメラとして動作することができる。しかしながら、カードの好ましい実施形態は、光軸が典型的に撮像面に対して垂直にレイアウトされるような、センチメートルのオーダーの焦点距離を有する典型的なカメラアセンブリとしてのレンズセットを含まない。いくつかの他の向きが選択された場合でも、光軸の最小化は、光を曲げる能力を定量化する最小のレンズ厚および材料の最大屈折率に依存し、そして、多大な費用を必要とするかまたは単に特定の限度を超えて不可能になる。眼鏡で知られているように、純粋なダイヤモンドのレンズを用いることによって２．４２の指数を達成することができる一方で、ガラスは、典型的には、約１．５の指標を提供する。屈折率は、レンズの後の入射角とレンズの前の入射光角度との正弦に関係し（そして当該正弦は、光軸に近い場合、周知の小角近似に従い、それぞれの実際の角度で置換されてもよい）、光軸の長さは、常にレンズの厚さの倍数になる。光学系の技術分野で知られているように、各光軸は、平面レンズの二次元に対して常に垂直であることから、いわゆる「薄いレンズ近似」により、レンズ厚の特定の倍数よりも小さくすることができない。このように、レンズ効果の要件は、３つの直交次元での最小の各制約を配置し、これらの一つとして、実質的にクレジットカードの厚さに対応するカード１００のフォームファクタとして、カード１００は、典型的な光学アセンブリとは異なる光学構成を使用している。実施形態では、カード１００は、マイクロレンズ効果、ピンホールレンズ技術、および画像処理ソフトウェアまたはＣＭＯＳもしくはＣＣＤによる光の単純なコレクション（以下、この文書では、時々、単に「ＣＣＤ」画素として総称する）の組み合わせを、機能的な画像を形成するために十分な密度で、使用する。以下でより詳細に説明するように、カード１００は、アナログ光学系（従来のレンズなど）を有していないことから、そして、さらに、カードの主面上に、詳細かつ常時セキュアな画像を表示することが要求され得ることから、ディスプレイおよびキャプチャ領域の合計量は、いくつかの実施形態によれば、適切に機能するために重要なファクタとなりうる。広い視野角を提供するために、例えばゴルフボールの表面、またはトンボ等の昆虫の目の複雑なレンズのような、凸状または凹状の繰り返しの基板パターンの表面におけるピンホール開口を位置決めするために、受光画素を支持する基板を変化させることにより、アナログレンズをエミュレートすることが可能である。
【００４９】
以上のように、カード１００の撮像および表示機能は、従来のクレジットカードに見られるようなストライプとして振る舞うことができる「不可視」または埋没された（隠された）磁性層を際立たせる。検出素子が形状またはパターンを検出することができ、かつ処理ソフトウェアがそれにマッチするならば、当該検出素子（ＣＣＤおよび磁気読み取り等）、ならびに磁気出力およびディスプレイ等の出力要素は、センサが検出したものに従って管理することができる。以下、より詳細に説明する。特に、周囲条件が追加の照明を必要とする場合、ＬＥＤは、赤外線または紫外線を含むことのできる光を発することができ、ＣＣＤがそれを検出することができる。ＣＣＤは、また、夜から一日を判断し、照明条件に合わせて調整することができる。
【００５０】
第１の磁気入力ユニット１３２および第２の磁気入力ユニット１３３の各々は、カード１００の対応する主要面における局所磁場を検出することができる。磁気入力検出は、超小型層の積層技術を提供することができる。例えば、アレイにおいて圧を受けていない材料に隣接して圧を受けている材料が配置されており、圧を受けていない材料が磁場にさらされたとき、圧を受けている材料は、その電気的値を変更するだろう。別の例では、アレイ内のカード１００の表面に磁気感応圧電結晶をエッチングまたは積層することができ、磁場の存在下または非存在下での抵抗または電流を変化させることが可能である。磁気検出器のアレイから得られた信号のデジタル処理は、磁場中に埋め込まれた任意のデータを含め、磁場が受けるものについてのより具体的な情報を提供するであろう。
【００５１】
第１の磁気出力ユニット１３４および第２の磁気出力ユニットの各々は、例えば、カードの主表面とテザーのＩ／Ｏデバイスまたは別のユーザデバイスの磁気センサとの間におけるローカライズされたフィールドのデータ転送を生成するように制御されることが可能な磁気出力画素のアレイとして構成することができる。本明細書において、「主表面」は、反対方向に向いているカード１００の最も外側の実質的に平坦な表面である。実施形態では、後に詳細に説明するように、第１の磁気出力ユニット１３４および／または第２の磁気出力ユニット１３５は、カード１００の主表面における任意の特定の位置に制約されることなく、カードの磁気ストライプと同様の磁気パターンを作成するように制御することができる。従って、第１の磁気出力ユニット１３４または第２の磁気出力ユニット１３５は、従来および将来のカードリーダで読み取り可能な磁気データを作成するために使用することができる。これは、以下でさらに説明する。
【００５２】
第１の磁気出力ユニット１３４および第２の磁気出力ユニット１３５の画素アレイは、カード１００の少なくとも実質的に全体の主表面に、平面視で一致する領域を占有することができるので、検知されたアクティビティに基づく必要性に応じて、ストライプの位置は、事前にプログラムされるかまたは作成されることができる。例えば、磁気ストライプは、カード１００における前面および背面の実質的に全体の主表面にわたって延びるように増加できながら、依然として非視認を維持することができる。従来装置が使用される場合、カード１００は、リーダによって読み取られる任意の位置および方向に自動的に配置することができるストライプを適応させ、当該ストライプと通信することができる。リーダは、従来のＰＯＳカードリーダまたはＰＯＳシステムのような他のカード１００の機能とすることができる。実施形態では、カード対カードのＰＯＳシステムは、販売システムのポイントで固定するための最初のディスプレイハンドシェークによって確立したパターンに従ったディスプレイ対ディスプレイのハンドシェイクに基づく磁気ストライプと通信することができる。従って、カードを運ぶ誰でもポータブルＰＯＳシステムとして当該カードを使用することができる。
【００５３】
カード１００は、第１のマイクロスピーカ画素アレイ１３８または第２のマイクロスピーカアレイ１４０（例えば、圧電アレイ）のいずれかから音楽または音声の信号を受信し、当該信号を符号化し、バス１０８を介してプロセッサ１１０に符号化された音声／音楽信号を供給するように構成された音楽／音声／触覚コーデック１３６を含むことができる。音楽／音声／触覚コーデック１３６は、バス１０８を介してプロセッサ１１０からの符号化された音楽、音声または触覚データを受信し、当該データを復号し、マイクロスピーカ画素アレイ１３８またはマイクロスピーカ画素アレイ１４０への信号を生成する。従って、マイクロスピーカ画素アレイ１３８，１４０は、マイク、スピーカ、触覚フィードバックデバイスの機能を、少なくともいくつかの最小の程度まで提供することができる。
【００５４】
カード１００の認証部１４２は、カードおよびユーザの識別情報を収集する。実施の形態では、カード１００および／またはカードユーザの認証のためのサーバ２００のカード／ユーザ認証部２３０へ送信することができる。別の実施形態では、カードは、セキュリティ方式、カードの処理能力、および／またはカードメモリ容量による許容範囲で、ログイン認証のための生体データを格納することができる。詳細に後述するように、指紋、毛細管パターン、パルスおよびマイクロパルスパターン、声紋、網膜または虹彩プリント等の複数の物理的特性は、例えば、ログイン時または取引中に、識別目的のために使用することができる。また、アカウント番号、有効期限、ＰＩＮ番号、パスワード、ならびに他のカード情報および印は、暗号化された形式で、カード１００の認証部１４２からカード１００を認証するためのサーバ２００のカード／ユーザ認証部２３０へ送信されることができる。
【００５５】
ロケーション部１４４は、全地球測位システム（ＧＰＳ）受信機のような、位置決定ユニットである。ロケーション部１４４によって決定された位置情報は、サーバ２００へ送信され、本開示において後に詳細に説明されている値解析部２３２およびトラッキング部２３６などの、１または複数のシステム・アプリケーションによって利用することができる。代替的に、カード１００の位置は、セルラネットワーク等において無線信号のマルチラテレーションを使用すること、ユーザによる手動入力、または各々の位置を知り、かつ位置データを共有することが可能な他の電子デバイスへの統合を通じてなど、他の方法で導出することができる。
【００５６】
電源１１２は、図２に示すカード１００のシステム要素に電力を供給する。電源１１２は、多数の供給源のいずれかから電力を供給することができる。例えば、公知のＲＦＩＤの電力供給の仕組みはさておき、可動インダクタは、カード内部に設けられた固定インダクタに電力を渡すというインテルによって開拓された公知の方法、すなわち容量結合等を介した電力伝送がある。もちろん、カードはまた、提案フォームファクタまたはより大きなフォームファクタに収まる、薄膜または超薄膜の充電式リチウムイオン電池またはリチウムポリマー電池等のバッテリ層として、独自のバッテリを備えることができる。
【００５７】
電力管理ユニットは、電源１１２とは別の、電源１１２と通信可能に接続されたユニットとして含まれることができるが、カード１００の電源１１２は、電力の管理、生成および節電を行う電力管理ユニットを含むことができる。例えば、実施形態は、ディスプレイが白黒画像である省電力モードを含むことができる。実施形態は、第１または第２の発光ユニット１２２，１２４（すなわち、デュアルディスプレイユニット）のうちの１つをオフするか、両方をオフするか、または一部分をオフするかを決定するための要素を含むことができる。例えば、カード１００の実施形態は、ＭＥＭＳ加速度計のような傾斜センサ、および／または第１および第２の光検出ユニット１２６，１２８によって撮像された画像における特徴または輝度レベルを判別することが可能な認識ソフトウェアを含むことができ、また、検出された方向性、認識された特徴、または検出された輝度に応じて供給電力を制御することができる。例えば、カード１００は、任意の表示を自動的に配向し、または特定の向きでアプリケーションを実行するために、チルトおよび／または加速度計データから開発することができるアプリケーションを含むことができる。方向のためのアプリケーションは、また、カード１００によって集光入力（光検出ユニット１２６および／または１２８のＣＣＤにおける光検出等）から認識されて決定するものに敏感であることができる。
【００５８】
実施形態では、複数の磁気ストライプがカードに設けられている。実施形態では、各磁気ストライプは、「埋設」されかつカードの主表面上で視認されないように、カード１００の主表面間に配置されている。カード１００上に配置された１つ以上の磁気ストライプは、ＩＳＯ／ＩＥＣ７８１１、ＩＳＯ／ＩＥＣ７８１３およびＩＳＯ／ＩＥＣ４９０９規格、または本明細書に記載された他のものに従い、カードリーダ／カードプログラマーによって読み出し／書き込みできる、口座情報、識別情報（運転免許証、クレジットカード、ＩＤカード、セキュアなアクセスカード等）、金銭的価値（運賃カード、ギフトカード等）等のような情報を含むようにプログラムされることができる。各磁気ストライプは、スワイプまたはスロット型リーダ（例えば、リーダーのスロット）へのカードの任意の向きでの場当たり的な挿入を可能にするために、４つの位置において生成することができ（図３Ｂおよび図５参照）、また、リーダにスワイプまたは挿入する際のカードの向きに関係なく、単一のアクションを毎回「取る」ことができる。カード１００は、何か「磁気スワイプ」またはスロット挿入型に即座に互換性があるように、磁気スワイプの古い技術に後方互換であることができる。磁気ストライプ材料の後ろは、システム１の制御下で、ストライプで見つかったデータを消去および再書き込みするマイクロ小型化された磁気書き込みヘッドとすることができる。
【００５９】
図３Ａ―図３Ｃは、カード１００の例示的な実施形態の図である。図３Ａは、カード１００の斜視図であり、図３Ｂは、カード１００の平面図であり、図３Ｃは、カード１００の側面図である。図３Ａ―図３Ｃに示すように、カード１００は、第１の主表面１０１と、第２の主表面１０２と、第１の物理ポート１０３ａと、第２の物理ポート１０３ｂと、複数の磁気ストライプ１０４とを含む。
【００６０】
図３Ａは、カード１００の斜視図であり、第１の主表面１０１、第２の主表面１０２（図３Ａには明示的には示されていない）、物理ポート１０３ａおよび１０３ｂを含む側表面または端表面を示す。第１の主表面１０１は、混合アレイ１０６ａをカバーし、第２の主表面１０２は、混合アレイ１０６ｂをカバーする。混合アレイは、少なくとも２つの異なるアレイユニットを含むが、発光ユニット、光検出ユニット、磁気入力ユニット、磁気出力ユニットおよびマイクロスピーカアレイに限定されない。各アレイユニットは、複数の独立して制御される画素を含む。
【００６１】
図３Ｂの平面図において、各磁気ストライプ１０４は、カード１００の外側表面および逆側の（主）表面（すなわち、第１および第２の主表面１０１，１０２）の下方に位置しているので、仮想線で示されており、このように「非視認」である。各磁気ストライプ１０４は、別個のストライプとして示されるプログラム可能なストライプ領域であるが、別の実施形態では、磁性層は、平面視において、カード１００の主表面１０１，１０２の周縁部によって規定される領域内で大きい量または小さい量の程度で拡張することができる。この場合、当該ストライプ領域は、必要に応じて、必要なときに、プログラムまたはデプログラムできる仮想領域である。
【００６２】
図３Ｃは、第１の物理ポート１０３ａおよび第２の物理ポート１０３ｂを含む例示的なカード１００の側面図である。実施形態では、物理ポート１０３ａと物理ポート１０３ｂは、例えば、ＩＥＥＥ１３９４インタフェース、ＵＳＢ（ユニバーサルシリアルバス）ポート、または他のインタフェースタイプの物理ポートなどの、互いに異なる構成を有する。物理ポートは、改善された耐候性、クレジットカードのフォームファクタに対する優れた適合性、および、カード１００の内部的な構成要素の劣化を引き起こす可能性のある、汚れ、液体の水、または水蒸気に対する耐性の利益の観点から、可能な限り除外するか、または完全に除外することができる。
【００６３】
図４Ａ−図４Ｄは、カード１００の混合アレイで使用可能な画素要素の図である。図４Ａは、配列された発光画素１０７の配置例、または第１の発光ユニット１２２および第２の発光ユニット１２４の表示画素の配置例を示している。図４Ｂは、第１および第２の光検出ユニット１２６，１２８の配列された光検出素子または画素１０８（例えば、ＣＣＤ  ＭＯＳダイオード）の配置例を示している。図４Ｃ，図４Ｄは、図３Ａ−３Ｃに示す主表面１０１，１０２上に設けられている混合アレイ１０６ａおよび１０６ｂの部分を示している。図４Ｃは、カード１００の主表面１０１，１０２の一部の図であり、図示された部分上に配列された発光素子１０７および光検出素子１０８の両方を含む混合アレイ１０６ａの実施形態を示す。図４Ｄは、配列（画素）の要素の付加的なタイプを含む例示的な混合アレイ１０６Ａ、１０６Ｂを示しているが、磁気出力画素１０９、磁気入力画素１１０、圧電入力画素１１１、および圧電出力画素１１２に限定されない。付加的な画素要素の各々は、発光画素素子１０７および光検出画素素子１０８とともに、主表面１０１，１０２のそれぞれに沿って配列されている。図４Ｄに示す混合配置は例示的なものであり、配列された画素要素の異なるタイプ、配列された画素要素のさらなるタイプ、または配列された画素要素の少ない種類のタイプは、それらの図示されたものとは異なる密度を有するように提供されてもよいし、互いに異なる密度を有するように提供されてよいことが理解されるべきである。各画素１０７は、カラー色の発光のための複数の発光体（例えば、緑、青、赤のサブ画素を使用するだけでなく、単色モードで動作可能）のような複数のコンポーネントを含むことができ、また、同じまたは互いに異なる密度を有するように配置可能な混合アレイの異なるタイプの複数画素を含むことができることが理解されるべきである。
【００６４】
図５は、図３ＢのＡ−Ａを横断する断面図であり、カード１００の実施形態の詳細を示している。図５に示すように、カード１００は、カードの電気素子を含む基板１７０を含む。上記の混合アレイは、それぞれ、第１および第２の積層方向、これらは表面１７１ａおよび１７１ｂに対して法線方向に通る方向であり、例えば図５の上下方向に、基板１７０の第１の主表面１７１ａおよび第２の主表面１７１ｂの上に配置または積層されている。第１混合アレイ部１７２ａは、第１積層方向に第１の主表面１７１ａと隣接して設けられている。第２混合アレイ部１７２ｂは、第２積層方向に第２の主表面１７１ｂと隣接して設けられている。第１および第２混合アレイ部１７２ａおよび１７２ｂのための、防水および防塵の環境を提供するために、主表面１７１ａおよび１７１ｂの各々に対してカバーおよびシールするように、第１のカバー構造体１７４ａおよび第２のカバー構造体１７４ｂが設けられている。カバー構造体は、ベゼル型被覆構造であることができ、および／または、例えば、カードエッジにおいて、付加的な支持要素を含むことができるが、また、カバー構造体の整列および支持を支援するためのアライメント／指示構造を含んでもよいが、図５に示す実施形態では、カバー構造体１７４ａおよび１７４ｂは、それぞれ、第１および第２の混合アレイユニット１７２ａおよび１７２ｂをカバーおよび封止するベゼルレス成形シングルフィルムである。カバー構造体１７４ａおよび１７４ｂは、第１および第２の発光ユニット１２２，１２４の発光素子からの光を透過させ、かつカード１００外部から第１および第２の光検出ユニット１２６，１２８の光検出素子への光を透過させる透過部を含む。図５に示す実施形態では、磁気ストライプ１０４ａ，１０４ｂは、カバー構造体１７４ａの内部に、好ましくは基板１７０の主表面１７１ａの上または近くに設けられている。磁気ストライプ１０４ｃ，１０４ｄは、カバー構造体１７４ｂの内部に、好ましくは基板１７１ｂの主表面の上または近くに設けられている。別の実施形態では、あらゆるタイプのカードに関連する任意のフィールドを生成するようにプログラムすることができる第１および第２の磁気出力ユニット１３４および１３５の磁気画素を用いて、１つ以上の磁気ストライプの機能を実行することができるので、フィルムの形態において磁気ストライプが提供されない。別の実施形態は、冗長性のレベルのために、１つ以上の磁気出力ユニットおよび磁気ストライプの両方を含むことができる。
【００６５】
図６は、カード１００を動作させるために使用される複数の電子デバイスを含み、カードに強度、および剛性の許容量を提供するために役立つことができる基板１７０の実施形態の概略図である。実施形態において、基板１７０は、プロセッサ１１０と、薄い／超薄膜のリチウムイオン電池またはリチウムポリマー電池などの電池１８０を含む電源１１２と、電力管理デバイス１８２と、メモリ１１４と、傾斜センサ、加速度計（図示せず）、および／または他の電子素子などの他のデバイスとを含む。カード１００の実施形態は、任意の物理ポートを含まずに済ますことができるが、図６に示すように、基板１７０は、少なくとも一つのシリアルインタフェースまたは物理ポート（図３Ａおよび図３Ｃを参照）（例えば、ＵＳＢ、ＩＥＥＥ１３９４など）を含むことができる。基板１７０とともに含まれる電子デバイスは、基板１７０内に埋め込むことが可能であり、凹部領域に含まれるか、または表面が基板１７０上に搭載される。基板１７０は、配線、多層配線、ならびに基板１７０における電子デバイスと基板１７０に隣接する第１および第２混合アレイ部１７２ａ，１７２ｂとを相互接続するためのスルーホールを含むことができる。
【００６６】
図６は、カード１００の電池１８０を充電するための電荷受信コンタクト１８４のペアを示している。電荷受信コンタクトは、ＩＳＯ規格に準拠した典型的なスマートカードにおけるものとして含まれることができる。しかしながら、好ましくは、ディスプレイ領域を中断しないために、カードの側面に沿って配置され、デバイスへのデータ転送およびデバイスからのデータ転送に使用することができる。なお、電荷コンタクトは、例えば、他のカード１００の周囲におけるいずれか等、別の方法で配置されることが可能である。電力管理デバイス１８２は、電荷受信コンタクト１８４に印加された電圧／電流を受けて、電池１８０の充電機能、および／またはカードを動作させるために使用される電力信号のコンディショニングを制御する。例えば、カード１００は、バッテリを充電するために各受信電極が各充電電極に接触するように、電荷転送電極対を含む充電スタンド（図示しない）に置くことができる。代わりに、カード１００は、相補充電コイルまたはコンデンサ電極を含む充電表面上にカード１００を配置することができるように、コイルまたは容量充電板を含む「非接触」型電池充電サブシステムを含むことができる。
【００６７】
図７Ａおよび図７Ｂは、例示的なカード１００をより詳細に示している。図７Ａは、第１の主表面１０１の一部の平面図を示しており、図７Ｂは、図７ＡのＢ−Ｂに沿った断面図を示している。図７Ａに示すように、カード１００は、基板１７０の対向面または側面上の多層スタックＳ１およびＳ２にそれぞれ設けられた、実質的に同一の混合アレイ１０６ａおよび１０６ｂを含む。実施形態では、各多層スタックＳ１およびＳ２は、複数の層状のアレイを含む。多層スタックＳ１は、基板１７０に最も近い層からスタートして、光検出層１８６ａと、磁気出力層１９０ａと、磁気入力層１９２ａと、圧電入力層１９４ａと、圧電出力層１９６ａと、発光層１９８ａとを含む。多層スタックＳ２は、基板１７０に最も近い層からスタートして、光検出層１８６ｂと、磁気出力層１９０ｂと、磁気入力層１９２ｂと、圧電入力層１９４ｂと、圧電出力層１９６ｂと、発光層１９８ｂとを含む。基板１７０、ならびにスタックＳ１およびＳ２の様々な層は、積層構造を説明するために、縮尺通りに描かれていないことが理解されるべきである。
【００６８】
多層積層体Ｓ１の光検出層１８６ａは、光感受性物質の配列された複数の受光／光検出画素を含み、上述の第１の光検出ユニット１２６の一部である。多層積層体Ｓ２の光検出層１８６ｂは、光感受性物質の配列された複数の受光／光検出画素を含み、上述の第２の光検出ユニット１２８の一部である。ＣＭＯＳ（相補型金属酸化膜半導体）チップ、フォトダイオードアレイ（ＰＤＡ）などの他の光アレイ技術が、光検出層として使用されることが可能であるが、実施形態では、第１および第２の光検出層１８６ａおよび１８６ｂはＣＣＤである。受光／光検出画素は、それぞれ光透過路１８７ａおよび１８７ｂに対応して、基板１７０とは反対側に、光検出層１８６ａ，１８６ｂの表面のそれぞれの上に配列されている。図７Ａおよび７Ｂを参照して、各光透過路１８７ａが、光検出層１８６ａの受光／光検出画素と多層積層体の上面における孔１８８ａとの間において延びている。
【００６９】
動作時には、透明な第１のカバー構造体１７４ａの表面１０１に入射した光は、光が各光透過路１８７ａに入ることを可能にするピンホール型オリフィスとして機能する各孔１８８ａへ、第１のカバー構造体を通じて透過し、透過光は、矢印１８９ａの方向に、光検出層１８６ａの受光／光検出画素へ進行する。同様に、透明な第２のカバー構造体１７４ｂの面１０２に入射した光は、光が各光透過路１８７ｂに入ることを可能にするピンホール型オリフィスとして機能する各孔１８８ｂへ、第２のカバー構造体を通じて透過し、透過光は、矢印１８９ｂの方向に、光検出層１８６ｂの受光／光検出画素へ進行する。第１のカバー構造体１７４ａおよび第１の光検出ユニット１８６ａ間、ならびに第２のカバー構造体１７４ｂおよび第２の光検出ユニット１８６ｂ間において、他の伝送媒体を使用することができるが、第１の光検出ユニット１８６ａおよび第２の光検出ユニット１８６ｂの各画素について、孔１８８ａ，１８８ｂおよび対応する光透過路１８７ａ，１８７ｂに物質は設けられていない。
【００７０】
磁気出力層１９０ａおよび磁気出力層１９０ｂは、それぞれ第１の磁気入力ユニット１３２および第２の磁気入力ユニット１３３の一部を形成し、カードの磁気ストライプに見られるようなパターンの磁場を形成するために、または、カードリーダまたは他のカードのような読取装置と通信可能な磁気送信機の一部を形成するために用いることができる、アドレス可能な画素のアレイを含む磁場発生機である。上述したように、第１の磁気出力ユニット１３４および第２の磁気出力ユニット１３５の複数の画素は、少なくとも実質的に主表面１０１および１０２のそれぞれの全体と平面視で一致する領域を占めることができ、かつ、仮想ストライプを得ることができるようにプログラムすることができる。セキュリティのために、実施形態は、ユーザがＰＯＳリーダにおいて存在する場合、これらの仮想ストライプを「ジャストインタイム」でプログラム（活性化）することを可能とし、また、デプログラムし、「ジャストアフターユーズ」で非アクティブ化することを可能とする。実施例では、仮想ストライプは、ジェスチャーまたはカードの移動に伴う他の情報に基づいて作成することができる。ＰＯＳまたはその他のリーダを通じてカードを通す際に、例えば、ユーザは、リーダによる読み取り不可能な角度になるような方法でカード１００を保持することができる。カード１００は、スワイプに関連したパターンを学習し、決定することができ、また、スワイプが開始されたときに、カードの向きを決定することができる。カード１００は、磁気ストライプデータを、表示された仮想カードに一致させるための選択を使用するように構成することができる。例えば、ユーザは、使用するために複数の仮想カードの中から特定の仮想カードを選択し、磁気データ出力は、選択された仮想カードに関連するアカウントと自動的に一致される。リーダのセンサを通過する前に、カード１００は、リーダで読み取り可能なカード表面の一部にわたる場所に「ジャストインタイム」でストライプを作成し、「ジャストアフターユーズ」でストライプをデプログラム（または標準位置に再配置）することができる。このように、リーダはカードスワイプの失敗に出くわすことが少なくなり、ユーザはカード利用の複雑さに出くわすことが少なくなる。
【００７１】
磁気入力層１９２ａおよび１９２ｂは、それぞれ第１の磁気入力ユニット１３２および第２の磁気入力ユニット１３３の一部を形成し、対応するカードの主表面１０１，１０２がさらされている磁場を感知するために使用することができるアドレス可能な複数の画素アレイを含む。磁気入力層１９２ａおよび１９２ｂは、例えば、電気磁気効果を示す複合磁歪材料および圧電材料等の薄膜として形成可能な任意の適切な磁気感応層から形成されることができる。
【００７２】
圧電入力層１９４ａおよび圧電出力層１９６ａは、第１のマイクロスピーカ画素アレイ１３８の一部を形成し、圧電入力層１９４ｂおよび圧電出力層１９６ｂは、第２のマイクロスピーカ画素アレイ１４０の一部を形成する。マイクおよびスピーカのための異なる材料を使用することにより、スピーカおよびマイクは、異なってバイアスされることができ、また、エコーおよびノイズキャンセル等のデジタル信号処理技術を使用して全二重モード（同時）で動作することができる。また、圧電入力層１９４ａ，１９４ｂの画素配列のためのアルゴリズムは、例えば、光検出層１８６ａまたは１８６ｂの受光／光検出画素を介して識別されたソースの場所等の特定のソースに向けてマイクの仮想極性パターンの個別のローブを操縦することができる仮想マイクを可能にする。別の実施形態では、圧電材料の単一層は、半二重モードでマイクロホンおよびスピーカの機能を提供する圧電入力／出力画素を形成することができる。別の実施形態では、圧電出力層１９６ａおよび１９６ｂの画素は、ユーザによるカードの対応する操作に応答して、そうでなければイベント、通信、何かの処理の終了のユーザへの通知に応答して、カードの特定の領域に触覚フィードバックを提供することができる。
【００７３】
カードの１または両方の主面に圧電電子回路を有するカード１００の実施形態では、カードは、カードの片面または両面を通して、マイクとして、また、スピーカとして機能することができる。この特定の機能は、発呼または着呼の目的で携帯電話をエミュレートする、音を生成する、生体要素として使用するための音声を集音する（例えば、音声認識のロギングなど）、アラートまたはアラームを鳴らす、など、放音および集音の種々の用途を提供することができる。しかしながら、カードの形態のために、電力、ならびに放音および集音の忠実性は、電力制限と表面の平坦性に起因するある程度の使用に限定することができる。安定した、近接した２枚のカードの配置は、ハンドシェイクおよびデータ経路の手段の１つとして、まだ音を使用することができる。画素として支出されている圧電電子機器に起因して、単に、発光素子（例えば、ＬＥＤ）および受光／光検出素子（例えば、ＣＣＤ素子）として配布されるように、放出され、収集された音は、実際の通信である１つまたは少数を安全に守るトロイの木馬の通信である多くの音、排出および収集を含むことができる。本明細書で使用される「トロイの木馬」は、偽を意味し、また、受信側で使用しないことを意味する。このダイナミックは、比較的遅いながら、古いモデム機能をエミュレートすることができ、また、２枚のカード、複数のカード、または１のカードとカード１００を搭載した別のマシンまたはマシンの統合された要素としてのカード要素との間の通信のためのダイナミックを追加することができる他のデータ伝送方法を形成することができる。さらに、発光体（例えばＬＥＤ）および受光／光検出（例えば、ＣＣＤ素子）画素素子のように、圧電画素素子は、指向性を可能にする位相配列のように、配列として制御することができる。
【００７４】
圧電入力層１９４ａおよび１９４ｂの画素は、カード１００の主表面に触れた指からのパルス（心拍数）を示す圧力変動のような生体データを感知するように構成することができる。
【００７５】
発光層１９８ａおよび発光層１９８ｂは、それぞれ、第１の発光ユニット１２２および第２の発光ユニット１２４の一部を形成し、光アドレス可能な発光素子（例えば、ＬＥＤ、ＯＬＥＤ、ＬＣＤなど）を含む。図示されていないが、第１の発光ユニット１２２および第２の発光ユニット１２４は、ビデオデコーダ１２０からの復号化された映像データを処理し、かつ復号化され、処理されたデータをカード１００の第１の主表面および／または第２の主表面上に表示する１または複数のコントローラ、イメージプロセッサ、およびドライバモジュールを含むことができる。
【００７６】
図７Ａおよび図７Ｂには示されていないが、本明細書に記載された他の実施形態では、磁気出力層１９０ａ、磁気出力層１９０ｂ、磁気入力層１９２ａおよび１９２ｂ、圧電入力層１９４ａおよび１９４ｂ、圧電出力層１９６ａおよび１９６ｂ、ならびに発光層１９８ａおよび１９８ｂの各画素は、検知および放出のための特定の画素に個別にアドレスすることができる行電極および列電極に接続された電極対を含む。スタックの最外層の電極は、透明であることができ、例えば、インジウムスズ酸化物（ＩＴＯ）または銀などの金属の薄層は、それを通した光透過を可能にする。図は層間絶縁膜を示していないながら、さらに、そのような層は、スタックＳ１およびＳ２における隣接して積層された列／行線間等、電気絶縁および分離に必要なスタックの層の間に存在するであろう。
【００７７】
図８Ａおよび図８Ｂは、カード１００Ａの実施形態を示す図である。図８Ａは、第１の主表面１０１の一部の平面図を示す。図８Ｂは、図８ＡのＢ−Ｂに沿った断面図を示している。カード１００Ａとカード１００との違いは、基板３７０におけるアレイに穿孔または孔を形成することで提供される複数の光透過路３８７ａおよび３８７ｂの長さの向上が挙げられる。さらに、第１の光検出層３８６ａが、スタックＳ２’において、第２のカバー構造体１７４ｂにより近いレベルに、かつ基板３７０に対向する第２の光検出層３８６ｂのサイド上に形成されており、また、第２の光検出層３８６ｂが、スタックＳ１’において、第１のカバー構造体１７４ａにより近いレベルに、かつ基板３７０に対向する第１の光検出層３８６ａのサイド上に形成されているため、基板３７０の各面上の受光／光検出画素の密度は、図７Ａおよび図７Ｂの実施形態よりも小さい。また、発光層３９８ａおよび３９８ｂにおいてそれぞれ形成された孔３８８ａおよび３８８ｂの位置または配置は、図７Ａおよび図７Ｂにおけるディスプレイの発光層１９８ａおよび１９８ｂの孔の位置および配置と異なる。
【００７８】
動作時には、透明な第１のカバー構造体１７４ａの表面１０１に入射した光は、光が各光透過路３８７ａに入ることを可能にするピンホール型オリフィスとして機能する各孔３８８ａへ、第１のカバー構造体１７４ａを通じて透過し、透過光は、矢印３８９ａの方向に、光検出層３８６ａの受光／光検出画素へ進行する。同様に、透明な第２のカバー構造体１７４ｂの表面１０２に入射した光は、光が各光透過路３８７ｂに入ることを可能にするピンホール型オリフィスとして機能する各孔３８８ｂへ、第２のカバー構造体を通じて透過し、透過光は、矢印３８９ｂの方向に、光検出層３８６ｂの受光／光検出画素へ進行する。
【００７９】
基板３７０を通る各光透過路３８７ａ，３８７ｂは、穿孔３５０の配列を収容するような方法でカード１００Ａを操作するために使用される複数の電子コンポーネントおよびデバイスを配布することを要求する。一部またはすべての要素は、各穿孔、および／または各通路を含むように設計することができる様々な電子デバイス間で分散させることができる。
【００８０】
発光層１９８ａおよび１９８ｂは、好ましくは、スタックＳ１およびＳ２の最外層にそれぞれ位置するが、各スタックＳ１、Ｓ２、Ｓ１’およびＳ２’の層の順序は、図７Ａから図８Ｂに示されているものとは異なってもよいことが理解されるべきである。さらに、本開示による実施形態は、描かれているものよりも基板１７０，３７０のそれぞれの側に多少の層を含んでもよいが、少なくとも基板の各側において受光／光検出層および発光層を含む。また、発光および受光／光検出ユニットは、各スタックＳ１、Ｓ２、Ｓ１’およびＳ２’において同じ層または同じレベル上に配置することができるが、そのような実施形態では、光検出素子間の雑音／干渉を低減するために、発光機能および光検出機能を多重化することが好ましい。
【００８１】
さらに、図７Ａ〜図８Ｂは、要素の順序を単に示す例示的な図であり、必ずしもサイジングまたは形状を示しておらず、それを限定することを意図するものではなく、例えばＶＶＬＳＩ（very very large scale integration）において、レイアウトおよび設計を行う当業者は、本開示の特徴および他の説明に従って並べ替えを行うことができる。また、集光素子のための深さの開発のためのカードの厚さの使用は、ピンホールレンズ効果のために、直角に近いアングルでカードに近づく光に制限することを可能とし、また、検出される光を、孔の正面の直接的な光であって、反射光に制限することを可能とする。
【００８２】
カード１００の構成要素のレイアウトの上記の説明は、限定解釈されるべきではない。
アイデアは、（主表面近くにあり、光のみが脱出することを可能にする明確なベゼルまたは他の透明な表面で覆われた）発光成分をレイアウトすることであり、カードの外側部分に視線を必要とする集光成分をレイアウトすることであり、また、もし光吸収ならば、表面に実質的に垂直に入射する光を集光画素が受光し、カードのすぐ近くにあるものの信頼性の高い画像を形成可能なアレイから収集された光データをメモリが集めるように入射可能な光を制限することを確実にする、ピンホールまたはトンネル構造等をレイアウトすることである。磁気入力および磁気出力の機能性および聴覚機能性のための磁気圧電素子は、最大の効果のために戦略的に配置することができる。音出しおよび受音圧電エレクトロニクスは、表面へアクセスする視線ラインが必要な場合がある。磁気素子は、表面へアクセスする視線ラインを必要とせず、コンポーネントおよび非磁性層によって埋め込むことができる。エネルギーを放出するかまたは収集する他の成分は、表面設計が経時的にますます動的になるように、追加することができる。いくつかのエネルギーは、確実に受信するための視線を有している必要があり、他のエネルギーは、サブ構造体に埋め込むことができる。層に埋設され、現時点で積層されている任意のおよびすべての電子回路を含むことができるが、配電、データ配信、信号線、アース、バッテリ、処理、メモリ、ネットワークアダプタなどのアダプタに限定されるものではなく、クレジットカードのフォームファクタに埋め込むことができる本質的に任意のおよびすべての電子機器を含むことができる。クレジットカード以外のフォームファクタのために、より大きなものを推定し、フォームファクタのパワーおよびサイズ制限内に収まるものについて可能性が広がる。より小さい任意のフォームファクタについては、いくつかの考慮事項が変更されるが、開示の概念は残る。
【００８３】
本発明に従うカード１００の実施形態は、ホルダーにカードを積み重ねるか、または互いの上に直接カードを積層するようにすることを介して、（例えばカードのスワップモード機能間で）データの共有または交換を可能にする。このようにして、「マスター」カード１００（すなわち、データを送信するカード）が共有することを望む任意のデータは、積み重ねられた「スレーブ」受信カードに配布することができる。複数のカードには、このように、命令、計画、ソーシャルネットコンテンツもしくは娯楽アイテムのデータ、またはマスターカード１００が所与の取引内で共有を希望する本質的に任意のデータ等をロードすることができる。このモードにおけるデータ共有のためのアプリケーションの開発は、非常に高い可能性で、よりセキュアかつより省時間のデータ移動のプロセスを作成するだろう。カードは、ネットワーク接続を介してよりも迅速に、その表面からデータを転送することができる。例えば、カード間のデータ転送構成は、１０００Ｇｂｐｓの速度で転送することができ、またはこれよりも１０倍〜１００倍大きい速度となり、一方、ネットワークは、現時点では、この高速度での転送を行うことはできない。
【００８４】
積層された各カードのどの主面が互いに向き合っているのかを認識し、ハンドシェイクし、カード間の通信を開始するように構成することができるので、カードの両面の機能は、任意の方法でカードを積み重ねることを可能にする。カードの両面の機能は、複数の積み重ねられたカードの間でデータ転送を行うためのモードを含むことができる。例えば、カードのスタック内の１つ以上のカードは、データを変換し、したがって、互換性のあるデータがスタックデータ転送におけるすべてのカードで受信されることを保証することができる。確実にデータを暗号化かつ復号化する方法では、各カードは、正しいカードが積まれている場合にのみ（さらに時間内に正しい瞬間に限る）、データの一部を共有でき、そして、データの内容を結合し、また、転送されることが意図される復号化データを表す機能的データが得られるだろう。各サーバに格納されたデータを使用し、データへの各ポインタを運ぶことにより、この方法を使用してカード１００が確実に移動させることができるデータの量が無制限になり、発明者の知るデータ転送の任意の他の方法と比べて、セキュリティが指数関数的に優れることになる。
【００８５】
浮揚の実施形態では、カード１００は、１枚目のカードを２枚目のカードの上に積層されるように浮揚させて配置する磁性要素を含むことができる。これらのカードは、物理的なドックの独立して動作する。例えば、受動的な固定磁石は、カード１００のコア領域内に埋め込むことができ、例えば、上記の基板１７０または３７０において、２枚のカードを安定して浮揚させ、かつストライプデータを読み取るためのカードリーダの能力に干渉しないであろう位置に埋め込むことができる。浮揚状態で、第１カードの主表面１０１または１０２上の第１または第２の発光ユニット１２２，１２４の一方の少なくとも１つの画素は、第２カードの主表面１０１または１０２上の第１または第２光検出ユニット１２６，１２８の一方の少なくとも１つの画素と対向するように整列されており、かつ、第１カードの主表面１０１または１０２上の第１または第２光検出ユニット１２６，１２８の一方の少なくとも１つの画素は、第２カードの主表面１０１または１０２上の第１または第２の発光ユニット１２２，１２４の一方の少なくとも１つの画素と対向するように整列されている。実施形態では、上述した対向する受光／光検出画素と発光画素との位置合わせは、所定の安全な方法で行うことができる。
【００８６】
実施形態では、カード１００は、複数の電流制御電磁石および浮揚／位置決め制御ユニットを含むことができるか、または、他の同様に装備されたカードが互いの上に浮揚可能とするために各電磁石に電流を設定するように構成されたマグレフ部１４７を含むことができる。図９Ａは、浮揚機能を備えたカード１００ｃの例を示しており、カード１００ｃは、そうでなければ、本明細書に開示されているカード構造のいずれかを有することができる。図９Ａに示すように、カード１００ｃは、カード１００ｃの中央部に埋め込まれた複数の個々の電磁石９１０〜９２６を有しており、例えば、上述の基板１７０または３７０に埋め込まれている。電磁石９１０〜９２６の各々は、制御された電流値に対応する磁場強度を放出するように電流を制御することが可能なコイルを含む。一部または全部の電磁石９１０〜９２６は、電磁石のコイルに供給されている電流の正負に応じて電磁石の極性が変化するような可逆極電磁石とすることができる。
【００８７】
電磁石９１０〜９２６の各々は、図２に示したデータ交換部１４６の一部とすることができてかつカード処理装置１１０に組み込むことができる浮揚制御回路（図示せず）に電気的に接続される。図９Ｂは、カード１００ｃ、および同様の装備の、図で示すＺ軸方向に磁気的にカード１００ｃ上に浮揚する他のカード１００ｄを示している。安定性のために、カード１００ｄにおける電磁石９１０〜９２６の少なくとも一つ、例えば、カード１００ｄにおける電磁石９１０〜９２６がカード１００ｃの電磁石９１６〜９２０に引きつけられるために偏極され、フィードバックループが、カード１００ｃと１００ｄとの間の相対的な位置を維持するために１つ以上の電磁石を連続的に調整する浮揚制御回路（例えば、ＰＩＤコントローラ）によって活用される。
【００８８】
図示されていないが、各カード１００ｃおよび１００ｄは、例えば、カード１００ｄを移動され、かつ３つの図示された次元のいずれかでカード１００ｄを正確に保持することができるような、例えば、カードを、電磁変動を用いて高精度に、ｘ軸、ｙ軸および／またはｚ軸方向に移動し、ｘ軸、ｙ軸および／またはｚ軸の周りを回転させるような正確な磁場制御を提供するために、所定の角度で設けられた電磁石を含むことができる。実施形態では、マスターカード１００ｃがカード１００ｄの位置を制御するように、カード１００ｃがマスターステータスを、その上のカード１００ｄがスレーブ・ステータスを想定することができる。カード１００ｃおよび１００ｄの種々の点の間の距離は、カード１００ｃ（またはカード１００ｄ）の主表面の特定の各部分からの特定の光の各波長および各パターンの放出を介して、カードの表面上の異なる局所的な各位置における、第１または第２の発光ユニット１２２，１２４の１つ以上の画素とカード１００ｃ（またはカード１００ｄ）の第１または第２の光検出ユニットの１つ以上の画素とを介して決定することができる。カード間の距離は、例えば、１つのカード上に既知視覚画像または既知サイズの磁気画像を放出し、他のカードがカード間の距離を決定するために視差用の既知サイズの画像を見ることを可能にすることによって決定することができる。
【００８９】
図９Ｃは、カード１００ｃによってカード１００ｄが浮揚する浮揚制御回路の結果を示しており、すなわち、カード１００ｄは、ｚ軸の負の方向の角度θを介してｘ軸の負側を移動させる電磁石９１４、９２０および９２６を介して、Ｙ軸方向の軸回りに回動する。実施形態では、カード１００ｃおよび１００ｄは、例えば、少なくとも最初のハンドシェイクのために所定の方法で互いに対して配置されるときに整列された場合にのみ、所定のパワー／持続時間の閾値レベルを超える検出信号を生成するように調整される一つ以上の発光体および相補的な受光／光検出要素（図示せず）を含むことができる。例えば、図９Ｂおよび図９Ｃは、カード１００ｃにおける受光画素が受信して検出できる光の方向を表す点線９２８、およびカード１００ｄにおける発光画素が放出可能な光の方向を表す実線９３０を示している。図９Ｂで見ることができるように、カード１００ｃの受光画素は、カード１００ｄの発光画素から放出される光子のストリームを受信せず、検出しないが、図９Ｃは、磁気浮揚制御を介した調整後の３次元での方向９２８および９３０の整列を示している。図９Ｂおよび図９Ｃは、発光および受光画素の一組を示しているが、複数の受光および発光画素対は、カードの主表面に対して鋭角の複数の相対角度など、垂直以外の、様々な相対位置に設定することができる。実施形態では、カード間の通信は、関連位置にあるカード１００ｃおよび１００ｄが、発光および受光／光検出画素の異なるサブセット間を相応に切り替えるような、いくつかの所定の方法で定期的に変更する暗号化の形式を含めることができる。このように、カード１００ｃおよび１００ｄは、高いセキュリティ性で、光学的に相互に通信することができる。
【００９０】
図９Ａ−９Ｃに示す２つのカードが、一つは買い手に属し、他は売り手に属しており、買い手が、クレジットカードの画像を表示し、売り手がバーコードを表示し、そのとき両者は生体ＩＤを提供することが要求されるかもしれず、また、通常のブラウジングおよびショッピングなどのための同じプラットフォームを使用するような状況に関係することができることが認識されるべきである。
【００９１】
図１０Ａは、本開示に従って構成される複数のカード１００ｅおよび１００ｆ間で測定された空間を提供するために使用することができる、ブラケット、または機械的なドック１００２の図である。ドック１００２は、水平向きのカードのために構成されているが、図１０Ｂは、垂直向きのカード１００ｅおよび１００ｆがスロット１０２２および１０２４に挿入されることができる垂直ドック１０２０の実施形態を示している。物理ドックは、一緒に保持された２つのカードで短い転送を簡単に行うことができるが、カード間の長時間のデータ転送のような任意のカード間のデータ転送に使用することができる。より安全なデータ転送のために、上記の磁気浮揚技術は、短いまたは長いコンテンツのデータ転送に使用することができる。ドック１００２および１０２０はまた、図６に示した充電電極１８４のような、カード１００ｅおよび１００ｆの充電電極を係合する、ばね荷重または可撓性の戻り止めによって提供される充電機能を含むことができる。ドックの高さは、カードをカバーするように設定することができるが、さらに、図１０Ａおよび図１０Ｂに示す実施形態は、例えば、カードの主表面へのユーザ入力および制御のために、充電またはデータ転送中の画像表示のために、転送が完了した場合または問題が発生した場合にユーザに警告するために、またはユーザに他の情報を提供するために、カードの露出部分の使用を可能にする。スロットの数は、任意の実用的なサイズにできることを理解すべきである。また、１つのスロットのみを、ＵＳＢケーブルなどのシリアル通信ラインおよび充電線を介して他のデバイスに接続可能な充電および／または通信用のドックのために提供することができる。
【００９２】
二つ以上のカード１００は、非常に正確にそこにカードを整列させるホルダー（図示せず）内に配置することができ、ホルダーは、カードの間に多くの空気スペースが無い状態で位置合わせするように機能するが、カードを損傷しないように許容範囲内で外部の磁気的または物理的な力を提供することができる。この目的のために、ピンおよびガイドは、表面の特徴として、または、カード１００の期待される機能には影響しないが、あるカードを他のカードに揃えるのに役立つか、またはあるカードを同じ技術が完全に組み込まれたデバイスに揃えるの役立つ、縁上のわずかなノッチまたは溝として提供される（例えば、カードが作られるように作られた部分を有するＰＣ上のディスプレイ、およびＰＣのプロセッサ、ソフトウェア、およびネットワークのアタッチメントを使用して、すべての機能を可能にするように、完全にＰＣに組み込まれる）。
【００９３】
図１１Ａ−１１Ｃは、例えば、プロのオフィス、会議、フリーマーケット、フェスティバル、見本市、不要品交換会、食品トラック、個人間、ならびに伝統的な小売店および卸売環境等で取引を実行するための携帯型ＰＯＳカードリーダとして使用することができる例示的なスワイプブラケットの図である。これらのブラケットは、ドッキングロックおよびスワイプブラケットとして使用することができ、そして、二つの異なる次元、すなわち水平または垂直なドッキングのために調整可能であることができる。
【００９４】
図１１Ａは、カードユーザがカード１００ｇを挿入し、それから、カード１００ｇがカード１００ｈ上の仮想または物理磁気ストライプを読み取ることができるように、別のカード１００ｈを水平または垂直にスワイプすることができる、実施の形態に従う携帯型スワイプブラケット１１０２Ａの側面図である。少なくともカード１００ｇは、本開示に従うカードの実施形態であり、カード１００ｈは、本開示に従うカードであるか、または物理的な磁気ストライプを含む従来タイプのカードとすることができる。スワイプブラケット１１０２Ａは、間がセクション１１０６であり、カード１００ｇおよび１００ｈをそれぞれ収容するスロット１１０４および１１０６を含む。セクション１１０６は、磁気ストライプから磁力線が貫通できるように、かつ上述の磁気入力層１９２ａ，１９２ｂのようなカード１００ｇの磁気入力層により磁力線が検出されるような厚さを有する。図示されていないが、カード１００ｇは、囲い（図示せず）の一部であるスロット１０４の変形例で囲まれるか、または取引を完了しながら、単に所定位置に保持され、摩擦係合によって、スロット１１０４内にセキュアに設けることができる。実施形態では、スロット１１０４および／またはスロット１１０６は、図１１Ａに示すよりも、多いかまたは少ない程度に、カード１００ｇおよび／またはカード１００ｈと重なるように拡張することができる。実施形態では、スワイプブラケット１１０２Ａは、ハンドヘルド、または、例えば接着またはクランプ構造によって別のオブジェクトに取り付けることができる。
【００９５】
図１１Ｂは、テーブルトップまたはカウンタ式スワイプ装置として使用することができるスワイプブラケット１１０２Ｂの実施形態の断面図である。スワイプブラケット１１０２Ｂは、エンクロージャハウジングカード１００ｇの一部を形成する第１のスロット１１０８と、スワイプされるカード１００ｈを収容する第２のスロット１１１０Ａとを含む。スワイプブラケット１１０２Ｂは、スロット１１０８Ａおよび１１１０Ａならびにセクション１１０６を含む上部ブラケット部の支持および安定性を提供し、上部ブラケット部と一体の部分として、または、上部ブラケット部に取り付け可能な部品として提供することができるベース１１０３を含む。別の実施形態では、ベース１１０３が設けられておらず、ブラケット部は、ハンドヘルドであるか、または表面上に配置されることができる。上部ブラケット部は配向することができ、任意の方向、例えば、スロット１１０８Ａおよび１１０８Ｂがベースの上面１１１１と平行となる方向に配向することができる。
【００９６】
図１１Ｃは、従来カードまたは本開示に従うカードをスワイプするときの動作機能の増加を可能にする、図１１Ｂに示した実施形態の変形例であるスワイプブラケット１１０２Ｃの断面図を示す。図１１Ｃに示すように、開口部または窓１１１２は、カード１００ｇが、スロット１１１０Ｂを通されたカードと光学的に通信できるようにするためにスロット１１０８Ｂおよびスロット１１１０Ｂ間に設けられている。開口部または窓１１１４は、閲覧および／またはカード１００ｇへのユーザ入力を可能にするためのスロット１１０８Ｂおよびブラケット１１０２Ｃの外側部分間に設けられている。図示されていないが、開口部／窓１１１２，１１１４の少なくとも一つは、スロット１１０８の上部を形成するブラケットの一部を支持するための側面部を含む。スワイプブラケット１１０２Ｃは、開口部または窓１１１２とともに、カード１００ｇおよび１００ｈ間でデータを転送するデータ転送ブラケットとして機能することができる。
【００９７】
本開示に従う携帯型スワイプブラケットの実施形態は、カード１００ｇおよび／またはカード１００ｈを動作させるための電源を含み、カード１００ｇを充電し、および／またはスワイプブラケットにある間、カード１００ｇの長時間使用を可能にすることができることを理解すべきである。実施形態では、ブラケットは、携帯電話、シリアルバスまたはＢｌｕｅｔｏｏｔｈ（登録商標）を介したラップトップコンピュータ、電子タブレット、またはＷｉ−Ｆｉアクセスノード等の他のデバイスに通信可能に結合されるかまたはドッキングされることができる。また、スワイプブラケットの位置の実施形態は、カード間の光通信を可能にする光学的に透過な材料の、および／または、カード１００ｇおよび／またはカード１００ｈの主表面へのユーザ入力を可能にする１つ以上の開口部または窓を含むことができる。また、スワイプブラケットの実施形態は、一方または両方のカードユーザが、カード１００ｇおよび／または１００ｈならびに拡張カードシステム（図１参照）とインタフェース可能にするために、ブラケット部またはベースのハードキーのような操作要素（図示せず）を含むことができる。
【００９８】
図１２は、通常のまたは従来の磁気スワイプＰＯＳリーダ１２００の図であり、リーダ１２００は、磁気ヘッドに隣接してカードを通すためのスロット１２０２と、液晶タッチパネルディスプレイ等のディスプレイ１２０４と、一部のリーダは、操作するハードキーを含んでいないが、操作ハードキー１２０６のセットとを含む。リーダ１２００はまた、リーダ１２００に電源を供給する電源供給ライン１２０８と、リモート認証サーバ（図示せず）と通信することを可能にするデータの供給ライン１２１０とを含む。電源供給ライン１２０８は、リーダ１２００の筐体の背面側においてコネクタ１２０９に接続し、データ供給ライン１２１０は、リーダ１２００の筐体の背面におけるコネクタ１２１１に接続している。
【００９９】
図１３は、本開示に従う例示的なＰＯＳカードリーダ１３００を示す。従来のカードリーダ１２００とは異なり、カードリーダ１３００は、カードを通すためのスロットを含まず、代わりに、平面式の読み取りおよび書き込みを含む。図１３Ａに示すように、リーダ１３００はまた、補助ディスプレイ１３０２および操作ハードキー１３０３を含むが、別の実施形態では、補助ディスプレイおよび操作ハードキーの一方または両方を含んでいなくてもよい。カード読み取りを行うために、ユーザは、フレーム１３０６により囲まれたディスプレイ１３０４の領域内にカードを配置する。電源供給ライン１３０８は、リーダ１３００に電力を供給し、データ供給ライン１３１０は、リーダ１３００がリモートサーバと通信することを可能にする。電源供給ライン１３０８は、リーダ１３００の筐体の背面側においてコネクタ１３０９に接続し、データ供給ライン１３１０は、リーダ１３００の筐体の背面におけるコネクタ１３１１に接続される。
【０１００】
ディスプレイ１３０４の周りのフレーム１３０６は、表面に対してまっすぐにカードを保持するように構成することができる。例えば、リーダ１３００の実施形態は、ディスプレイ１３０４の外表面上に隆起するフレーム１３０６の隣接する２辺を含み、ディスプレイ上にカードを配置する際にユーザを支援するための、かつ隆起する辺から離れる方向にカードをオフにスライドできるようにするためのコーナーを含む。別の実施形態では、フレーム全体がディスプレイ１３０４の外表面上に隆起し、イジェクタ（図示せず）は、例えば、左右の（ソフト）プラスチック製の底を有し、ユーザがそれを容易に取り戻すことができるようにカードを立てる。実施形態では、カードの磁気浮揚機能は、タッチまたは接触を排除するカードを浮揚させる販売システムのポイントを可能にする、販売システムの端末ベースのポイントのより現代的なバージョンに存在することができる。この機能は、病気のまん延を防止し、摩耗からカードを保護することができる。
【０１０１】
ディスプレイ１３０４は、本開示のカードの要素を含むことができ、第１／第２の発光ユニット１２２，１２４と、第１／第２の光検出ユニット１２６，１２８と、少なくとも領域１３１２Ａおよび１３１２Ｂに沿った磁気ストライプリーダ／ライタとに関して上述したもののような発光体および受光体／光検出体を少なくとも含む。このように、リーダ１３００は、本開示に従うカードと光学的に通信することができ、従来のカードおよび本開示に従って構成されたカードの両方の磁気ストライプを読み取ることができる。
【０１０２】
従来のリーダは、上述したリーダ１３００のような本開示に従うリーダと交換することができる一方で、その古いスイーパボックスを見ない場合、ＰＯＳシステムは動作しないので、従来のカードリーダ（すなわち、スイーパボックス）を介して通信する必要があるかもしれない。そのような状況では、従来の磁気スワイプＰＯＳアセンブリを、古いユニットを取り外すことなく、本明細書に開示されたカードの機能を有利に使用するのにより適したフォームに、特に平面的な読み取りおよび書き込みを含む光学的なものに変換する迅速かつ簡単な構成を使用して、古いスイーパボックスをエミュレートすることができる。図１４Ａ−１４Ｃに示すように、ベンダは、単に、従来のリーダにしっかりドッキングするために産業両面テープおよびゴム引きのガスケットを使用して設計されたカバーのような簡易な取り付け機構により、本開示のカードをエミュレートする光学ディスプレイ／リーダを古いアセンブリ（または本開示のカードにより近い新しいディスプレイ／リーダ）に取り付けることができる。また、当技術分野で公知の種類または本明細書に記載の要素の適切な動作を管理するために容易に構成されている種類のＰＯＳシステムにソフトウェアをロードする必要があるかもしれない。
【０１０３】
図１４Ａは、従来のカードリーダ１２００、および上記リーダ１３００の変換変形であるリーダ１３００Ａの正面図である。リーダ１３００Ａは、従来のカードリーダ１２００をカバーするようにリーダ１３００Ａを導くための、スロット１２０２に挿入可能なメンバ１４２２と、フロントパネル１４２４の背後に仮想線で示されている側壁１４２６とを含むが、別の実施形態では、拡張１４２２および／または側壁１４２６を含まなくてもよい。接着剤１４２８は、従来のリーダ１２００（および／またはリーダ１３００Ａ）に設けられており、リーダ１３００Ａは、矢印で示すように、従来のリーダ上をスライドする。図１４Ｂは、インストールリーダ１３００Ａを示す正面図である。図１４Ｃは、従来のリーダ１２００およびリーダ１３００Ａ間の電力およびデータ線を接続するための配線構成を示す設置リーダ１３００Ａの背面図である。ライン１４３０および１４３２はそれぞれ、古いデータ線１２０８および電力線１２１０に対応しており、今、リーダ１３００Ａの入力電源コネクタ１３０９およびデータ接続に接続されている。ライン１４３４は、リーダ１２００および１３００Ａ間のパワータイインを提供するために、リーダ１３００の電源出力コネクタ１４３８、および従来リーダ１２００の電源入力コネクタ１２０９間を接続し、ライン１４３６は、リーダ１２００および１３００Ａ間のデータタイインを提供するために、データ出力コネクタ１４３０およびデータ入力コネクタ１２１１間を接続する。
【０１０４】
カード１００の実施形態は、テザーまたは非テザーバージョンとして構成することができるが、図１５Ａは、実施の形態に従うユーザカード１００のテザーバージョンを示す図である。テザーまたはパッチコードのデバイス１５１０は、カード１５００とインタフェースするヘッドエンド１５１４と、デバイス１５０２のシリアルポート等のインタフェースを介してデバイス１５０２に接続するテールエンド１５１６と、配線および／または光ファイバを含み、ヘッドエンド１５１４とテールエンド１５１６とを取り付けるコード１５１８とを含む。テザーデバイス１５１０は、光学および／または磁気を用いてアクセスされるカード１００の少なくとも１つのポートと通信する。
【０１０５】
テザーデバイス１５１０は、カード１００からデータを収集し、デバイス１５０２等の別のデバイスにそれを渡し、他のデバイス１５０２からカード１００にデータおよび／または電力を渡すために使用できる。テザーは、カードを構成および／またはリセットするために使用することもできる。デバイス１５０２は、例えば、携帯電話、スマートフォン、電子タブレット、ラップトップコンピュータ、変換された電力を供給する変圧器、または、互換性もしくは適応インタフェースを有する車両とすることができる。これらのデバイスの現代版は、一般に、テザーデバイス１５１０のテールエンド１５１６のためのインタフェースとして機能することになるＦｉｒｅＷｉｒｅ（登録商標）、ＵＳＢ、ＨＤＭＩ、１００ｆａｓｅＴ、またはシリアルもしくはパラレルポートの他のタイプ等のポートを有する。
【０１０６】
図１５Ａは、テザーデバイス１５１０が磁気的に主表面１０１に取り付けられた実施形態を示しているが、テザーデバイス１５１０は、カード表面に付着するためにテザーヘッドエンド１５１４に吸盤タイプのアタッチメントを提供することを含むか、カード１００の表面にテザーの表面を保持する物理的なブラケットもしくはクランプを含むもしくは利用するか、または、同時にカード１００の各側にテザーの複数の面を保持するクリップ、もしくはカードおよびテザー１５１０間の相対的な位置を維持するいくつかの他の機構を利用するか、など、多くの方法で、カード１００の隣接する主表面１０１または１０２を提供することができる。実施形態では、テザー１５１０は、カード表面に対してハンドヘルドすることができる。実施形態では、テザーデバイス１５１０は、冗長性またはより高いデータ転送速度を可能にする両面テザーの一部とすることができ、また、クリップ、クランプ、またはブラケットが、同時に、カード１００の両側に、そのようなテザーの複数の面を保持することができる。クリップは、付着し、そして、カード１００からの迅速かつ単純化された切断を可能にするために磁気を介して固定化になる可能性がある。
【０１０７】
図１５Ｂは、テザーデバイス１５１０の例示的な実施形態の側面図を示す。テザーデバイス１５１０は、ヘッド１５１４とコード１５１８とが傾斜した構成（例えば、直角）、またはインライン設定など、角度のない構成を有することができる。図１５Ｂに示すテザーは、永久磁石もしくは電磁石、相補的強磁性体に引きつけられる強磁性材料、またはカード１００に設けられた永久磁石もしくは電磁石、であることができる磁気素子を含む部分１５２０を含むインラインテザー１５１４である。これらの補完的な磁性材料は、テザーヘッド１５１４が、主表面１０１または１０２の所定の領域に付着するように形状および配置がフォームされている。
【０１０８】
実施形態では、プロセッサ１１０とともに作業する受光検出ユニット１２６または１２８は、カードの主表面およびテザーヘッド表面間の画像認識または光通信を用いてテザーの接近を認識することができ、それに応じて点灯し、それ以外の場合は、接近されているカード１００の主表面１０１上に、テザーヘッド１５１４に取り付けられる磁気デバイスを含むカード１００の領域に示す。カード１００のテザーバージョンは、表示に関連する要素のような、電力集中要素をカード１００が操作できるようにするために、ホスト装置１５０２から電力を引き出すことができる。例えば、テザーヘッド１５１４は、充電電流を提供するために、カード１００に埋め込まれたコイル（図示せず）と相互作用して、テザーの先端における移動ソレノイドのような無線電力供給機構を収容することができる。テザーは、モジュール式であることができる。有効なテザリングを有する実施形態では、サーバ２００は、カード１００が、指定された携帯電話またはモバイルデバイスに近接しているか否かを判断することができ、例えば、２つの指定デバイスの一方または両方が近接している場合には、適切なユーザによって合法的に使用される可能性が高く、そうでない場合は無効にすることができる。
【０１０９】
図１５Ｃは、ヘッド１５１４の表面１５２２Ａを示すテザー１５１０の正面図である。実施形態では、ヘッド表面１５２２Ａは、カード１００の主表面１０１および１０２の下に存在する磁気および光学素子に似た、発光画素の混合アレイ、受光／光検出画素、磁気入力画素および磁気出力画素等の、光学素子および／または磁気素子を含むことができる。テザーヘッド１５１４は、テール１５１６におけるシリアルポートからのシリアルまたはパラレルデータストリームをカード１００およびテザー１５１８間で確立されたチャネルに基づいて光学および／または磁気上で送信されるデータに変換し、かつ受信した光および/または磁気データを変換し、受信データを、テザー１５１０のテール１５１６におけるインタフェースへ送信されるシリアルまたはパラレルデータストリームに変換する変換回路（例えば、マイクロエレクトロニクス）を含む。主表面１０１または主表面１０２に付着すると、カード１００およびテザー１５１０は、テザー１５１０がそれに識別情報を渡し、光学的および磁気的に、接続されたデバイス１５０２と通信する磁気的および／または光学的ハンドシェイクを実行する。従って、テザー１５１０は、テザー例えばヘッド１５１４に、電源が入りかつ収容された変換用電子機器を介して、テールエンド１５１６において業界標準の通信フォーマットを提供することができる。ヘッド表面１５２２は、任意の混合画素アレイのサブセットを含む、例えば発光画素および受光／光検出画素のみを含むことができることが理解されるべきである。図１５Ｂに示したテールエンド１５１６等のテザーのテールエンドは、シリアルまたはパラレルインタフェースの代わりに、イヤホン、ヘッドセットおよびスピーカ等の一般的なデバイスを含むことができる。
【０１１０】
図１５Ｄは、その両端にヘッド１５１４ａおよび１５１４ｂを含むテザー１５１０ａの側面図である。ヘッド１５１４ａおよび１５１４ｂのそれぞれは、実質的に同一であり、上述のヘッド１５１４に同一かまたは似ることができる。本実施形態は、カード１００およびテザー１５１０ａの一端１５１４ａ間の光接続、ならびにテザー１５１０ａの他端１５１４ｂおよび他の光学的および／または磁気的インタフェース間の光接続を提供するために使用することができる。例えば、テザー１５１０ａは、カード１００と同様の混合アレイを含む携帯電話またはコンピュータのディスプレイへ、カード１００から光学的に送信されたデータを転送するために使用することができる。実施形態では、各ヘッド１５１４ａは、両方のテザーエンド１５１４ａおよび１５１４ｂにおいて変換回路（例えば、マイクロエレクトロニクス）を含む。例えば、１つのテザーエンド１５１４ａに設けられた一つ以上のＣＣＤ画素は、カード１００から受信した一つ以上の光子ストリームを受信することができ、そして、受信した光子ストリームを、他のテザーエンド１５１４ｂにおける変換回路によって光子ストリームに変換された電気信号に変換する。同様の変換は、テザーエンド１５１４ｂからテザーエンド１５１４ａへとは反対の方向に行うことができる。
【０１１１】
別の実施形態では、テザー１５１０ａは、上述の変換回路が必要とされないようにコード１５１８Ａの全長を通る光路を含むことができる。図１５Ｅは、ヘッド１５１４ｃの表面１５２２ｂが光ファイバ１５２４を含むヘッド１５１４ｃの前面または背面の側面図である。図１５Ｅは、７個の光ファイバの束を示し、ヘッド１５１４ｃは、より多いかまたは少ないファイバを含むことができる。
【０１１２】
実施形態では、カード１００およびシステム１は、カードのクローニングを可能にする。カード対カードのクローニングは、図９Ｂ，図９Ｃに示すカードを考慮することによって理解することができ、例えば、一枚のカード１００ｄが、クローン化されるべきカード、または「元の」カードであり、そして、他のカード１００ｃは、本開示に従うデスティネーションカードである。図１６Ａおよび図１６Ｂは、カード１００を用いてクローニングすることができる例示的な従来カードを示す図である。図１６Ａに示すように、従来カード１６００の第１主表面１６０１は、運転免許証、ライセンシーの画像１６０２、ライセンシーの指紋の画像１６０４、ライセンシーの小さい画像１６０６、網膜スキャンの画像１６０８、ならびに、識別情報、有効期限、透かしおよび／またはホログラム（図示せず）のような他の情報および画像、の表示を含む。図１６Ｂは、磁気ストライプ１６１２、バーコード（図示せず）および典型的にライセンスの裏側に見られるその他の情報を含めることができる従来カード１６００の第２の主表面１６１０の図である。図１６Ａおよび図１６Ｂを示したが、もちろん、本開示に従うカード１００およびシステム１を用いてクローニングすることができるカードの無制限とも思える種類の１タイプを示している。「クローン可能な」カードの種類は、クレジットカード、銀行カード、名刺、仲介カード、セキュアなＩＤカード、エントリーカード、およびその他を含む。別の例として、社会保障カードは、カード１００に項目が格納されるか、またはカードにアクセス可能な項目の中である可能性があり、それにより、カード１００およびシステム１は、セキュアなストレージ、および公式シングルまたはマルチ識別カードまたは表示可能情報の表示手段として機能することができる。見て分かるとおり、カード１００およびシステム１は、ユーザのために、識別情報のような、ポジティブで、確実で、信頼性があり、かつ暗号化された情報を提供することができる。
【０１１３】
図１６Ｃは、カード１００および従来カード１６００間で行われるクローニングの動作を説明するための図である。カード１００は、フルサイズのクレジットカードに適合し、カード間の矢印で示すように、第１の主表面１６０１に対向するカード１００の主表面１０１（または主表面１０２）の光検出ユニット１２６または第２の光検出ユニットを使用して、カード１６００の表面１６０１上に存在するすべての、アート、テキスト、グラフィックス、画像およびホログラム等を捕捉することが可能である。第１の主表面１６０１の情報を捕捉した後、カード１６００は反転され、プロセスは第２の主表面１６１０の情報を捕捉するために繰り返される。カード１６００のキャプチャされた情報は、カードおよび／またはサーバ２００（図１参照）に格納することができる、例えば、カード１００のメモリ１１４または取引／ＩＤ／アクセスカード管理部２３４によってアクセス可能なデータベース２５０に格納することができる。選択された場合には、カード１６００の主表面１６０１，１６１０の捕捉画像は、鏡画像補正して表示することができ、そして、鏡画像補正と同時に表示することができ、それにより、結果が、アナログ従来カードのデジタルクローンとなる。いくつかの従来のカードは、カードのただ１つのサイドの捕捉を必要とされ得ることが理解されるべきである。この状況では、カード１００の実施形態は、カード１００のただ１つの主表面１０１または１０２、または捕捉された同じカード片面画像を表示可能なカード１００の主表面１０１および１０２の両方上に、捕捉されたカード片面画像を表示するように構成されることができる。
【０１１４】
クローニングの間における通信またはハンドシェイクに使用される磁気ストライプ（または磁性層）は、スタックから偽造デバイスを遠ざけることを助ける。言い換えれば、ディスプレイの閉じ込め、および磁気ストライプの組み合わせは、公共の敵が、完全な偽造デバイスを作製すること無しで、そのミックスに入り込むことを非常に困難にする。本明細書に開示された独自の暗号化の組み合わせが無ければ、偽造が、第２段のハンドシェイクのために、ハンドシェイク、および全表面の部分を使用したその磁気ストライプまたは磁気画像の設定を求められた場合、それは失敗する。また、送受信時の暗号化を含むデータ処理における典型的な基準がある。本明細書に開示されたカード１００およびシステム１は、いくつかの実施形態では、接続の初期化、および単に最初のハンドシェイクを強調する。これらのステップは、カード１００に含まれる各圧電素子に関して、カード１００の両側の表面全体にわたって、音出力および音入力の聴覚３次機能を付加することの、本明細書を通して記載された聴覚の実施形態を組み込むことができる。
【０１１５】
別の実施形態では、カード１００およびシステム１を用いて、医療保険または他の医療製品のサービスに関連するカードをエミュレートするか、またはクローニングすることができる。この場合、医療カードが、任意のストライプを持たないが、ストライプがおそらくカードの裏面上にある位置において、代わりにバーまたはＱｒコード等を含むだろう。両側を撮影する必要がある場合は特に、そのようなカードのエミュレーションが正しく表示されない可能性がある。典型的には、このようなカードは、磁気ストライプ機器が使用できず、それにも関わらず本質的な画像の光学的捕捉が行われる病院環境または小規模オフィスにおける医療サポート担当者によって読み取られる。
【０１１６】
そのような医療関連のカードは、さらに多くの場合において、クローン化が要求される。米国では、一人が主にカードの所有者であり、多くの他の者がそれらを携行することを要求されるかもしれないが、例えば、健康保険は、多くの場合、任意の所与の世帯のように、雇用にリンクされている。
【０１１７】
医療カードの場合におけるセキュアな取引の利点は、カードユーザが許可されていることを確認するだけでなく、医療ミスを回避する場合も含まれる。実施形態では、手術がスケジュールされた麻酔をかけた人、または既知の状態を持っている事故の犠牲者の場合のように、無意識または応答しない場合であっても、特定の手順または診断は、特定の人にセキュアに関連付けられてもよい。そのような場合には、指紋等の人の生体認証が容易に、まだ利用可能にすることができる。このように、正しい人の正しい肢に対する正しい手術が、例えば、適用されているかを、手術室に向かう途中で検証することができ、そして、同じカードはまだ、診断の関連情報のすべて、理学療法、アレルギーおよび処方箋等のような二次医療の規定を含み続けることができる。このようにしてセキュアに追跡された人は、情報のトラックを失うことを恐れることが無く、潜在的に間際で別の施設へ移動され得る。当然のことながら、他の保存されたカードと完全に同一の仮想カードはまた、医療待合室で、治療成功率および他の詳細を交渉するために、または、手続きが進行中である間、単に継続パーキングを無線で支払うために単にアレンジするために、または適切な購入を行うために、積極的なユーザによって使用される。他で述べたように、デバイスが、病院に対する価値の目的を果たすことができるので、患者がそのような環境下での携帯電話に知られている方法で過度に干渉しないように、患者が当該デバイスを使用できるようにするために、その同じ病院にとってインセンティブが存在する。病院は、所望または必要に応じて、当該デバイスの使用を制限する権限をさらに有していてもよい。
【０１１８】
技術の進歩が進化するにつれ、カードは、測定単位（例えば、平方インチ）ごとのより多くの画素密度（発光、受光、磁気出力、および/または磁気入力）を持つことになる。そのように、新しいカードは、常に古いものからデータを入力する。２つのカードの画素密度が異なる図１７に示す２つのカードを考慮することによって理解されるかもしれないように、画素密度の増加は、位置ずれを防止するために整列させる方法についての知識のみを必要とするので、基本的なカード対カードの通信のための互換性（すなわち、フェイスツーフェイス）が保証される。図１７に示すように、本開示に従う古いカード１００は、Ｘ×Ｙの画素密度を持つことができ、カード１００’のより暗い陰影で示すように、新しい「次世代」カード１００’は、例えば、１０Ｘ×１０Ｙの画素密度を持つことができる。新しいカード１０１’は、ブロック内の配列の割り当てにより、互換性のあるデータ転送のために自動プログラムされる。例えば、図１７Ｂに示すように、カード１００の１つの画素は、カード１００’の１００個の画素に変換することができる。
【０１１９】
このように、本開示は、すべてのＰＯＳおよびインターネットのマーケティング機能を維持しながら、ユーザに、他のソリューションの代わりに、最大の双方向ディスプレイを持つこの特定のフォームファクタを採用するインセンティブを与えるデバイスを提供する。
【０１２０】
これは、技術が進化するにつれてカードがそのスループットを１００倍に増加することを可能にし、かつ、まだ古いカードと完全に通信することを可能にする唯一の技術の１つを表すだろう。データ送受信手段のアーキテクチャは、変更する必要が無く、密度が変わる（個々の画素の発光または個々の光検出（例えば、ＣＣＤ）収集アルゴリズムを変更することが望まれるようなときまで、そして、その後でも、古い方法はまだ自動的にサポートされることができる）。密度がカード１００の表面にわたってこれまで高く成長するにつれて、人間の目が検出できないような、目に見えない透かし、イメージを損なわない画素、の存在を増加させる可能性がより高くなる。しかしながら、高度なソフトウェアは、画像の一意の識別子を提供することが意図された各画素、および透かしなどの認証方法を検出することができる。この方法を達成する一つの方法は、透かしを表す画素に対して高度に特異的である周波数を使用することである。もう一つの方法は、画像が正しくラスタライズされたときに、どの画素が人間が見ることに意図されており、どの画素が画像以上のものとして解釈されるべきであり、透かしを形成しているかを知ることである。
【０１２１】
図１に戻って、サーバ２００によって実行される機能について説明する。サーバ２００は、プロセッサ２２８と、複数の機能ユニットと、システム１の私達の様々な機能を実行するためのデータベース２５０とを含む。機能ユニットは、カード／ユーザ認証部２３０と、値解析部２３２と、取引／ＩＤ／アクセスカード管理部２３４と、カードの使用、パターンおよびカード１００およびユーザに関する他の履歴情報を監視するトラッキング部２３６と、様々なデバイスとのカード１００のドッキングを管理するドッキング部２３８と、カード１００によって処理されないデータ交換機能を管理するデータ交換部２４０とを含む。なお、サーバ２００の実施形態は、追加のまたはより少数の機能ユニットを含むことができる。
【０１２２】
カード／ユーザ認証部２３０は、識別、ログイン、ログアウト、および関連するセキュリティ機能に関連するプロセスを処理する。実施形態では、カード／ユーザ認証部２３０は、本質的に完全な確信を持ってユーザを一意に識別し、識別されたユーザをカードにログインさせ、かつカードをサポートするサービスのための、多数であり得、順序指定で実行されることができる、カードの認証部１４２を介して、カードユーザから生体読み取り値の系列をとることを含む、ユーザによる「ハードログイン」を要求することができる。ユーザが望むかまたはシステム要件として、これは典型的に、例えば一日一回のイベントとして、周期的となる可能性があり、一方、カードのさらなる使用（各実際の使用）はまだ、最小の偶発的な生体ログイン、例えば、セキュリティ面で追加するために、ハードログインと比べた「ソフトログイン」を要求するかもしれない。ユーザがカードを落とすかまたはそれを失ったイベントからの経過時間、ユーザが運ぶ他のドッキングされた要素によって検出されるようなカードに対する近接（距離）、または失敗したソフトログイン試行の所定回数に基づいて、カードは、一部または完全にログアウトして、カードの機能を回復するためにログイン手順の最大量を必要とする完全にセキュアなモードに入る。
【０１２３】
実施形態では、カード１００のログインは、コンピュータおよび電子機器の画面に移動することができる、ここで、ユーザがカード１００にハードログインすると、ハードログ期間中（例えば、１日以後）におけるマシンへのログインは、コンピュータまたはその他の電子機器の画面にカードをスワイプするかまたは保持することで達成することができ、いつ、どこに、が指定される（例えば、コンピュータまたは他のデバイスの大きな画面が、ログまたはその他のデータ転送のためにあなたのカードをどこに配置するかを伝えることができる）。そのように、ユーザが識別されていることの、カードからの保証およびカードをサポートしているサービスからの保証は、複雑で時間のかかるステップの連続ではなく、簡単なステップでパスすることができる。ユーザは、おそらく１日１回、複雑なロギングステップをとり、そして、短いログの形式（少ない生体認証）に対して、これらの複雑なロギングステップが再び要求されるまでの保持される時間の長さ、または、複雑なロギングステップを要求するカードおよびサービスをユーザが望む取引のサイズまたはタイプを設定する。その後、ネットワークを横断するときに提示されるような機械を通してサービスにログインすることが、廃止されたＣＡＰＣＨＡ（登録商標）（Completely Automated Public Turing test to tell Computers and Humans Apart）のようなログインテストを満足するか交換する程度であっても、カードのハードおよびソフトロギング機能を用いて達成することができる。実施形態では、カードは、実質的にほぼリアルタイムまたはリアルタイムで、任意の取引のために使用されるので、カード／ユーザ認証部２３０は、カードの認証部１４２を介したユーザからの生体読み取り値のうちの少なくとも１つ、好ましくは２つ以上の形態をカードにとらせることができ、また、個人情報の盗難または詐欺の他のフォームからユーザを守るために、肯定（確認）生体データが、カードの読み取りまたは書き込みの数秒以内などの、時間の所定の最小値以内に存在しない場合にカードをシャットダウンし、取引を停止することができる。取引に必要な生体のレベルまたは階層は、システム１によって設定されることができ、および／または、カードユーザの好み、またはシステム１およびカードユーザの両方の組み合わせとして設定されることができる。例えば、ユーザは、システム１によって設定される生体読み取りの階層よりも、少なくとも１種類以上の生体読み取り値を必要とする階層を設定することができる。
【０１２４】
見て分かるとおり、本明細書に開示されたカードおよびシステムは、より少ない頻度で実行されるヘビーログイン手順、および例えば各取引と同じ頻度等、より多い頻度で実行されるより軽いログイン手順を通して、安全性の高いカード１００の使用およびその機能のすべてを可能にする。ヘビーログイン手順は、時間はかかるものの、その後、ユーザが再び所定の時間内にライトログイン手順でカードを使用しない場合を除き、または近接アラームまたはその他のアラーム（例えば、改ざんアラームなど）が通報され、ヘビーログイン手順を再びとることを強制される場合を除き、デバイスがシステム１から完全なログオフを行わないという事実を活用する。すべての手順は、高精細な指紋の読み出しのように、暗号化して複雑なものとすることができるので、よりヘビーなログイン手順の存在なしに取引ごとのライトログイン手順を単に要求することと比較して、ユーザに保護のかなり大きい程度を提供するこれらの特定の条件下で、ヘビーログイン手順は一日を通して続く。
【０１２５】
実施形態では、オブジェクトのキルリアン検査は、カードの認証部１４２および／またはサーバ２００のカー／ユーザ認証部１４２によって扱われる生体ログイン機能に追加することができる。この実施形態では、カード１００は、認証部１４２および／またはカード／ユーザ認証部２３０とともに、ビデオ、および、静止画像、オブジェクトのキルリアンフィールドもしくはオブジェクトの磁場または両方とのマッピングの程度まで、指などのオブジェクトのスペクトルを密接に調べることができる、ＣＣＤ（charged coupled device）、または光読み取り要素および磁気読み取り要素を提供することができる。すなわち、スチールショットの精密検査を行う、例えば、撮影された順序および時間差でのショットの比較分析、および、オブジェクトのキルリアンフィールドのビデオフレーム、もしくは磁場、またはその両方の精密検査を行うことにより、認証部１４２またはカード／ユーザ認証部２３０は、そのオブジェクトについての結論を引き出すことができる。そのような決定の１つは、生きている哺乳動物の毛細血管の働きおよび心拍によるパルスの存在である。別の決定は、指紋またはユーザの指のキルリアンフィールドの分析である。別の決定は、単に指紋のように個体ごとにユニークな毛管系内のマイクロパルスの配置であり、また、マイクロパルス、毛管系および指紋のオーバーレイ地図は個体ごとに同じようにユニークである。毛細管パターンのように、他のメトリックとこれらのタイプのデータとを組み合わせることにより、ログイン機能は、データのこの組み合わせを取ることができ、パス（または拒否／失敗）の閾値が満たされているかどうかを決定するためにそれを処理することができる。
【０１２６】
値解析部２３２は、カットする、運ぶ、またはスキャン入力、購入し、その後、クーポンおよびその他の割引コードを運ぶ等の、ユーザに通常関連付けられたタスクを実行することができ、また、オファーがローカルに使用できるかどうかを判断することができる。実施形態では、例えば、近隣の店舗において、ユーザが所与の位置にあるときに、値解析部２３２は、カード１００のロケーション部１４４により生成された位置情報を利用することができ、ローカルな取引または他のオファーを決定するためのネットワーク２１０を検索し、手元の取引、または、彼／彼女が引き受ける程度のものであるとユーザが示す取引に関連するような他の機会をユーザに警告するために、カード１００へのメッセージを生成し、通信する。従って、ユーザは、ショッピング、ならびに商品およびサービスを購入する過程にありながら、周辺地域で利用可能な任意のお得な取引に関連する詳細を知ることを維持することができる。実施形態では、値解析部２３２は、作られる過程での取引に関連したオファーまたは機会をユーザに通知することができるが、まだ確定されたものではなく、必ずしもユーザの地理的位置、またはレンガおよびモルタルの会場内にローカルされない。
【０１２７】
実施形態は、値解析部２３２、または代わりにカード１００内のサービスは、カードをサポートするサービスの一部として、不要な広告とみなされるものを広範囲にフィルタリングしながら、販売者またはブローカーによって提供される特定の情報を受け入れる意欲を示すようにユーザが設定可能な、多数のフィルタ、前提条件または好みを提供することができる。
【０１２８】
開示されたカードおよびシステムは、ユーザが所望する情報の内容のパーソナライズについてシンプルで幅広い合意を可能にする。例えば、カードユーザが希望リストを作成するか、またはリスト上のアイテムが８０％以上オフであることをシステム１から聞いた場合、そのユーザは、彼／彼女の基準を満たしているオブジェクトが利用可能であり、合理的な近傍内にあることをカード１００を介して警告されることができ、この近接は、さらに、ユーザが問題のアイテムまでの距離かもしれないフィルタとして設定することができる別の要因である。
【０１２９】
システム１は、このモバイルデバイスがこの容量で行動できるように、ＰＯＳステーションを配布し、分散させることができる。
【０１３０】
サーバ２００の取引／ＩＤ／アクセスカード管理部２３４は、カード１００のクレジットカード機能（例えば、クレジットカード機能の管理）を実行する。実施形態では、カード１００は、クレジットカードおよびその他の従来の組み込みカードスワイプまたは読み取り機構に互換性がある全体的な構造を有することができる。カード１００は、このように、どのような「磁気スワイプ」または任意の従来スロットタイプの挿入型磁気リーダに直ちに互換するように、磁気スワイプの古い技術にアクセスすることができる。ディスプレイがあるので、境界線の多くは、「無境界」となる。例えば、単に、おそらく最後の４桁のみなど、クレジットカード番号を表示する必要がなくなる。ユーザがカードの機能を選択した場合、彼はガードとして、必要に応じて、必要なときに、すべての情報を見ることができる。カードの１つの使用は、対向するように、対面の最初のスキャンで、その後、ディスプレイにより、すべてのハードカードをエミュレートすることができることを、心に留めておく。
【０１３１】
カード１００およびシステム１の実施形態は、通信部１１８およびネットワーク２１０を介して、保留中の購入におけるアイテム（例えば、商品、サービス、レンタル、または金融取引に関連するその他のアイテム）、またはユーザが購入の過程で考慮するかもしれないアイテムに関連するマイニングデータによりネットワーク上のサーバのコンテンツへの自動的なアクセスを可能にし、そして、サーバ２００から単に情報を取るよりもむしろ、以前の情報に追加される情報をサーバ２００に提供することができ、ネットワーク２１０上の別のエンドポイントへ情報をリダイレクトするか、または単にサーバ２００の支援を受けてある場所から別の場所へ情報をリダイレクトする。これは、ユーザが、時間をかけて会場を横断し、アイテムの買物をし、それらをスキャンして、単にサーバ２００の中で処理されている販売の請求書の集計および支払い方法として、取引の処理、ならびに任意の特典、割引およびクーポンの収集の処理が自動的に発生するようにサーバ２００を更新することを可能にするのに役立ち、それにより、ユーザが最終的なチェックアウトのために会場出口に到着したときに、販売の前処理された請求書、および一つのマスター取引として意図されたすべての取引が完了として提示されることができる。集計は、ユーザ、または（例えばユーザの後ろのラインにおける）キューで待機している他の常連客にとって気付かない遅延で発生することができる。これはまた、カード１００自体ではｘのメモリ容量のみを有するかもしれないが、この方法により、ｘの１００万倍の程度にまで、指数関数的に大きい、ｘよりもはるかに大きい容量が、カード１００によって指示され、制御され得ることを意味する。ある意味では、カード１００は、例えば、データベース２５０およびカードのサービスバックにおいて、サーバ２００におけるカード１００に利用可能なストレージ容量によってのみ制限される、ほぼ無制限のストレージ容量を有する高度なメモリスティックとして機能することができる。
【０１３２】
例示的な取引のアプリケーションでは、カード１００は、アイテムをスキャンし、アイテムを識別し、サーバ２００と通信するために使用される。サーバの値解析部２３２は、（１）オンライン会場は、現在の会場に比べてアイテムのためのより良い価格およびその他のより良い値を持っていることをユーザに警告し、オンライン会場での購入を容易にすることができる、（２）アイテムは、例えば、ロケーション部１４４からの位置情報を使用して、ユーザの位置に近い場所である別の場所で、低価格で利用可能であることをユーザに警告する、または（３）アイテム価格は許容される価格、値解析部２３２によって決定されるように、そして、ユーザは、アイテムを保持するか、または棚に戻す（第２のスキャンまたはカード上の他のアクションが、「元に戻す」のステータスを更新することができる）ことを決定する。これは、ユーザがカード１００の使用を考慮したアイテムごとに繰り返されることができ、カード１００を使用し、アイテムがスキャンされ、「元に戻す」ことなくユーザのカートに残る（実在のカートまたは仮想カートとすることができる）。カード１００は、保持する各アイテム（すなわちカート内）のリストを保持し、値解析部２３２を介して当該リストをサーバ２００へ転送する。チェックアウトまで、値解析部は、維持する各アイテムに関連するすべての利用可能な特典を検索し続けることができる。サーバ２００は、ネットワーク２１０を介してＰＯＳシステムに、カート内のすべてのアイテムを渡すことができるが、チェックアウト時に、カード１００は、保持されるアイテムのリストを電子的に会場のＰＯＳシステムに渡す。自動化された実施形態では、サーバ２００は、リストおよびすべての集められた関連する特典をＰＯＳシステムへ転送し、ＰＯＳシステムは、価格とともに特典を解決し、ユーザの口座に請求する。別の実施形態では、ＰＯＳシステムは、サーバ２００によって実行されるいくつかまたはすべての機能を扱うことができる。従来システムまたは自動精算および特典の解決に参加しないシステムでは、カード１００は、ＰＯＳシステムにおいてユーザが交換することができるクーポンまたは同様のアイテムのためのバーコードの画像をユーザに提示することができる。支払いまたは支払い前において、値解析部２３２または取引／ＩＤ／アクセスカード管理部２３４は、ユーザがディスプレイジェスチャ認識を介して選択できる支払い方法カードを自動的に選択することができ、その後、カードはカードを表示するか、または（好みに応じて、例えば）最後に使用されたカードが表示されることができ、カード１００はまた、選択した支払方法に関連する磁気出力データを表示する。ユーザは、支払方法を選択および表示し、署名を提供するカード１００をスワイプすることにより、クローズするか、または取引カードを完了することができる。
【０１３３】
ポスト取引、値解析部２３２は、例えば、カード１００の使用に関連する条件に同意したＸＸＸＣｒｅｄｉｔＣｏｒｐを選択していることができる。サーバ２００は、各アイテムの再支払いが異なるか、またはそこに格納されたカードに関連する取引／ＩＤ／アクセスカード管理部２３４における情報に基づいて、複数の支払い方法によって１つの個々のアイテムのために支払う、価格保護の保証として限定された日にクーポンまたは他の特典を私たちに適用する、リベートの申請に関連する情報を提供して延長保証を確保する、契約とともに含まれるその他のポスト取引の条件、のために、ポスト取引の再アドレスを当該取引にすることができる。ポスト取引のアクションは、優先ベースで、またはシステム１によって予め設定されることができる。「ベストバリュー」は、本明細書では、クーポンからの割引、ならびに、特売、プロモーションおよび景品等からの価格の低下を示すために使用されるが、これらに限定されるものではない。
【０１３４】
多くの機能、ならびに本開示のユーザカードおよびシステムの他の態様は、コンピュータシステムの構成要素、またはプログラムされた命令を実行可能な他のハードウェアとすることが可能なプロセッサまたはコントローラによって実行される動作シーケンスの観点から説明されており、例えば、汎用コンピュータ、パーソナルコンピュータ（ＰＣ）、専用コンピュータ、ワークステーション、パーソナル通信システム（ＰＣＳ）、モバイル（携帯）電話、データ処理能力を有する携帯電話、ＲＦＩＤ受信機、ゲーム機、電子ノートパッド、ラップトップコンピュータ、全地球測位システム（ＧＰＳ）受信機、または他のプログラマブルデータ処理装置である。各実施の形態において、専用回路（例えば、相互接続されたディスクリートの論理ゲートは特殊な機能を実行する）、論理ブロック、一つ以上のプロセッサ（例えば、１または複数のマイクロプロセッサ、マイクロコントローラ、中央処理装置（ＣＰＵ）、特定用途向け集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールドプログラマブルゲートアレイ（ＦＰＧＡ）、および本明細書に記載の機能を実行するように設計された他のデバイス）によって実行されるプログラムモジュール等のプログラム命令（ソフトウェア）、および／または上記のいずれかの組み合わせによって、様々な動作が実行され得ることが認識されるであろう。例えば、実施形態は、ハードウェア、ソフトウェア、ファームウェア、ミドルウェア、マイクロコード、またはそれらの任意の組合せで実施することができる。命令は、必要なタスクを実行するプログラムコードまたはコードセグメントであることができ、記憶媒体または他のストレージのような非一過性の機械可読媒体に格納することができる。コードセグメントは、プロシージャ、関数、サブプログラム、プログラム、ルーチン、サブルーチン、モジュール、ソフトウェアパッケージ、クラス、または、命令、データ構造もしくはプログラム文の任意の組み合わせを表してもよい。コードセグメントは、情報、データ、引数、パラメータ、またはメモリ内容を付与および／または受信することによって、別のコードセグメントまたはハードウェア回路に結合することができる。
【０１３５】
送信機、受信機、送信部、受信部、トランシーバ等、カードの通信部１１８の回路および他のハードウェアは、例えば、ＷＷＡＮ、ＷＬＡＮおよびＷＰＡＮなどのような様々な無線通信ネットワークを使用することによって、機能性を提供することができる。ネットワークおよびシステムの用語は、多くの場合、本明細書において互換的に使用される。ＷＷＡＮは、ＣＤＭＡネットワーク、ＴＤＭＡネットワーク、ＦＤＭＡネットワーク、ＯＦＤＭＡネットワーク、およびＳＣ−ＦＤＭＡネットワーク等であってもよい。ＣＤＭＡネットワークは、ＣＤＭＡ２０００および広帯域ＣＤＭＡ（Ｗ−ＣＤＭＡ）等、１つ以上の無線アクセス技術（ＲＡＴ）を実装することができる。ＣＤＭＡ２０００は、ＩＳ−９５、ＩＳ−２０００およびＩＳ−８５６規格を含む。ＴＤＭＡネットワークは、ＧＳＭ、デジタルアドバンスト電話システム（Ｄ−ＡＭＰＳ）、または何らかの他のＲＡＴを実装することができる。ＧＳＭおよびＷ−ＣＤＭＡは、「第３世代パートナーシッププロジェクト」（３ＧＰＰ）という名称のコンソーシアムからの文書に記載されている。ＣＤＭＡ２０００は、「第３世代パートナーシッププロジェクト２」（３ＧＰＰ２）という名称のコンソーシアムからの文書に記載されている。ＷＬＡＮはＩＥＥＥ８０２．１１ネットワークであってもよく、ＷＰＡＮはブルートゥースネットワーク、ＩＥＥＥ８０２．１５ｘ、または他のタイプのネットワークであってもよく、ＣＤＭＡは、ユニバーサル地上無線アクセス（ＵＴＲＡ）またはＣＤＭＡ２０００などの無線技術として実装されてもよく、ＴＤＭＡは、ＧＳＭ／汎用パケット無線サービス（ＧＰＲＳ）／ＧＳＭエボリューション用の拡張データレート（ＥＤＧＥ）のような無線技術として実装されてもよい。ＯＦＤＭＡは、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、およびＥ−ＵＴＲＡ（進化型ＵＴＲＡ）などの無線技術によって実装されてもよい。技術はまた、ＷＷＡＮ、ＷＬＡＮおよび／またはＷＰＡＮの任意の組合せのために使用することができる。技術は、ウルトラモバイルブロードバンド（ＵＭＢ）ネットワーク、高速パケットデータ（ＨＲＰＤ）ネットワーク、ＣＤＭＡ２０００  １Ｘネットワーク、ＧＳＭ、ロングタームエボリューション（ＬＴＥ）、および／または同種のもので使用するために実装することができる。
【０１３６】
実施形態では、ＱＥＤ（量子もつれ装置）デバイスは、システム１およびカード１００のセキュリティに追加される、システム１およびカード１００内における量子コンピューティングおよび量子通信の混在に導入することができる。ある時点で、ＱＥＤ生成および検出画素を、カード１００の一方の側、カード１００の両側、および／またはカード１００のすべての表面に装備することが可能であろう。ＱＥＤの機能を組み込む販売システムのポイントにおいて、かつ公共量子もつれネットワークが確立されると、システム１とカード１００の様々な方法および機能のすべては、通信が完全にセキュアになる程度に増強されるだろう。実施形態において、スキャンされるアイテムは、量子もつれトラップに保存されている既知のもつれ粒子に嵌合されている光子、電子または他の粒子とすることができる量子もつれ粒子を含むことができ、このアイテムには、他のカード、または、サービス契約もしくはウェブサイトなどの店もしくは無形資産のアイテムなどの有形のアイテムを含めることができる。この進化により、量子もつれ粒子が付いているアイテムは、その真偽、その歴史について識別され、そのアイテムの一意のインスタンスまで識別することができる。
【０１３７】
本明細書で使用する場合、用語「メモリ」は、長期、短期、揮発性、不揮発性、または他のメモリかどうかに関わらず、非一時的な機械可読媒体の任意のタイプを指し、そして、任意の特定のタイプのメモリ、メモリの数、またはメモリが記憶された媒体の種類に限定されるものではない。システムメモリ１１４およびデータベース２５０として本明細書に記載されるメモリは、追加的に、固体メモリ、磁気ディスク、ならびに、プログラムモジュールおよび本明細書に記載のプロセスをプロセッサに実行させるであろうデータ構造等のコンピュータ命令の適切なセットを含む光ディスクのような、コンピュータ可読キャリアの任意の有形フォーム内で具体化されると考えることができる。コンピュータ可読媒体は、以下を含むことができる。すなわち、１つ以上のワイヤを有する電気接続、磁気ディスク、ストレージ、磁気カセット、磁気テープまたは他の磁気および光記憶デバイス（例えば、コンパクトディスク（ＣＤ）、レーザーディスク（登録商標）、デジタル多用途ディスク（ＤＶＤ）、フロッピー（登録商標）ディスク、およびブルーレイディスク）、ポータブルコンピュータディスケット、ランダムアクセスメモリ（ＲＡＭ）、読み出し専用メモリ（ＲＯＭ）、消去およびプログラム可能リードオンリーメモリ（例えば、ＥＰＲＯＭ、ＥＥＰＲＯＭ、またはフラッシュメモリ）、または情報および上記の組み合わせを記憶することができる任意の他の有形の媒体である。メモリはまた、通信部１１８の送信機によって送信される送信データを当該データが送信されるまで保持し、また、通信部１１８の受信機によって受信された受信データを当該受信データが処理されるまで保持するバッファメモリを含むことができる。図２は、別個またはプロセッサもしくはコントローラ１１０の外部にあるメモリ１１４を示しており、メモリは、プロセッサ、コントローラ１１０または他の処理ユニット内に実装されてもよい。
【０１３８】
実施形態では、カード１００は、標準的なスワイプカードのクレジットカードフォームファクタ、サイズ、形状および厚さを有し、プロセッサ１１０は、好ましくは、カード・オペレーティングシステム（ＣＯＳ）を介してカードアプリケーションに割り当てられたメモリ１１４に格納されたファイルを管理するマイクロプロセッサまたはマイクロコントローラチップであり、これらの機能を実行するためのメモリは、好ましくは不揮発性（例えば、ＥＥＰＲＯＭまたはフラッシュ）、および揮発性（例えば、ＲＯＭ）固体デバイスの組み合わせである。実施形態では、カード１００に使用されるＣＯＳの種類は、開発者が、構築、テスト、およびカードアプリケーション上に異なるようにセキュアに展開することを可能にする動的アプリケーションカードのオペレーティングシステムである。カードのメモリはまた、磁気的に情報を格納する少なくとも一つのプログラム可能な磁気ストライプを含む。
【０１３９】
また、本開示のシステムは、特定の機能を実行する種々のモジュールおよび／またはユニットを有するものとして、本明細書で示されかつ説明されることに留意すべきである。これらのモジュールおよびユニットは、明確にする目的のためにそれらの機能に基づいて単に概略的に示されており、必ずしも特定のハードウェアおよび／またはソフトウェアを表すものではないことを理解すべきである。この点で、これらのモジュール、ユニットおよび他の構成要素は、本明細書で説明したそれらの特定の機能を実質的に実行するために実装されたハードウェアおよび／またはソフトウェアとすることができる。異なるコンポーネントの様々な機能が組み合わされることができ、または任意の方法でハードウェアおよび／またはソフトウェアモジュールとして分離されることができ、また、別々にまたは組み合わせて有用であることができる。このように、本開示の様々な態様は、多くの異なる形態で実施することができ、すべてのそのような形態は、本開示の範囲内にあると考えられる。
【０１４０】
随意に完全なＰＣの機能を具備したカード１００の双方向ディスプレイは、最大解像度表示を可能にするストライプとして機能するように、例えば、そうでなければ見えない透かしまたはホログラムを視認するように、即座にプログラムすることができる非視認磁性層を有し、同時に、従来の磁気ストライプリーダまたは同等にセキュアな光学的金融取引のいずれかで汎用性の高いクレジットカードフォームファクタの機能性を提供する。
【０１４１】
ディスプレイは、多くの用途を有する。ディスプレイは出力デバイスであるので、磁気スワイプを増強するために使用することができる。ＩＤ目的で、それだけでなく、手元の取引に関係する他の機会、もしくは彼／彼女が引き受ける程度のものであると示されている取引をユーザに警告するためであり、または、彼もしくは彼女がその権利を有する、任意の取引の完全な詳細情報を取得するためである。
【０１４２】
現在のＶＶＬＳＩ、画素またはＣＣＤに関する技術と同様に、我々は、増加した密度、より低い消費電力および廃棄物を継続して見るためのミッションに着手している。ＨＤテレビは、一例に過ぎず、しかしながら、人間の目に有用であるものを超えた密度のメリットがある。これらの超高密度は、内部でひそかに仲裁することは困難である、カード対カード、およびカード対デバイス（カード１００と同様の技術を搭載する）の通信経路を得る。任意の画素タイプ、音、光、磁気または他の、より高い密度の組み合わせ、ならびに、ハンドシェイクのためのこれらのタイプの混合、各プロトコル内での暗号化、その後、データを送受信するための経路の使用、トロイの木馬信号の出力に多くの経路を使用することは、カード対カードおよびカード対デバイスのセキュリティを非常に高レベルに引き締め、公共の敵は、同じかまたはより良い技術を有している必要があるであろうだけでなく、彼らは二枚のカードの間またはカードからデバイスへの間に物理的に入り込む必要があり、その後、どの信号が実際のものなのかトロイの木馬のものなのかを検出し、その後、光、音、および／または磁気などの複数のプロトコル全体にわたって暗号を解読する必要がある。また、本開示は、２つのカードまたはカードからデバイスへの通信に限定されるものではないが、この技術が完全に統合された他のデバイスと通信する、この技術が完全に統合された任意のデバイスに適用可能である。常に、スーパーコンピュータで、信号を解釈および復号化するために要する時間を提供する見込みおよび計算がある。しかしながら、この場合には、公共の敵は、その後に何を処理すべきかを知るために、可能性のある数十億の経路を解読する必要がある。このとき、本発明者は、通信経路を解読し、秘密裏にデータにアクセスすることは不可能であろうことを確信している。
【０１４３】
また、カードにおけるダーク処理およびダークメモリの使用は、保護のさらに別のレベルを追加することができる。本開示では、ダーク処理およびダークメモリの概念は、クエリ機能が除去されたＶＶＬＳＩ回路を意味する。このように、回路は、データ、プロセス、実行されるソフトウェアおよび出力データを取り込むことができるが、そのトラブルシューティングおよび照会機能は、工場出荷時に削除され、新しいプログラムがアレイに入力されることは許可されず、または、新しいプログラムが入力されることはできるが、検出可能な完全な再燃焼サイクルを介してのみ入力されることができる。ダーク処理およびダークメモリの要素（および、そうでなければ、照会可能な他のすべての支援コンポーネントまたは回路）を組み込むことにより、公共の敵は、本開示に従うカードのうちの与えられた１つの解剖を通して何も得ない。
【０１４４】
オブジェクトを識別するためのオブジェクトの他の特徴を決定するユーザインタフェースおよび装置は、認識または測定するための画像処理とともに、システムで使用することができる。これは、一般的なマシンビジョンアプローチで仮想タッチスクリーンおよびフィンガープリントとともに動作する。
【０１４５】
受光／光検出デバイスである表面全体は、「指紋をスキャンする」の複雑さを取り離し、「指のより多くをスキャンする」すなわち３−Ｄにおけるおそらく指全体（すべての側面を意味する）、の新しい複雑さをもたらす。本開示のカードが指（または、本明細書を通して「指」の単語に含まれる親指）をスキャンするときには、スキャン中に回転するファインダーを必要とすることによって、より特定のＩＤの指全体をスキャンすることができる。カード１００は、運転免許証に取って代わることができる可能性があり、国がお金を節約するためにそのアイデアを採用することができるだろう。国は、ＤＭＶで同じチャージを得て、あなたの写真を取り、しかしながらその後、あなたは電子通信を介して完全なライセンスを取得する。国は、あなたのライセンスのあなたの対面キャプチャを必要とする彼らのＰＯＳ端末において同様の技術を持っている可能性がある。
【０１４６】
このように、本開示は、すべてのＰＯＳおよびインターネットのマーケティング機能を維持しながら、ユーザに、他のソリューションの代わりに、最大の双方向ディスプレイを具備するこの特定のフォームファクタを採用するインセンティブを与えるデバイスを提供する。いくつかの実施形態では、カードは、高度な画像処理技術（例えば、ＤＳＰ（デジタル信号処理））を用いて、内部に撮像画素およびプロセスを通じて検出できる効力によって、実際に触れること無しのタッチスクリーンをエミュレートすることができる。このように、カードユーザが画面をナビゲートして、タッチスクリーンを使用しているかのように表示アイコンおよびファイルの選択を行うことができる。いくつかの実施形態は、検出光（可能な複数の及び／又は非可視）の周波数に基づく正味の加算画像を形成するために、ＣＣＤまたはＣＭＯＳ画素のパッチに光を集め、表面に沿ったレンズ、またはマイクロレンズ配置を提供することができる。カード１００は、網膜スキャン、指紋、または当該カードに対して押し上げられたプラスチックのクレジットカードなどの詳細で近い画像が可能なクレジットカードの表面領域を含む。このようにして撮影した画像は、古いカードをエミュレートするのを助けることができ、それによって古いカードおよびその磁気データの外観を取得するのを助けることができる。ユーザは、その後、安全な場所に古いカードを保存して、再びそれを運ぶ必要はないかもしれない。
【０１４７】
本発明によって想定されるように、このよりスマートなカードは、ベンダのためのツールとして、多くの新しい用途を提供する。例えば、ベンダまたはベンダの代表が、視聴のために容易に利用できない商品の画像を表示したい場合に、対応するバーコードを担当者のスマートカード上に設け、さらなる配置無しで販売が行われることを可能にすることができる。そのような場合には、ＰＯＳおよび買い手の両方のカードは、カードスワイプリーダーの可用性が保証されないので、光メディアを使用してセキュアにやり取りしなければならない。
【０１４８】
このカードは双方向である。それは、データの送信および受信を同時に行うことができる。対面モードにおいて、ほとんどエアギャップ無しで、カードは、侵入するために入る任意の膜を検出するために、日常的に、可視出力および入力だけでなく、その赤外線および紫外線を使用することができる。このように、データは、例えば、カードからＰＯＳ、およびＰＯＳからカードを渡ることができる。カードがドッキングされ、またはワイヤレスアダプタを持っている場合、カードはまた、その接続を介してデータを送受信することができる。ハンドシェイク、ならびに第三者の干渉に難攻不落な接続のように、光学的、磁気的および聴覚的な経路を渡るデータ転送を組み合わせることにより、データは、画面から画面へ送信されるように多数の画素間または画素のバンク間で渡される。ほとんどの画素によって放出された出力および入力の多くはトロイの木馬である可能性があり、さらに公共の敵を誤らせるように意図されている。
【０１４９】
いくつかの実施形態は、段階的に行くために、データ通路および復号化を強制的に含むことができるので、カードが特典において収集し、それらを適用するための時間がある。
【０１５０】
カードは、「アクティブ」に選ばれた当該カードに対応して、意図した「個性」を取ることができ、また、そのディスプレイでそれを示すことができる。ディスプレイはまた、コミュニケーションツールとして役立つことができる。ＰＯＳシステムは、機能が豊富になるので、カードは、例えば、ＰＯＳオペレータに顔画像およびＩＤ情報を渡すことができる。
【０１５１】
それで、ＩＤを求めるために持つよりも、カードは、クレジットカードまたはデビットカードとして倍増する、ＩＤである。画像は暗号化されており、状態のロゴおよび運転免許証情報を運ぶことができ、カード、すなわちＶＩＳＡアカウントおよびユーザの画像が、すべて、同じものにおける一つであることを証明する、例えば、ユーザのカード上の画像が非常に明確に識別できる場合、カードが盗まれることはなく、不正行為から経済への影響を最小限にするために、ユーザのＩＤが取引に渡されることを保証する、状態暗号化された透かしを運ぶ。ＰＯＳシステムは、改善された場合、ユーザの写真を破壊するだろう、このように人が一致する必要があるという考えを強制する。また、ＰＯＳシステムは、独自のＣＣＴＶカメラを組み込み、人の実際の対面画像と、カード１００から単に渡されたものとを比較するだろう。そこでは、自動アラートが、会場、ならびにカード１００の実際のユーザおよび所有者を保護するために作動するだろう。
【０１５２】
補足注意として、カード１００は、両面において放出および収集機能により恵まれており、複数の放出および収集技術の可能性を具備し、磁気および光の少なくとも１つを使用し、従来のリーダを組み込むために戻って到達する、現在の実施形態のために、販売システムの未来のポイントに進化するための、リードおよびライトの技術の機能をより追加することができる、と言えるだろう。例は、ハンドシェイク、データ転送、および絶対に公共の敵を締め出すための、多くのトロイの木馬の信号を発する、フラットベッド型のＰＯＳシステムにおける磁気、光および聴覚の側面を使用することだろう。
【０１５３】
レストランなどのビジネス、材料のストアを構築し、または宅配便を使用するか、顧客とインタフェースする移動従業員に委託することができる。カード１００は、それ自体で携帯型ＰＯＳであることを、この点で補助することができる。例えば、食品テーブルサービス担当者、売り場監督、または配信ワーカは、ストアデータベースからのヘルプ情報を提供するために、顧客からの支払いを受けるために、または単にカジュアルベースで通信するために、無線デバイスを装備することができる。レストランは、従業員が使用するために、本開示において提案されるようなモバイルプラットフォームを提供することができる。同一のプラットフォーム上で実行されている個人および仕事関連のソフトウェア間のログインアカウントなどのバリアを作成するためにケアが取られることができれば、従業員が自分のデバイスを使用する場合、雇用主への節約が生じる可能性がある。従業員がすでにカード１００を持っている場合、その従業員のカード１００は、カードの機能およびその支援サービスとして、レストランのネットワークに自動的に知られる。
【０１５４】
さらに、購入者は、ディスプレイ上ではない従来の仕事について問合せしたい場合がある。取引の正確性の買い手を確保するために、各スライドショーのアイテムに明らかに関連するバーコードとともに、売り手は、例えば、棚卸しで開催される従来のスライドショーを表示することができる。このように、本開示は、特に、その一時的なスタッフが、大規模な投資を必要とせずに事業の円滑な機能に寄与し得る、ＰＯＳの改良された分散化のために用意される。ＰＯＳを分散することは、少なくともこれらの利点を提供する。
【０１５５】
カードは、バーコードよりも多くを読むことができる。それは、実際に商品を見て、ＩＤをそれを助けるか、近い一致を検索するために、任意の他のマークをスキャンすることができる。これは、一般的なマシンビジョンアプローチで仮想タッチスクリーンおよびフィンガープリントとともに機能する。オブジェクトを識別するための、オブジェクトの他の特徴（色、テクスチャなど）を決定するユーザインタフェースおよび装置は、システムで使用することができる。これは、その性質によって、現在のデータ構造より画素化された画像のライブラリーをさらに暗示する２次元または３次元の検索機能を暗示する。より多くの画素が重要である、なぜならば、ソフトウェアはそれらを検出し、検索およびそのようなものにおいて画像を比較し、ますます増加する画素密度によってサポートされる、一意な識別可能画像が存在し得るという考えだからである。ほぼ間違いなく、３次元的に走査され、同じ製造業者によって作られ、並ぶ２つの時計は、平方インチ当たり約１００万×１００万の１００万画素では、あるものを他のものから識別することはできない。しかしながら、平方インチ当たり約１０００億×１０００億の１０００億画素では、問題のアイテムの完全に正確なスキャンで、可視であり、“似た”オブジェクト間で広大な違いがあるだろう、非常にそうなので、平面画像あたり倍率１０００億画素のレベルでは、製造工程において各アイテムに固有のマーキングを残すことにより、これらの１００万のオブジェクトがすぐに一意に識別可能となることが、明らかになるだろう。
【０１５６】
ＰＯＳシステムの改良の一部として、データは、２つのグループに渡されることができる。グループ１は、プリスキャンした場合にあなたが購入しているアイテムである、または、ＰＯＳオペレータは、それらのすべてをスキャンする必要があり、カードは、データの最初の受信でリストを取得する。カードは、リストに基づく任意およびすべての特典のための支援サービスを要求し、それらが適用される。今、支払いが提出される。クーポンおよび支払い方法を転送するために必要なデータバーストは、グループ２を構成する。これらのデータバーストは、１０分の１秒の期間かつ１０分の１秒間隔の必要があるだけである。
【０１５７】
アイテムがすでに一意にコード化されている場合、何もタッチされる必要はなく、あなたのショッピングカートに入れて行くだけである。アイテムコード（例えば、バー、ＯＣＲ、またはＱｒコード）が固有でない場合、あなたのＰＯＳは、さらに、ユーザがボックスに彼または彼女自身を追加することができるか、または、私たちのものは１つのマスターＯＣＲ（バーコード）またはＱｒを表示し、その１つのコードは、すでにその中にあるすべてのアイテムを有するサーバファイルを指している。その意図は、あなたが前に到着する前に、会場のＰＯＳシステムに、対面、またはインターネットもしくは他のネットワークを介してのいずれかで、すべてのデータを与えることである。このように、ユーザのデバイスは、単一のＱｒまたはＯＣＲバーをＰＯＳシステムと相関させること、すなわち、販売システムのあなたの個人的な／ポータブルなポイントがすでに処理に入っている彼らのサーバで、自分のシステムを単一のレコードに指すことが単に必要になるだけである。外部プロセッサがＰＯＳバーコードリーダーに対応し、１つのカードだけが存在する図１６に示すタイミング図を検討することにより理解され得るように、ＰＯＳの待ち時間および処理時間が短縮される。
【０１５８】
統合、暗号化、セキュリティおよび科学捜査の数を含むこのフィードバックループ内では、ユーザの指紋は、このフィードバックループにより、各取引のための状態記録に再確認されることができる。おそらく今日のホログラフィック運転免許証のように見えるディスプレイは（例えば、バージニア州はホログラフィックを使用している）、今、指紋を含んでいる。一般に、身体の任意の部分は、生体認証として「刻み込まれる」ことができ、指の表面全体は、セキュリティの高いフォームのために含めることができる。それは、彼らの時計のスキャンをロギングのステップとして使用するなど、ユーザがその人の持つであろうオブジェクト、または彼らの唇のプリント、または耳のプリントもまた同様である。
【０１５９】
さらに、セキュリティは、ソフトウェアの方法で提供されてもよい。例えば、各カードは２つの側面に３つの異なる要素を有し、全部で６つの基本要素のために：２つのディスプレイ、２つの磁気ストライプ面、および２つのＣＣＤ面である。各々が一意のＩＤを取得するので、あなたが取引の任意のフォームを行う際に、それらの固有のＩＤが渡される。偽造者は確実に取得しないだろう。各要素に永続的に割り当てられた一意の識別子の同じアプリケーションは、その入力および出力の機能のために、圧電が装備された各サイドに適用される。
【０１６０】
現代の適応されたＰＯＳ（システム）において、我々は、インタフェースするための双方向のディスプレイを使用する際に、この要求を行うことができ、また、取引を完了するために、ユーザのプリントのスナップショットを取ることができる。
【０１６１】
ＰＯＳもまた同じスナップショットを持っていながら、その後、監査のために、カードは、サーバにスナップショットを渡す。我々は、イベントの監査および調整を行い、それはあなたであり、レコードが改ざんされていないことを証明する。店のオーナーおよびクレジットカード会社は、ユーザが自分のカードが盗まれ、与えられた購入は「彼らではない」と言ったとき、争うことに少し無力である。
【０１６２】
ディスプレイは、ＩＤとして機能することができる。カードがスキャンされるとき、ＰＯＳオペレータは、ＩＤを確認することができる。取引が意図されているすべての時間において、ユーザは電子ＩＤを見せることができる。適切な暗号化とともにユーザＩＤを増加させると、プラットフォームがより一般的なものになるように、おそらく状態の承認は、ＩＤの古い形式を置き換えることができる。ディスプレイは、運転免許証をエミュレートするように設計されている。クレジットカードのフォームファクタは、一般に認められた規格である。運転免許証は、さらに形状（フォームファクタ）を強調してエミュレートする。
【０１６３】
今日の高速かつ複雑な世界では、ぼやけがセキュリティコマース間で発生し得るかを理解することは容易である。このように、クレジットカードは、取引のために必要とされることができるが、運転免許証またはその他の文書は、さらに、年齢に敏感な目的、および医療取引等、特定の状況下で追加的に必要とされることがある。さらに、ＰＯＳ要員をマシンに置き換えるために、セキュリティ上の懸念が増加し、また技術的な能力が増大する世界では、取引におけるセキュリティの必要性が増加する可能性があることを確認することは容易である。
【０１６４】
携帯電話などのパーソナル無線デバイスを変換する以前の努力は、無数の、携帯電話に組み込まれたいくつかのインタフェース、セルに接続されているドングルまたは装置などのいくつかを生産している。すべての場合において、本明細書に開示されたケアは、本明細書にさらに記載されているように、そのプログラム可能な磁性層を介して即座の下位互換性がある。
【０１６５】
以下でより詳細に説明するように、複数のカードを含むジョイント取引が発生する可能性がある。さらに、そのような取引は、光学データの受け渡しを伴う可能性があり、通常、磁気ストライプの位置に対応する領域で符号化されたセキュアな光学データを持つカードのような他の理由のために複雑になる（同じ場所で説明したように特定の操作をするので、磁気ＰＯＳリーダなしに、本開示に従う複数のカード１００を含んでもよい）。別の不透明な磁気ストライプの障害物を回避するために一枚のカードの表示を移動させるなどの、カード間の表示データのジャグリングの調整は、取引を妨げることになる処理に待ち時間および複数のステップを追加する。このように、データを妨げないように磁気ストライプが透明に提供された光の対話が可能なスマートカードの必要性が存在する。本明細書に記載のような各取引、またはその一部が、磁気ストライプリーダへのアクセス権を持っている場合、スマートカードは、光学データに同行するために、特定のもの、変調、ハンドシェイクまたは磁気データにおける他のバリエーションを使用することを通して機能性（セキュリティなど）を増強することができる。
【０１６６】
出願人が確認したように、本明細書に記載のようにディスプレイの目的を果たすことができる薄膜ディスプレイは、磁場に実質的な障害を提供しない。薄膜ディスプレイは、それを作成するように指示されているどのようなディスプレイでも作成するように作用することができるので、マイクロコイルまたは他の磁場発生器は、後ろであってもよいし、またはその下であってもよく、そして、必要な場合、ハードウェアの詳細が「透ける」ことおよび画像と混同されるようになることを単に防ぐために、不透明層がその２つの間にある。均一な背景を持つディスプレイを提供する利益において、不透明層は、場合によっては、ディスプレイの下にカードの全領域を含むことができるより大きな程度をカバーすることができる。さらに、これらの同じ特性は、カードの両側に適用することができる。
【０１６７】
また、好ましい実施形態において、ディスプレイは、従来の外観を持つ機械的なフォームファクタと一緒になった磁気ストライプをカバーする。このように、デバイスは、両側のコーナーからコーナーにおいて純粋な画素布のように見える。しかしながら、磁気ストライプは、それにも関わらず、そこにあり、完全な対称方向性がある。
【０１６８】
渡された指紋は、最後の既知のカードから得られることができる。セキュリティシステムおよびカードの両方は、それぞれのネットワークに報告することができる。次にドッキングされたときに、カードは、ドックに報告することができる。これまで必要に応じて、２つの異なるデータイベント（カードの観点から、およびセキュリティ・ロックの観点から）が法医学的分析のためのすべてのこれらの詳細を記録することができる。セキュリティおよび取引の保護：（すべてのデータの記録を持つ）取引ごとの身分の証明を持つｅコマースは、カード１００およびシステム１の特徴である。
【０１６９】
バーコードまたはＱｒコードは、ユーザの購入に適用可能なすべてのクーポンを単に暗号化する。
【０１７０】
これは、２つの異なるループを表す。ＰＯＳ取引におけるように、完全にセキュアな「取引」は、他のサービスと共有することができるが、最低限の、必須のデータのみであり、キーまたは画像が使用される暗号化方式ではない。論理的に完全な二方向のクローズドループ。二つの異なるループ。
【０１７１】
実施形態では、カードの面の本質的な全体に、代替的にはカードの両側に関連付けられた複数の層が存在する。カード１００は、他に示されるようなセルドックソフトウェアに加えて、ハンドシェークルーチン等を作成するための方法を有していてもよい。
ＬＥＤ（表面実装）
ＣＣＤ（ＬＥＤからすぐ下またはＬＥＤからオフセット）
ＭＡＧ  ＯＵＴ／ＩＮ（再び、すぐ下／ＣＣＤ層の下、また、ＣＣＤかそれともＬＥＤからのオフセットが不要であり、しかしながら、磁場の存在下で結晶に不透明を変更させるドーパントで小さな結晶に作用することができる（例えば、図４Ｄ、より複雑な配列および図７Ａ〜図８Ｂ参照）。
【０１７２】
実施形態では、カード１００の発光ユニットは、その設計を介した機会を持っている。発光ユニットは、人間の視覚範囲内でない色を発することができる。人間の目は、特定の変調を検出することができないが、他の端の受光／光検出ユニット１２６，１２８（例えば、ＣＣＤ）は、全く確実にそれらを検出することができる。パターンは、非常に複雑なハンドシェイクイベント、同期、および暗号化されたロギングが可能になるように横切って送信される。これは、例えば、人間の目には見えない色、時間の関数として変化するパターンを含むことができる。
【０１７３】
磁気出力と磁気入力は、いくつかの実施形態では２つの層として形成することができる。磁気データを送信する同じ圧電またはマイクロコイルはまた、それを受け取ることができるので、一つの層から二重の機能を持ち出すことができる。磁気「画素」の密度は、ディスプレイ技術のためのものである、というほどの集中で必要ではない。強度Ｘの場（Ｘは、従来のリーダに書き込むための十分な値である）を作るための、与えられたユニットエリアにおける十分な磁気のみ、密度および配置の面での問題となる。密度は、ストライプリーダまたは既存の磁気リーダをだまして“見える”磁気データが通り過ぎるようにする必要があるのみである。
【０１７４】
実施形態では、発光ユニット１２２，１２４および／または光検出ユニット１２６，１２８における一部の要素は、例えば、電圧またはカードの外部または内部に生成された場に応じて、例えば、発生した磁場に応じて、予測または所定の方法で移動するために、例えば、ＭＥＭＳおよびＮＥＭＳ技術を利用するように構成されることができる。そのようなものとして、放出するかまたはカード１００に入る光は、カード１００によって生成された磁場、または外部ソースからの磁場によって多少変更されることができる。磁気コンポーネントは、このように、光信号を変調することができる。光信号は、より高い周波数でデータを搬送する、古典的な意味でのキャリアとして機能することができる。また、カード１００上に存在する他の混合アレイのアレイ要素、例えば、磁気出力ユニット１３４，１３５の配列の要素は、適用ソースからの電圧、電流または場に応じて移動するように同様に構成することができる。そのようなモジュレーター、例えば、光の低周波変調は、ハンドシェイクのネゴシエーションを実行する高度な方法を可能にすることができる。
【０１７５】
カードはさらに、埋め込まれたサウンドの要素を使用して、呼び出し音を用いて通信し、ユーザの最初のクーポン（または、例えば、バーコードおよびＱｒのような物理または仮想クーポン上に存在するコード）をスキャンするＰＯＳオペレータを取得し、それから取引を処理する。
【０１７６】
商品またはサービスのための取引は、市場データを共有するユーザ使用許諾契約に基づくことができ（例えば、彼らの個人的な機密データを保存しながら）、または、購入が全体としてよりよい取引を得るために行われているのと同じように、購入および「グルーポン」（またはクーポンと引き換えに前払いのお金を必要とする任意のクーポン）を提示することを介しており、または、カード１００は、所与のユーザのために、特定の製品またはサービスのためのＸ近接以内のよりよい取引があるという警告を生成することができる。古い従来ＰＯＳシステムに対するインタフェースおよびこのタイプの情報の送信は、多くの方法で達成することができ、例えば、カード１００は、従来のＰＯＳシステムによって読み取り可能なスキャンするためのバーコードを提示することができる。さらに、カード１００を収容するために従来のＰＯＳシステムを改造することは、本明細書の他の箇所で識別され、図面に示されている。
【０１７７】
代わりに、従来ＰＯＳシステムをバイパスし、ベンダのデータベース（店のオーナー）にエントリを生成し、ベンダに支払われたことを認定する独立した領収書を提示することで、アイテムが現在のユーザの所有物であり、ユーザが店舗の敷地からアイテムを削除することができる。このように、カード１００は、携帯型ＰＯＳシステムとして動作することができる。また、会場は、独自のＰＯＳシステムへの投資を停止し、本明細書に記載のシステム１を使用することができる。ベンダは、取引“Ｙ”（購入証明書）によってＸが支払われた店から「Ｘ」を削除しようとしている人を決定する必要が唯一ある。このビューでは、一意にすべてのオブジェクトを識別する能力は、すべての当事者の利益のために、ＰＯＳシステムを向上させ、また、会場および店舗の在庫のメンテナンス機能を自動化することができる。例えば、システム１およびそのサーバ２００は、購入したアイテムのために減少させ、返品のために増加させる会場の在庫管理システムに統合することができる。
【０１７８】
実施形態では、カード１００は、公共交通システムにユーザをログインすることができる。例えば、ロギングは（例えば、カード１００と交通システムリーダーとの間の無線通信を使用して、）次の停留所の前にいつでも行うことができる。これは、電車の駅に入るときのリーダにおけるような、交通システムのボトルネックにおいて、ユーザにより多くの時間および少ないグループ化を提供する。政府、自治体および企業はまた、より安全性を求めており、カードの生体認証は、セキュリティのこのような強化されたレベルを提供する。例えば、これらの生体認証は、同期させることができ、本明細書に記載の無線通信で送信されることができる。
【０１７９】
実施形態では、ドアまたはロック（図示せず）は、それがカードと互換性があるように、カード１００（例えば、図３−５、図７Ａ−７Ｂおよび図８Ａ−８Ｂにおいて一般的に示されたカード１００の混合アレイ表面技術を含む）と同様の構成を用いたディスプレイシステムを含むことができ、または、そうでなければ、関連する。実施形態では、ユーザは、ディスプレイに対向するようにホルダーにカード１００を提供し、前述したハンドシェイクの線に沿ってドアまたはロックのディスプレイシステムとのハンドシェイクを実行し、ユーザに固有のものであるカードＸＸＸＹＹＹＺＺＺなど、それが識別子を使用しているカードを知ることを決定することができる。次に、カード１００を持つホルダーは、ドアを通る入場を許可するか、またはロックの解除を許可する前に、第２のセキュリティ手段を通過しなければならない。第２の手段では、カード１００は、コード、指紋、または生体認証データを含む他のデータを渡すことができる。
【０１８０】
生体認証データのために、カード１００は、本明細書に記載のように、単一のターゲットからの二つ以上の生体認証データを含む、１以上の生体認証データを得ることができる。例えば、指紋、同じ指の毛細管地図など。さらに、生体認証読み取りは、表面上の任意の位置での表面上またはその付近の目標オブジェクト（例えば、指、親指）から、両側化されたカード１００の両側から、そして各側の各オブジェクトのための複数の生体認証があり、異なる目標オブジェクト（例えば、人差し指と親指の両方）から、得られることができる。このタイプのマルチパートの認証／検証はまた、本明細書に記載のユーザカード１００のその他のアプリケーションのために使用されることができる。また、カード１００は、生体認証がその使用（その瞬間）に関連付けられるような用途のための制御に関連付けられることができる。このように、コマンドは、ユーザ、またはユーザのＩＤによって発行され、または、コマンド発行の失敗が監視され、所定の条件が満たされないときにカードをロックすることができる。カード１００は、「続行するには、５秒以内に、ここをタッチ」の表示を生成することができ、ユーザがしない場合、または生体認証が、カードに関連付けられているものと一致しない場合、カードはロックし、タッチに対する最後の既知の生体認証、またはカードの命令が示され、記憶される。
【０１８１】
実施形態では、ドアは、カード１００と同じディスプレイ技術を持つことができ、スロットに挿入されることができるホルダーにカードを配置し、移動を１／１０秒停止させた場合には、ハンドシェイクおよびコマンドは、暗号化とともにパスする。実施形態は、各カード１００がホルダ（図示せず）に一緒にある、または、所定の順序であるように、アクセスを得るために複数のカード１００を必要とし得る。そのような実施形態では、ロック、ドアまたは他のポータル容器などのカードホルダーは、カードが最も効率的にデータを渡すことができるように２枚以上のカードを保持することができる。より高いセキュリティでアクセスを得るには、一人のユーザは、２人目にカードを渡すことができ、その２人目が、渡されたカードをホルダーに入れて、個人情報を１人目に転送するか、またはその逆を行う。ホルダーは、小規模な転送のためにバイパスすることができるが、大きなもののために、より高速（より良い位置合わせ）をもたらすことができる。政府、研究機関および企業ビジネスなどは、約束はプライバシーを侵害しないが、極悪なものから国民を保護する、悪い人々（犯罪者）を追跡する、などとして、カード１００に、２人の間の任意のデータ転送のための何種類かの指標を、追跡するマスターファイルへ送信させることを希望するかもしれない。
【０１８２】
カード１００は、２つ以上のカードを、各カードがペグを跨ぐ（またはデリミタの間に保持される）ように、向かい合って、ドッキングするための、カードのドックを意図する携帯電話または他のデバイスに存在し得る、位置合わせ孔（図示せず）、およびペグまたはコーナーデリミタ（図示せず）を搭載することができる。これは、許容範囲またはそれ以上の１／１０００インチに画素を整列することを可能にする。完全な位置合わせ（すなわち、画素の送受信の最大量が調整されている場合）は、最大データ転送速度を意味する。実施形態では、位置合わせ機構は、カード１００間で必要な位置合わせのための、そして、固体の接続およびハンドシェイクを提供し、その後のデータ通信を可能にするのに要する程度に完璧に近く、画素間の位置合わせを保証するための、カードの機能を妨害せず、小さすぎて人間の観察者には問題にならない、カード１００の縁部における周溝（図示せず）として示されることができる。本明細書に記載のように、カード間の磁気浮揚は、高感度の位置合わせを達成するために利用することができる。
【０１８３】
２人のユーザ間でのよりフォーマルでないデータ転送のために、実施形態は、手動でまたは表面上に配置された他のカードの上に一枚のカードを提供することによって、彼らのカード１００をともに対面するよう単に保持する２つのユーザを含めることができ、それからデータの短い通路を要求する（例えば、１または両方の対面カードを表示するスクリーンに導く）。小さなブロックの場合には、通信のより遅いモードが許容されるため、例えば、特別な位置合わせが必要とされない。例えば、画素は、他の表面上のグループ画素により受信される一枚のカードからの単一の送信ビームを作成するためにコーミングすることができる。これは、画素間のデータストリームよりも遅いかもしれないが、それが可能な単一の画素が周波数（色）変調を介して変調データを送信する場合、より高速なモードで動作し、受光／光検出デバイス（例えば、ＣＣＤ）が、十分に速い周波数差を検出することができる。このようにして、ギャップを横切る各画素コネクションは、単一のデータストリームと比較する。この「コネクション」は、潜在的に速く、これは（画素ごとに）エミュレートしている標準的な光ファイバ接続の数百万倍である可能性がある。また、各ディスプレイは、視差推定することにより、他までの距離を本質的に知っている。また、対面のとき、カード１００は、双方向にデータを転送することができる。本開示から理解できるように、互いに近接して配置される発光体および受光体の両方を含む比較可能な寸法の２つの双方向ディスプレイからの出力および入力画素の設計の合成には多くの利点がある。
【０１８４】
２つのカード１００、または、カード１０および当該カードと異なるサイズの主表面を有し、かつ当該カードと同様の技術を含む他のデバイスにおいて、データは、双方向ディスプレイのうちの最小のものの表面全体に広がることができる、すなわち、より良い整列状況における画素単位まで、より小さな双方向ディスプレイを満たす通信または表示のための、より大きなディスプレイの自動的な画素のダウンサイズ、または、重複領域に存在する画素数が少なく、大きな双方向ディスプレイを、図１７ｃに示すような小さな双方向ディスプレイにまでセルフサイジングまたは自動サイジング。図１７ｃに示すように、カード１００は、カード１００と同様のディスプレイ技術を含む、より大きな表面１００ｉに対して重ねて配置されている。データの転送は、利用可能なコミュニケーション可能画素の最小公分母、およびアライメント等に基づいて、利用可能なコミュニケーション画素の最大数を使用することができる。
【０１８５】
カードの生体側面もまた活用しながら、カード対カードのデータ転送、カードからシステム、またはネットワークへのデータ転送（そして、システムまたはネットワークからカードへのデータ転送）は、カード１００の光および磁気通信の態様を利用することができる。言ってみれば、カード１００は、使用の各段階で生体認証を持つ携帯メモリとして機能し、従来の携帯型メモリ、例えばメモリスティックでは見つけられない、データ転送のはるかにセキュアな方法を提供する。
【０１８６】
実施形態では、発光ユニット１２２，１２４および光検出ユニット１２６，１２８は、効率化のために共有の半導体回路を使用することができる。例えば、発光および集光は、単一の集積接合によって実行することができる。この構成により、カード１００は、１つの画素位置で同じ動作で同時に両方向にデータを渡すことができる。例えば、２人のユーザが互いに対向するようにカードを保持することができる。データの「カード対カード」のスワップが正常に終了しない限り、ユーザおよびカード１００のどちらも、転送アクノリッジを取得しないようにソフトウェアが記述されることができる。このように、ビジネス情報または個人情報などのデータ転送は、電子メールまたはテキストのためのネットワーク接続の必要の無い簡単な処理となり、そして、同じ画素からのデータの放出および収集を含むように、上記のような方法においてさらに強化される。
【０１８７】
実施形態では、双方向の発光、およびＯＣＲ、バーコード、Ｑｒコード、または他の読み取り可能なフォーマットのスキャンは、２つのカード１００間または他の同様に装備されたデバイス間の同時の放出および検出を容易にすることができる。表面のユニークな構造は、同じ領域における同時のスキャンおよび発光を可能にする。読み取りおよび書き込みのために、ユーザが購入しているアイテムおよびユーザが使用しようとしているクレジットカードなどの少量のデータのために、この情報は、情報のコヒーレント光を放射するユーザのカード１００に渡すことができ、光の１つの帯域幅で、受信ＰＯＳシステムは、画素のいずれかのグループ上に光をピックアップし、この少量のデータを収集することができる。
【０１８８】
実施形態では、カード１００上のディスプレイは、携帯電話（または、電子タブレットなどの他のデバイス）のような他のデバイスのためのリモートディスプレイとして使用することができる。例えば、より簡単に、より良い視野角で友達にビデオを見せるために、または、食べながらなど、あなたが見ることを希望するという情報のため、独立した第２のディスプレイを持つために、デバイスのディスプレイおよびカード１００のディスプレイは並列に動作することができる。一つ以上のカードのディスプレイは、１つの大きなディスプレイを形成するために組み合わされることができる。モバイルデバイスが平らに置かれる一方で、カードは、モバイルデバイス上のスロットに配置することができる。カードは、そのテザー、またはカードの側面に対してスロットにおいて接続を有しており、これにより、それは２つあるいは３つのディスプレイ（裏面にも）を有することができる。これは、例えばゲストとのテーブルにおけるように、多面的な人の視点を可能とする。実施形態では、カード１００は、当該デバイスがｉＰｈｏｎｅであり、そのｉＰｈｏｎｅが損傷した内部ディスプレイを被った場合などの、デバイスの便利な操作を提供するために、任意のホストデバイスを介したリモートコントロールを持つことができる。
【０１８９】
時計のガラスに用いる合成結晶、およびそれらがどれぐらい強く、傷に強いかは、カード１００の最終外側層として、ここで使用するためにおそらく改変することができる。
そして、単純なピールオフカバーを適用することができる。カード１００のための保護コーティングは、任意のマシンの動作を妨げないように、表面によく付く新しいものを適用するために剥離することができる。カード１００のコアにおいては、電子ＶＶＬＳＩを提供することができる、または同様に耐久性のために、マイラー上に堆積される。他のコア構成要素は、炭素繊維、シリカ、シリカ化合物、チタンおよびチタン合金を含むことができる。
【０１９０】
独自の生体認証保証およびネットワーク並置を持つカード１００は、（ネットワークベースだがプライベートおよび暗号化され、公衆網と販売システムのポイントとして、２つのネットワークの間に座ることができる）彼または彼女が喜んで加入したサービスを構成するユニークなエンジンに、ユーザの個人データの特定のデータを報告することができる。このサービスは、結果に基づいて最高の取引を他のユーザに伝えることができる。ユーザは、いくつかのネットワーク使用可能な割引およびクーポンを使用して、パーソナライズされた最良の取引を一緒に置くことができるかもしれないが、それだけでなく、ユーザが創造的に見つけるような他の取引も置くことができる。そこでは、このユニークな方法を唯一介して、販売ポイントで使用される「購入するための最良の方法」を形成するデータが、ブロードキャストされ、アーカイブされ、「検索可能」化される。
【０１９１】
我々がデータパスをできるよう希望するネットワークまたはＰＣ内のポイント。通常、データは渡すことはできない。カードは、ドッキングし、通信経路を完成させるために、双方向接続を作成する。これのためのドックは、並列に、互いに無視するようにプログラムされた、２つのディスプレイで作られている。カードが挿入されると、カードの各側は、その対応する表面との接続をネゴシエートすることができ、それから、他の条件が満たされた場合、カードを介してデータが流れることができる。カードは、データ・フロー・イベントの記録を維持することができ、我々が望むなら、実際のデータは、流れることを許可される。すべてのイベントは、割り当てられた一意の識別子を取得する。
【０１９２】
その後、カードが最終的にそのホーム基地局にドッキングされたとき、それは、ユニークな識別子とともに、その取引のすべてを報告することができる。カードイベントレポートを監視するサーバ（およびサービス）は、監査を行う。これは、ソーシャルネットコネクションに変換される、非常にタイトなセキュリティカード交換である。
【０１９３】
カードは、独自の無線送信機、無線受信機または無線トランシーバを有しており、適切に使用することができる。それはまた、デバイスであり、それがプログラムされているように依存してまたは独立して動作する。クラウドが付属されるだけでなく、クラウドをエミュレートすることができる。カードは、メッシュネットワーキングの能力を有することができる。カードが、メッシュネットワーキングを実行するために、サーバとして機能することができるように、カードのドックは、トランシーバおよびバッテリにおいて進化する可能性がある。このように、低い電力が、他のそのようなデバイスにデータを渡すために必要とされ、なぜならば、単純にそこに多くの出力、すなわち、各リサイクルをし、次の／他のコミュニケーションを向上させるものが存在するからである。
【０１９４】
ストライプはちょうど、ディスプレイの下に埋め込まれた内部とすることができる。背後からディスプレイを通過する磁束線は、まったくディスプレイを困らせる必要がない。干渉は存在しないだろう。ＬＥＤとトランジスタの接合技術は、磁束の影響を受けない。また、それがスワイプされているときをカードが知ることが可能であるため、それは、スワイプ中に磁気ストライプをパワーアップすることによって電力を節約することができる。また、カードは、当該カードがＣＣＤデータを介して動作していることを知っているので、弱いリーダにおいてさえ１つのスワイプが常に成功するために、磁気エネルギーは、スワイプ中に上昇されることができるだろう。
【０１９５】
カードは、ＲＦＩＤキーリングＦＯＢ（電子）のように埋め込まれたコイルによってその電力を生成することができる、しかしながら、ＦＯＢから受信機へデータを渡すためにスキャンする平台に近いときに電力の供給を受けるコイルのアプローチとは対照的に、カード内のディスプレイにより、大規模な電力が得られるだろう。キーＦＯＢは、ここで適用できるであろう方法を取得することができるか、または無線状況で電力伝送を可能にする、近接して隠された回転磁石を取得することができるだろう。だから、それは、ＰＯＳドック近隣にあるときにカードに余分な電力を渡すために、長期的に、おそらくより良い解決策である。カードは、さらに、例えば、タッチ・スクリーン・エミュレーションに加えて、認識または測定するために使用され、また、効率的な電力管理のための重要なイベントを予測するために使用することができるバーコードまたは生体スキャンを提供するマシンビジョン型ワイドレンジ画像処理能力を使用することにより、カードがスワイプされたとき、データを通信するであろう磁気レールに沿って信号をブーストすることができる。
【０１９６】
ゲノムは、１つが、自分の名前、社会保障番号、運転免許証、その他のＩＤ、または指紋または網膜スキャンを使用するように交換可能に使用される。パラレルデータ転送能力は、あなたの全ゲノムを使用することができる。転送された画像の一部は、あなたのベースゲノムであり、残りは、適用ベース間においてあなたをユニークなものにするものであろう。並列にすべて動作するように関与する１億の画素がある場合、ベースゲノム画像（百万分の１）とあなたの差（約１億）は、シリアルデータを送信するのに、まだ、１０分の１秒未満を取る。
【０１９７】
磁気ストライプが表面全体である場合には、磁気出力データの方向を調整するために、カードは、次に磁気とその方向性についてのデータを設定するために、ＣＣＤで行うことができる、ストライプリーダまたはＡＴＭ（現金自動預け払い機）スロットに起こっていることを感知する必要がある。
【０１９８】
４つの可能な方向のいずれかにカードを通す際に、論理的には、方向を予め設定することができ、我々はスワイプの方向を検出する必要はありません。しかしながら、追加機能ソフトウェアは、ＣＣＤでスワイプの動きを検出し、スワイプの方向にデータを入れるために磁気書込みを設定することができる。
【０１９９】
カードは、そうでなければ、近接して他のカードまたはメモリストレージと干渉しないように、プログラムされているが休止の状態となる。それが通されたときストライプ領域の電磁要素を、スワイプと同期してより強力に通電させるように、カード上のＣＣＤとＬＣＤの組み合わせは、スワイプ時においてカードに時間を可能にする。これは、カードがスワイプされていない場合に、電磁ノイズを小さく保つ。受光／光検出（例えばＣＣＤ）の組み合わせの他の使用、カード１００の発光（例えば、ＬＥＤ）の態様は、マンマシンインタフェースがカード１００に内蔵されること、例えば、距離、軌跡、速度検出能力だけでなく、ユニークなオブジェクトの識別を持つタッチレスタッチスクリーンエミュレーションを可能にする。カード１００はまた、それが自身のドッキングステーションにドッキングされたときに「見える」ことができるだろう。それの記録を作るためにカードを使用するユーザを「見る」ことができる。それは、バーコードをスキャンするか、または、バーコード（Ｑｒコード等）を表示するために使用することができるだろう。カード１００は、これらの能力を有することになるので、多くの「アプリケーション」が作成されることができる。例えば、一つのアプリケーションは、ある人が手または指を用いて、静かにカードと通信ができ、そこからユニバーサル手話となる可能性がある、署名のための言語の開発である。言語はまた、独自の可能性がある。より合理的で効率的な、より多くの取引情報を、ユーザは、カード１００に渡す（指示、入力）ことができる。
【０２００】
カード１００は、他の人に出荷されることを意図して、調達のために、内部にすべてのアドレス帳を持つことができる。ユーザは、彼または彼女が、アイテムを、または、複数のアイテム、オールインワン調達のものを出荷することを希望する人に、確実にデータを渡すが、各アイテムは別の宛先に行くことができる。だから、ＰＯＳ中において、１つのスワイプが調達を完了しただけではなく、各アイテムのアドレスが渡され、会場がそれらへメールする（例えば、遠隔のＡＭＡＺＯＮへ）。
【０２０１】
別の典型的なアプリケーションは、人々が自分のｃｃの手配および特典で、食事のために集まるオフィスランチである。食事の最後に、すべてのカードは均等に食事を分割するために、スタックに行く。ユーザは、この方法を利用するために現金を持ち歩く必要はない。既存のレストランのシステムで使用するためには、マスターに指定されたカードは、クレジットカード会社およびおそらく他の仲介業者と契約することにより、唯一のカードが取引で使用されるように、すべての分割が達成された後、自分自身を示す能力を有していてもよい。それから、それは単にレストランの財布に行き、従来のＰＯＳを通して実行される。ドックでの合意、または別のセッションでの金融機関との合意により、すべてのカードは、それによって課金される。クレジットカードを使用する上記のような取引が、生体ＩＤを必要とするかもしれない場合には、ソフトウェアは、それらをスタックに置く前に、生体スキャンが各カード上で別々に実行されるようにアレンジすることがある。
【０２０２】
システムは、任意の放射線を発生させる巨大な太陽フレア、ならびに電磁パルスおよび汚れた爆弾のような他の異常に対して非常に耐性があるようになるだろう（または、そうなるように容易に設計することができるだろう）。コード（テザー）の実施形態は、コードの内部で銅に変換する典型的な繊維である。我々は、基板を遮蔽し、かつ従来機器以外の脆弱点が存在しないので、ネットワークの要素はすべて基板内にある。
【０２０３】
本開示に従うカードは、正味の正の浮力を包含するのに必要なすべての材料を組み込むことができるので、カードは確実に水に浮くだろう。注目すべきは、好ましい実施形態では、カードは、その表面のどこにも物理的なポートを有しないので、金属製のコネクタ表面の劣化がなく、水分または汚れのための任意の侵入機会を可能にすることなく、水密機能および動作を保証する。
【０２０４】
カード１００は、さらに、ロス、および生体認証ロギングの失敗の発生時に当該カードをシャットダウンし、当該カードは、カードの真の所有者にどのようにして連絡するかを照会されることのみが可能であるか、または、低消費電力、低解像度のディスプレイのように、それを見つけた個人が、ＵＳ  Ｍａｉｌまたは別のキャリアを使用してその正当な所有者にそれを返すことを可能にするための最小限のデータをカードが提供するモードに行くことができる。ディスプレイはさらに、所有者情報が利用可能である時間の長さを最大にするために、動きに敏感なスクリーンセーバ等の手段により動作することがある。実施形態では、カード１００は、プリペイド郵便またはこの目的のためにＵＳＰＳでのいくつかの用意を運ぶことができる。
【０２０５】
他の例示的な実施形態では、ネットワークまたはＷｅｂサイトは、販売のために、アイテムを使用したかまたは余剰だと見なすユーザが、これらのアイテムを必要とする人々と集まれることを可能とする。都合の良い一致が発見された場合、近いため、または共通の都合の良いスケジュールから、ミーティングが準備され、セキュアな取引が公共の場所で起こるかもしれない。「販売」のユーザは、カード１００のディスプレイを使用して商品を表示することを希望するかもしれず、カードは、積極的に、セキュアな個人情報を取引し、他へ各当事者を識別することができる。何らかのドックハードウェアまたはＰＯＳ機器が存在しない場合には、カード１００の実施形態は、光学的に、そのような取引を行うために必要な支援を提供することができる。これらのレストランおよび靴の取引を望んでいる同じ消費者は、物を販売したい消費者であることができる。同じ消費者が、夜警、ハードウェアの店の従業員、ウェイターなどとして働く可能性があるため、ＩＤのセキュアな交換が、似た方法でさらに行われることがある。そのような事業の雇用者は、従業員がそのような作業目的のために、自分のスマートカードを使用できるように合意することができ、このように、作業中に従業員が接続されたままであることが可能となるインセンティブを提供し、両方が利益を得ることができ得る手配を提供する。
【０２０６】
カード１００はまた、配電、電池、ＲＦＩＤ、ネットワークアダプタ、無線ＬＡＮ、Ｂｌｕｅｔｏｏｔｈ（登録商標）、処理、メモリ、極端な角度のＬＥＤおよびＣＣＤの画素、非常に高いレベルのための準備、暗号化、およびハイパーセキュアなデータ転送のための準備において、カードを積層するための固定手段としての使用のために意図された他の磁気の組込を包含することができる。ＶＶＬＳＩとフレキシブル（回路への害のないたわみ）電子表面製造の分野では、これらの新型は、フォームファクタ内に収まるようになり、様々な改良がＶＶＬＳＩの生産技術に組み込まれて向上する、同様の、世界中で使用される小型化と製造技術の向上とともに。ここで、本発明者はまた、単にプロセッサまたは処理機能に限定されるのではなく、ネットワークのための中継器の取り込み、メッシュネットワーク、およびデバイスハウジングまたはサーバを含むものとしての可能性を予想している。
【０２０７】
いくつかの動的な問題は、提供されるサービスの成功およびカード１００のフォームファクタを囲む。同時に、多くの技術が、支持表面上の画素密度を増加させる能力の向上として組み込まれることができる。カード１００の実施形態の電力消費の特性を向上させる読み取り機能の感度は、時間とともに増加する。カードと通信するためのワイヤレスのメカニズムおよびそれの電源は、時間の経過とともに改善される。それは、「カード」フォームファクタの成功であり、従来技術とは異なり、最小のハードウェア機能であり、磁気スワイプまたは読み取りを要求する従来ＰＯＳシステムおよびデバイスとの直接の相互の互換性、そして、本明細書に開示されるカードおよびシステムを別々に設定し、それらの将来を保存する、カードに配信可能なサービスである。このカードが双方向通信して、支援サービスを持っていることから、本明細書に記載されているように、取引の複雑さは、変わることができる。本明細書で述べたように、所与のユーザによって使用される、すべてのマシンおよびネットワーク、ソフトウェア、サービスへの技術のようなものの取り込みは、１日のような与えられた一定の期間のコース中に少ない労力で反復可能となるために、カードに知られてログされるために必要なユーザの努力を可能にする。システム、ソフトウェア、サービス、取引、ネットワーク、機械および車両、ロック、他のユーザなど、アクセスまたは使用することを要求しているユーザの身分を知る必要がある。本明細書に開示されたカードとシステムは、このように、貴重な商品を維持し、無関心な廃棄物から地球を保護する、ユーザにダイナミックな利点を提供しながら、ユーザが絶対確実に識別されることの保証に関わる力学を根本的に変更することができる。
【０２０８】
その教示のすべてを取る本開示は、本明細書に明確に開示されていない他の実施形態にさらに方向性を提供する。従って、本開示は、任意の方法または形態に限定することを意図するものではない。特に図７Ａ〜図８Ｂを参照して、ＶＶＬＳＩおよびフレキシブル構造技術（すなわち、任意のコンポーネントまたは要素に損傷を与えることなく曲げられることができる）は、この問題についてのすべての先行技術を考慮する。これにより、クレジットカードサイズのフォームファクタである最も好ましい実施形態において、フォームファクタのレイアウトは、一見無限になる。カード１００に関連して本明細書に記載された特徴および技術のうちの任意のものが、それらの電子デバイス上に統合されたコマンドおよび制御を改善するために、他の電子デバイスに移行できることを理解すべきである。本明細書に開示されたカードおよびシステムを利用するデバイスが増えるほど、より多くのカードが、セキュリティと信頼を向上させる、所与のデバイスでの技術のようなものに統合することができる。
【０２０９】
さらに、ネットワーク、サービス、電子デバイス、パーソナライゼーション、アイデンティティｅコマースの保護ならびにソーシャルネットワークの大規模な開発を考慮すると、本開示のカードとシステムは、非常に短い期間で大規模な以下のことを得るために非常に良く配置されるだろう。これにより、カード１００とシステム１をさらに開発するために、任意およびすべての機会をつかむ開発者の活動領域を集中させる、最終的な利益を駆動する。これは、カード１００とシステム１を多くの場所に取り込むだろう、しかしながら、発明者は、スコープ、幅および複雑さにおいて感じる、リーダは今、カード、および異なるコンホメーション（ＰＡＤ、タブレット、ＰＣ、ラップトップ、テレビ、フラットパネルスクリーン等）における同じ技術の任意のその後に続く使用を想像することができる。それらのキーは、誰がカードを使っているかの確実性、どのカードであるか、かつ当該カードのどの要素が取引に関与したかの確実性、発生するイベントについての確実性、取引処理および支払い方法における信頼、ならびに、時間および燃料を節約し、環境に有害な障害を与えていないときに、ユーザが、何よりも、可能な限り最高の方法で提供される信念を維持する。本明細書に開示されたカードおよびシステムは、可能な限り環境を維持しながら、可能な効率的かつ効果的な方法で、特定の日にユーザのニーズのニーズにアクセスするためのメカニズムを提供することができる。
【０２１０】
デザインは、携帯電話によく似ているように、ユーザが楽しむための一見して無限のアプリケーションの開発に役立つので、本明細書に開示されたユーザデバイスおよびシステムは、部分的に、新しいデザインで従来技術に取って代わる。従って、この新しいデザインは、パーソナルコンピューティング、ポータブルコンピューティングおよび携帯電話の分野で見られて経験されたような多くのプラットフォーム開発の機会を提供する。カード１００およびシステム１のために無限の「アプリ」の開発を促進するための機会が、カード１００およびシステム１によって提供される特定かつ高度なハードウェアおよびネットワーク接続を介して利用可能になる。本開示から明らかになるように、本開示に従うユーザデバイスおよびシステムはまた、陳腐化からの投資を保護する、セキュリティおよび確実性を持つ通信の新たな方法をその概念が開拓することができる多くの異なる方向を提供する。
【０２１１】
本明細書に開示されたユーザデバイスおよびシステムは、ハードコピーアイテムおよびポータブルデバイスの範囲で、すべての回でユーザが実行を継続する必要性を実質的に排除する、クレジットカードのフォームファクタをベースに使用可能なスマートシステムを作成するために、進歩する技術で利用可能な可能性のフルレンジを利用する。カードの携帯性は、ユーザの移動活動に関連して、通常は非ポータブルデバイスに限定されるもので幅広い活動をユーザが行うことを可能とする。例えば、ユーザは、多数の物理的な活動（例えば、ジョギング／ランニング／ウォーキング、サイクリング、ツーリングなど）のいずれかを実行しながら、容易にポケットに入れるか、または、そうでなければ、固定することができ、より大型で被害が発生しやすいデバイスを運ぶことなく、これにより、カードのすべての機能を、準備ができた状態で持つことができる。
【０２１２】
また、本明細書に開示されたユーザデバイスおよびシステムは、ユーザに利用可能であり得る特別オファーを示すために、インターネットまたはセルネットワークなどのネットワーク上で利用できる最新の情報を含むようにパーソナライズし、購入プロセスを自動化する概念を使用する。特別オファーは、リアルタイムで自社製品を配布する大きな必要性を持っているレストランおよび食料品店などを含む、小売店の広い範囲に関連して、ユーザのＧＰＳで決定された（またはネットワークで決定された）場所に依存してもよく、それらは、まだ、この例では、カード１００を介してユーザに到着した彼らの顧客に新鮮かつ受け入れ可能である。
【０２１３】
重要で限られた期間内に必要としているユーザを見つけなければならないリアルタイム小売会場のいくつかの例としては、レストランがまた、無駄にすることができるキャパシティおよび生鮮食品を持つ一方で、食料品店は、破棄され、全損失を表すかもしれない新鮮な食材を運び、会場が、彼らのキャパシティおよび消耗品供給力と同期して顧客を予約することができなければ、再び会場への全損失を表すことになる。これらは、２つだけの会場の分類および例であり、廃棄物を排除し、製品およびサービスの配布を、合理的な期間内に、それらのユーザにとって非常に効率的とし、また合理的な距離／近接を要求する重要なニーズを持つ会場、個人、機関、政府、などの無数の他があるだろう。
【０２１４】
従って、本明細書の態様は、カードおよびシステムは、必ずしも本明細書に開示される任意の用途または機能に限定されるものではない、なぜならば、スマートカードの開発は、ユーザと、彼らの社会的かつｅコマース活動だけでなく、個人的な、ビジネス、仕事、活動およびコンピューティング活動（例えば、セキュアなストレージ、セキュアなアクセスおよびリモート活動など）に関するセキュリティとの間で主宰し、何か新しく、未開拓なものと考えられるからである。
【０２１５】
さらに、より多くのオンラインサービスが、売り手だけでなくバイヤーに利用可能であるので、この本開示に従うカードの将来使用または機能、ならびにそのアプリケーションは、商業およびその他の活動がより自由に流れるために、小売業者間、クレジットカード会社およびユーザまたはユーザグループ間の合意を良く伴ってもよい。従来カードおよびシステムは、カード内またはカードをサポートするサービスおよびネットワークから供給されるモバイル利益および自動化をまた提供するために、主に、標準的なスワイプカードのフォームファクタに焦点を当てる。
【０２１６】
さらに、ここに開示されたカードおよびシステムは、ユーザのデータのすべてで、購入の事前の決定、または購入の実際の決定を統合することができ、それにより、販売のポイントにおいて最も可能性のある取引に自動的にアクセスすることができ、また、購入すべきアイテムごとに、より良い取引のためのネットワークベースのサービスを介して先買を依頼することができる。
【０２１７】
基本的には、本明細書に開示されたカードおよびシステムは、銀行カードおよびクレジットカード等に基づくｅコマースの従来システムに組み込まれて互換性を維持するように展開することができ、ＰＯＳシステムに展開し、またはＰＯＳ統合およびインタフェースのより好ましい方法と統合することができる。
【０２１８】
カード１００およびシステム１の実施形態は、ユーザの利用可能な支払い方法、ユーザ支援ネットワークサービスが提供できるすべての割引、クーポンおよびその他の特典、カードおよびシステムをサポートするサービスを利用する他のユーザの履歴からユーザがアクセス可能なショッピングの方法、の一部または全部を組み合わせることができ、販売業者に許容可能な大規模の複雑な支払方法をユーザが取ること、およびユーザが単一の動作（例えば、スワイプ）で最高のクーポンおよび割引（そして、二重クーポン、三重クーポン、マイレージ、リベート、無料延長保証または低コスト延長保証、無料のギフトカード、ガソリンまたは燃料の購入クレジットなどの他の特典）取引を適用することを可能とする。ユーザは、１つのアクションで、無駄な時間無しで、２０アイテムを、２０種類の支払い方法を使用した２０種類の方法および６０種類の割引および特典で購入することができる。ユーザは、時間を節約し、可能な限り効率的に問題の会場を介して得るために、購入すべきアイテムを収集することを言われることによって利益を得ることができる。これは、時間を節約するだけでなく、お金を節約し、非常に最高の割引を受けるように他のユーザ（潜在的な買い物客を）助けるために、地理的に、案内して彼らのステップを記録し、選択特異性によって選択を提供する、プロの買い物客があり得ることを示唆している。従って、本開示に従うユーザデバイスをサポートするサービスは、ショッピング「プライマー」でローカルに頑張り、ユーザに対する、正確に、どこに行くべきか、何をすべきか、その後、最大時間を節約しながら割引の最大量を受けるためにチェックアウトする方法であるマイクロ命令を含む、条件付きまたは無条件に関連するすべての詳細を他のユーザと共有して記録することにより、ほとんどのお金を節約するためのスキームを考え出すことができるプロの買い物客を、自動的に報いることができる。時間は、ユーザに対して金銭的またはその他の値を取ることができ、また、道路上のマイルに変換することができるので（無駄になる燃料）、時間は、現時点では非常に高価であり、地球への負担であることから、すべての買い物客にとって非常に大きな要素である。例えば、買い物客が、わずか２０％より効率的になった場合、お金が節約され、エネルギーが節約され、汚染が低減され、そしてユーザの時間が自宅または職場で増加する。ショッピング、調達パターンおよび支払い方法においてより堪能になる利益は、本開示に従うカードおよびシステムによって提供されるような、自動化の最大量が適用される場合、重要になる。
【０２１９】
プロの買い物客は、すべてのこれらの要素を心の中に維持し、発展、ならびにそれらのスキームおよびプライマーを共有し、システム１およびより多くのものを通して、その支援サービスおよびネットワークを介して、加入者ベースに達して触れることを通して、自動的に彼らのリーダーシップが報いられる。開示されたカード１００およびシステム１をさらに活用するには、すべてのユーザおよび専門家間の通信は、ソーシャルネットワークを介して漏れることができ、成功事例が口コミで広がり、さらに多くの個人を利する。
【０２２０】
実施形態では、アプリケーション開発者は、この発明者に知られている他のユーザデバイスおよびシステムとは異なり、より多くの割引と引き換えに、より良い全体的な取引、簡単にユーザの要求等に対する解決策を使用し、ユーザが許可する深さで、ユーザデータへのアクセス権を付与されることができる。本明細書に開示されたシステムは、カード１００をサポートするサービスを介して作用する、サービスプロバイダへの人口統計データを渡す、ユーザの意欲のためにユーザに最終的に支払うことができる。しかしながら、本明細書において、もっぱらカード１００を介してユーザを支援するためのサービスに制限することを意図するものはないことが理解されるべきである。
【０２２１】
より多くの、リーダが見ることができ、これらのアプリケーションをホストするための、改善された汎用性および拡張された機能を持つ、コンパクトなフォームファクタ、信頼性の高い、セキュアな消費者デバイスの必要性が明らかに存在する。カード１００は、“それをすべて行う一枚のカード”として考えることができる。カード１００の機能性の程度は、しかしながら、等式のサービス側に対応することになる、すなわち、カードへのネットワーク接続において配布することができるサービスに対応するだろう。
【０２２２】
本開示は、カードのフォームファクタ、ならびに磁気、光および聴覚のエネルギー出力および入力を利用する表面のハードウェア機能を有するユーザデバイスを提供するので、ユーザデバイスは、現実の世界の状況の多様性、および現実または仮想オブジェクト上に見出される情報と対話することができ、または現実世界のアイテム上に意図的に堆積された情報と対話することができる。従来型の取引（検査、購入、戻り、共有、ポストなど）を行うためのカード１００の使用が、ユーザにとってますます複雑さが少なくなりながら、開示された処理は、ソフトウェアがユーザのアクションを識別してこれに応じて動作するときに非常に特異的となるようにセキュアで完全である。方法論のこの拡張は、ユーザと相互に作用するすべてのアイテムが一意に識別されることを可能にする。そのような固有の識別は、同じことを示すマーキング、または、ライブ取引イベントの間に記録される取引の「履歴」を通して来ることができる。
【０２２３】
カードの実施形態は、カードの両側およびカード自体に見られる主要なコンポーネントを表す、カード１００に埋め込まれた一意の識別子を使用して追跡方法論の開発を可能にし、これは、取引におけるオブジェクトまたはラインに関連することができる任意の一意の識別子と組み合わせるために、または、前記オブジェクトの使用は、有形のアイテムまたは無形のアイテムを追跡し、最初に一意の識別子が識別されたユーザの特定の取引またはアクションにこのように関連しているように、通貨の単位を含むがこれに限定されない、その他の有形または無形のアイテムに関連付けることができる任意の一意の識別子と組み合わせるためである。一例として、仮想通貨の任意のフォームを伴う取引は、通貨の各ユニットまたはユニットグループの使用を追跡することができ（１ユニット、２ユニット、５ユニット、または２０ユニット単位の取引は、ＵＳ１ドル、２ドル、５ドル、または２０ドルのノートと基本的に同じである）、ここで、法執行機関は、全くの信頼性を持って、取引から取引へのそのようなユニットの使用を追跡することができるだろう。別の用途は、そのユニークな識別子を介して、保証の目的および詐欺の回避のために、オブジェクトの一意のインスタンスを追跡することある。本開示では、数値、テキスト、あるいは固有の画像または音声も、またはそれらの組み合わせのような、用語の一意の識別子は、識別方法を意味し、当該識別子は、ユニークであり、オブジェクトに関連付けられており、オブジェクト上に現れ、または、問題のオブジェクトにのみ関連することができるユニークなエントリとしてデータベースに出現するようなものであり、処理システムを可能にし、これにより、ユーザが、確実に一意のオブジェクトを識別することを可能にする。これらの識別子のいずれかは、オブジェクト、有形の価値、無形の価値、通貨の単位、またはシステムの信頼上に構築するために一意の識別子を割り当て可能な任意の他の有形または無形のオブジェクトの履歴を追跡するシステムの能力に組み合わせることができる。問題のアイテムの起源は、履歴の開発および一意の識別子を介して確立され、オブジェクトの本当の歴史の法医学検査を可能にし、いかなる方法においてもオブジェクトに関与するすべてのユーザに信頼および確信を提供する。これはまた、偽造などの公共の敵の行動を監査して制御するための合理的な手段無しで、不正行為および偽造が存在しないことを保証するために、金融システムのようなシステムを信頼する、多くのユーザにとってより普遍的な信頼を構築する。同じことが、株式取引、小から大のチケットの何らかの価値の購入、大きな確信を持って任意の目的のために所有権の証明を必要とする任意のアイテム等、任意のシステムに言えることができる。明らかに、その能力が限られているバーコードまたはＱｒコードは、最初に提供されたコードよりも多くの情報をユーザおよび追跡システムに提供し、データベース内のエントリ相関をもたらすことができる。
【０２２４】
例示的な実施形態は、カードまたはカードをサポートするサービスを介して、ユーザが所有しておりかつ操作するすべてのデバイスのデータ同期を提供する。このようにして、データ同期、再同期、復元、およびユーザが操作するすべてのデバイスのためのデータの会話は、カード１００またはカード（または、完全に統合された、ＰＣ画面、携帯電話の画面、同じ技術を持つＰＯＳ画面の他のデバイスなどの開示されたカードおよびシステムの他の反復）をサポートするサービスを介して利用可能になる。
【０２２５】
本開示に従うカード１００の実施形態は、放射、検出、媒体への記録および外部書き込みのための新技術が組み込まれている。これらの技術は、システムの発達的側面を強化し、（ＧＰＳなど）測位システムの任意の形態、無線を含むネットワーク、ユーザの好みおよび方向検出成分に基づく方位を含む自動表示調整、電源からではなく、触覚または触覚フィードバックを与えるために必要な電流発生デバイスから取り出すランブル発電機、ユーザ（例えば視覚障害者）が自分の指先で検出することがより可能になる表面上の局所的なランブル発生、または触覚、そしてまた、同期したボーカルの駆動情報に基づく完全な言語インタフェースを提供する点字発生機構（例えば、圧電が話し、点字システムが、彼らが点字を訓練されている前提として、盲目の個人が簡単にカードから容易に読み取ることができるような触覚文字を提供する）の任意のフォームを含むことができる。例えば、盲目の個人に対して、またはカードからの音声駆動型フィードバックを持つことを望んでいる任意の個人を検出する等、カードが自動的に検出および駆動を行うことが可能なヘッドセットインタフェースを生成するカードインタフェースのように、カード１００に取り付けられたテザーは、データを音に変換することができる。同様に、カード１００は、マイクがヘッドセットおよび双方向音声を関連付けることができる双方向の音声駆動経路を提供し、カードが音声をテキストに変換する。
【０２２６】
例示的な実施形態では、システム１とカード１００は、利用可能なローカル施設および利用可能な物資のために、カードの所有者、彼らの肉親、および／または、了解の上指定された、彼らに付随することができる他人についての情報を格納および関連付けることができる。一例では、カードユーザの医学的状態、虚弱、アレルギー等が、カードに知られており、システムは、病状、虚弱またはアレルギーに関連する最も近いリソースへのマッピングおよび情報を、連続的または断続的に追跡することができる。同様に、カードは、法執行機関、救急および他の専門家が、単にその人において自分のカードを持っているが、機能できなくなった、所与の個人の診断を迅速化するために、この情報にアクセスするのに経由する機構を含むことができる。本開示のこの態様は、疑い無く、命を救う。
【０２２７】
カード１００とシステム１の実施形態は、他のユーザが、大量の時間およびお金を節約しながら、「彼らの足跡をたどる」こと、同じ利益および報酬を得ることを可能にするために、プロの買い物客が、地理的かつ取引的の両方で、各ユーザの前に出て、自分達のショッピングの手順を記録できるようにする。そうすることで、プロの買い物客は、契約を通して、また、カード１００のサービスおよびネットワークサポートに関連した直接の支払いを通して、彼らの参加が報われることができるだろう。
【０２２８】
カード１００とシステム１の実施形態は、雨のチェック、求められるアイテム、割引、時間制限のあるクーポンもしくはリベート、ユーザが所有する任意のギフトカード、またはギフトカード関連割引を含む商業でのユーザの機会を整理することができ、ユーザがこれらの有効期限を通知される状態とする。カレンダーが必要とされているように、この同じシステムは、ユーザのために、予約および予約のキャンセルを追跡することができる。ユーザは、レストランの予約のためのキューに入れられることができ、カード１００、ならびにそのサポートネットワークおよびサービスは、予約が確認された場合、ユーザに警告することができる。会場を待つ時間も表示することができ、予約確認のために到着する待ち時間の形式をとるか、商品またはサービスプロバイダに対してユーザによって予約が確認または拒否されるまでの待ち時間の形式をとることができる。
【０２２９】
カード１００とシステム１の実施形態は、グループメンバーシップの関係のように、他のカードユーザの１つ以上のカードに彼／彼女のカードを関連付けることを可能にすることができる。例えば、カード１００は、対面の議論中のように、ソーシャルネットの一部であるがソーシャルネット内の任意の参加者では見れないデータとして、彼らのカードを除くと唯一のユーザの存在下で、データを提示することを可能にすることができる。この「あなたが私にあなたのものを見せる場合、私はあなたに私のものを見せます」という概念は、ユーザが、対面またはいくつかの空間的な範囲内以外の状況下で共有されておらず、適切なソフトウェア機能を用いて、永久メモリとしての受信カードにおいて維持されないデータへのアクセスを可能にする。近接関係およびデータの条件付き表示は、この設計上の特徴によって暗示される。
【０２３０】
カード１００とシステム１の実施形態は、必要に応じてジャストインタイムでカードのハードウェアをプログラムする、人工的インテリジェント（ＡＩ）ソフトウェアを含むことができる。例示的な実施形態では、カード１００の磁性層は、ユーザの動作および意図に同期した磁気ストライプの出力として機能するようにプログラムされることができる。このように、カード１００は、さらにカード１００の角度または当該カードの隅を使用して、いかなる論理的な位置でもスロット型リーダにおいてスワイプすることができる。カードが基本的に全表面にわたる受光／光検出デバイス、インバウンド光分析、デジタル信号処理（ＤＳＰ）、ならびに画像を処理することができるオブジェクトの識別およびトラッキングを提供することから、「ＡＩ」は調整することができ、このインバウンドデータから、当該ソフトウェアは、画像を処理し、所与の動きと、「ジャストインタイム」に必要な要素をプログラミングし、そうすることでエネルギーを節約する、カードを即座に取り巻く環境とに基づいて、カード１００の利用者の意図した機能を予想することができる。
【０２３１】
本開示のカードおよびシステムの実施形態は、さらに、カードの紛失または生体認証ロギングの失敗時にカードをシャットダウンして、カードの真の所有者に連絡する方法についてを唯一照会可能なモードに入るか、またはカードが、それを見つけた個人が、ＵＳ  Ｍａｉｌまたは別のキャリアを使用して、その正当な所有者にそれを返すことを可能にするために最小限のデータを提供することができるモードに入るために、ＡＩの存在を活用する。カード１００は、この目的のために郵便料金前払いを実行することができる。実施形態では、カードがセキュアモードにシャットダウンされている間、カードの新しい発見者が彼ら自身に、またはカード１００のように装備されているディスプレイのように装備されたディスプレイにカードを持ち上げて保持することを可能とし、テキスト、またはつぶやき、電子メールまたは他のテキストタイプの接続などの通信方式を使用してカードの真の所有者に連絡してカードの新しい代理人が真の所有者に会うことを可能にする、彼らが望めば識別情報を提供し（アイデンティティは、カードが単に郵便物の中に入れられ、その真の所有者に戻って到着するように保護される）、または、手動または自動で、近接およびタイミングデータを提供するので、２つの異なるユーザがお互いを見つけることができる。カードとシステムは、不慮の損失から彼らのカードを保護することを奨励し、カードを紛失された場合に戻ってくる可能性を高めるために、紛失カードの発見者のための自動報奨金の提供、ユーザへの課金を含むことができる。紛失カードのファインダーへの最小限の支援のために、従来デバイスが、コード（バーまたはＱｒ）をスキャンでき、カードを紛失したユーザ／所有者の身分を明かすことなく、カードの所有者に連絡する能力がまだ提供されるように、カード上に表示されたバーコードは、サーバ内のデータ入力に関連付けることができるだろう。
【０２３２】
本開示のカードおよびシステムの実施形態は、それぞれ、カードの外側に磁気的に敏感なまたは光学的に敏感な材料を変化させるために、磁気表面および／またはカード表面の発光ユニットの書き込み機能を含むことができる。その後、カードは磁気的および光学的に、変化した表面を確実に読み取ることができる。例は、磁気的にプログラム可能な表面に、磁気ＯＣＲまたはＱｒコード、または独自のコードをインプリントすることであろう。別の例は、カードの発光ユニットを用いて、写真感光材料をインプリントすることであろう。受光／光検出（例えば、ＣＣＤ）部分が、可視スペクトルの内および下における、上方からの光を検出するであろうように、発光ユニットは、可視スペクトル内および下における、上記の光を使用することが意図される。別のカード、または同じ技術を用いて装備および統合されたマシン、または単に紙ラベルまたはオブジェクト上の表面、に書き込むために、２つの書き込み技術が結合されるとき、画像が実際に回復可能（読み取り可能）データのセットである光学画像および磁気画像の両方で、オブジェクトが永久的または一時的にマークを付けられることができる。暗号化のレベルは、磁気的または光学的に、印刷した後、回収することができる「画素」の量に委ねることができる。消去機能は、書き込まれたデータを元の静止状態に戻すことができるか、または、ターゲットが元の静止状態に戻されることができない場合、ターゲットが、その後上書きされると読めなくなるように十分に変更されることであろう。この機能は、多くの用途があり、そのうちの１つが、第三者による問合せの際に、ユーザが販売の手形、購入注文、領収書、または、問題のアイテムの所有権を証明するために必要な他の文書を提供可能な、アイテムに書かれた一意の識別子を含めて購入されるプリラベルアイテムである。書き込み機能は、書かれた構造体の要素を意図的に重ねるか、または磁気インプリントおよび光インプリント間の関係無しで書き込むことができる。両方は、肉眼では見えないかもしれない。すべてのインプリントが一意の識別子を含み、光学的書き込みに関連付けられた当該一意の識別子は、磁気書き込みに割り当てられた別の固有の識別子に対して、データベースに保持されているか、またはリモートデータベースと共有されるので、書かれた磁気および光データの任意の新たな読み出し時のように、一度回収された一意の識別子は、以前に保存されたデータと一致している必要がある。これは、信頼性および信用とともに、購入され、または棚卸しされるアイテムを管理する非常にユニークで強力な方法として機能することができる。例えば、材料が静止状態に戻ることができず、もはや記録可能にならないように恒久的に消される場合、材料のダイナミクスに基づく新しい在庫（または中古在庫）を収容する箱のような表面について、複数の書込みおよび上書き機能のためにスペースが提供されることができる。
【０２３３】
本開示のカードシステムは、カードの片面上の情報が、すぐに表示されるか変換されて他の上に表示されることが可能となるように、２つのサイドおよびそれらのハードウェア設計を利用するためのカードのハードウェア開発を可能にする。ターゲットの単純な倍率（例えば、カードの一方の側のＣＣＤで撮影した画像が他の側に拡大して表示される）、有用な情報へのバーコードの変換、言語の翻訳、金銭的図形の変換、紙幣または硬貨、およびその値（変換または他の有用な情報を持つ）のような、お金の単位の同一性の識別、からの任意のアプリケーションが、カードの両サイドのハードウェアによって実現される。切手、コイン、希少性、宝石などの分野、および高付加価値分野でのその他の小さなオブジェクトでは、カードは、オブジェクトを識別し、条件および値のデータを即座に提供するか、または、あなたが将来の使用または評価のためにスキャンしたオブジェクトを格納する上で非常に貴重なツールとして機能することができるだろう。
【０２３４】
本開示のカードおよびシステムは、ユーザおよびメインのサービスプロバイダ間のサービス（ＴＯＳ）のアイテムごと、ならびにユーザとメインサービスプロバイダによって許可されたアプリケーション開発者との間の任意の契約のＴＯＳごとに、各アプリケーション開発者が、ユーザが設定するかまたはＴＯＳに基づいて設定することが許可されているフィルタおよび制限に基づくユーザデータへの異なるアクセス権を持つことを可能とする。さらに、アプリケーション開発者は、カードのディスプレイおよびカードの他の要素への制御されたアクセスを与えられ、メインサービスプロバイダのサーバに格納されたデータを与えられることができる。カードをサポートしている主なサービスは、典型的には、ユーザのデータへの、少なくとも制限されたアクセス、または非制限のアクセスを持つだろう。任意のエンティティとの情報またはデータを共有する、しかしながら、法律、ならびにアプリケーション開発者およびユーザの（ＴＯＳ）同意による利用規約に従わなければならない。ユーザデータは、カードおよびその内部の取引に限定されず、カードがアクセス可能な、ユーザが加入するすべてのサービスに拡張する。例えば、これは、ユーザによって設定された制限が、再び、最低でも、制限無しで、クレジットカード、航空会社、銀行、保険、証券会社およびそれ以外の口座を意味することができる。見て分かるとおり、ユーザは、彼らが共有するそのレベルの受信かを見ることができれば、彼らのそうでなければプライベートなデータを共有することに同意することを望むであろうことから、アプリケーションの開発者は、そうでなければプライベートなユーザデータへのアクセスの増加を得ることができる。
【０２３５】
本開示に従うユーザ装置およびシステムは、以下のようなものの取引の大規模な拡大を可能とする、すなわち、電子ロックの解除、電子ロックの施錠、機構の一部の開始、機構の一部のシャットダウン、機構の一部のステータスおよび診断、主題に関するビデオまたはスナップショット情報へのアクセス、人とのミーティングおよび後で見るための個別データの交換、ユーザの活動についてのソーシャルネットワークの更新、ユーザのソーシャルネットワーク活動の編集および削除。
【０２３６】
本開示は、それがカード所有者およびこの新しい産業を活用するアプリケーションの開発に適用されるように、ローカライズされた地域および国（並びに国際）の商業の側面に焦点を当てている、努力のその独自のフィールドとしてのソーシャルｅコマースをセグメント化するための必要性を認識する。本開示の目的のために、小さなチケットの購入に限定されないが、１日等の所与の時間の中で最も社会的な活動は、食品、エネルギー、燃料、輸送、および食料品などの小さなチケットアイテムの多くの調達を伴う。ユーザが、頻繁に必要となる有形および無形の商品およびサービスにアクセスするためのより良い方法を得ることを可能とすることは、ユーザがお金を節約し、彼らの時間をより効率的にし、消費習慣をより「グリーン」にするのに役立つだろう。
【０２３７】
本明細書に開示されたカードおよびシステムは、ソーシャルネット上に存在しているユーザにとって興味深いように見えるパターンが出現するように、情報が、開発を導くユーザのポジティブなフィードバックを持つ開発者によって開発されたアルゴリズムに従って共有される、ソーシャルネットワークのｅコマースのシェアの経験の作成および拡大を促進することができる。
【０２３８】
カードおよびシステムの実施形態は、ユーザの権利を保護し、ユーザの時間を維持するために、好んで、最終的なチェックアウトの時点でのユーザのすべてのクエリを抑制することができる。例は、キャッシュバック、寄付、およびユーザの車両への当該ユーザのアイテムをロードするために必要な助け（または他の助け）に対する、キャッシュバック無し、無寄付、および必要な助け無し、を含む。すべてのこれらのケースでは、好みの規定は、彼らが最終的なチェックアウト・ステーションに到着する前および到着したとき、会場がユーザにより良く役立つように、これらの要求を事前処理するために機能する。ユーザのための十分な現金を有するものとしても、そのようなマイナー要素は、前処理と、ユーザが現在チェックアウトに近づいているか、またはサービスを提供されるべき次の顧客であることを示すデータを渡すこととを通してカバーすることができる。このように、テラーは、十分な現金、フォーム、リベート証明書、提供、ユーザを支援するための誰か、ユーザを支援するために必要な任意の装備を持つように、事前に警告される。いくつか例を挙げると、買い物の経験および会場のサービス努力をより効率的にし、また、このように、会場の従業員およびユーザのためにより楽しくする、などのすべてのサービングである。さらに、自動化は、前処理またはＰＯＳにおいて迅速に自動化されたリアルタイム処理が、クーポンの自動償還、または、自動アプリケーションおよび取引時間中の、該当する（購入可能な）クーポンの自動購入、リベートの自動処理、雨のチェックの要求、延長保証、最大割引、特典、マイレージサービスのマイルまたはその他の利益を得るための、アイテムごとの支払い方法の自動選択を含むことを可能とする。これはまた、会場での他のすべての常連客に利益をもたらし、ライン移動およびチェックアウト処理を、完全に効率的に保つことにより、会場のためのコストを削減する。誰もが、すなわち取引におけるすべての関係者が利益を得る。
【０２３９】
開示された概念は、カードに限定されるものではないことが理解されるべきであり、カードの表面の開示されたデザインは、タブレット、ラップトップおよびデスクトップコンピュータの表面、ならびに他の任意のコンピュータベースのシステムに移行することができ、当該システムは、車、工場および軍事アプリケーションのための制御システム、ならびにその他の適用可能性があるものを含むことができる。カードのデザインによって暗示されている両面ディスプレイの新規性は、人々がコンピュータと対話する方法を変更し、出力および入力デバイスの両方として今使用されるディスプレイの両側からの相互作用を誘う。このデザインは、ユーザが、仮想オブジェクト、ツール、または他の仮想制御を選択して使用するために画面をタッチする必要がないタッチスクリーンをエミュレートすることができるが、それが画面に接近するオブジェクトの検出の異なる方法が組み込まれているようなタッチスクリーン技術と混同すべきではない。
【０２４０】
カードが水などの液体に落ちた場合に浮くように、本開示に従ったカードの実施形態は、正味の和が正の浮力になるように作られることができる。ユーザが、接続している機器または取引の躊躇またはリスク無しにそれを使用することをまだ確実に可能にしながら、カードは、防水構造を提供する際に、困難な状況において確実性を取ることができる。ユーザは、例えば、雨の中で自分のコンピュータまたは携帯電話を取ることを控えることになるだろうが、防水カードの実施形態は、この慣習を断つ。
【０２４１】
カード１００およびシステム１は、その無数の機能ならびにデジタルネットワークおよびそのネットワークのユーザからのサポートはさておき、楽しむために与えられたユニークなカードの所有者の人口統計データを提供するプラットフォームを提供する。カード１００およびその支援プラットフォームは、アプリケーション開発者がソフトウェアを介してより多くのアプリケーションを開発するためのカードのハードウェア機能、およびカードが簡単かつ容易にアクセス可能なネットワーク・ベースの機能にカードを集中するための豊富な機会を表すことができる。自動化された編集またはセキュアな処理を介して特定のユーザのセキュリティまたはアイデンティティに影響を与えること無く共有することが可能なパターンのユーザ出品物は、すべてのユーザに利益をもたらすことができ、プライマー（スキーム）、およびユーザが楽しむための自動化度の高いユーザに提供するアプリケーションに組み込むことができるが、すべてのユーザからのデータは、完全にセキュアとして維持することができる。サービス、ネットワークおよびカードのハードウェアを介して提供される自動化の高度は、ユーザの受け入れ、使用頻度、およびカードの楽しさに関連するであろう要因のキーセットであると考えられることは、常に覚えていなければならない。
【０２４２】
本開示のカードとシステムは、他のハードウェアとソフトウェアの機能が、ハードウェアおよびソフトウェアがホストすることができる最大限まで、さらなる機能および統合のためのプラットフォームの機会をユーザが提供する前に、その機能および共通の存在とともに、本明細書において提供される便利なフォームファクタに移行することを可能にする。例の範囲は、ＰＣおよびデータベースのリモートコントロールから、自宅またはオフィス内の機器を介した無線制御機器、位置決めおよびマッピングでのコンパスのエミュレーション、近接関連の検索機能、危険警告能力等まで、である。
【０２４３】
カードがこれらの従来の組込みシステムにおける市場および力の変化にその方法を作るように、本開示のカードおよびシステムは、ＰＯＳシステムなどのシステムのさらなる変化を生じさせる。例えば、ＰＯＳは、ユーザが購入したときに追跡、または返品を必要とする任意のオブジェクトを残すことができる。カードはその後、返品が保証されたときにユーザに警告し、いつどのように、ほとんどの時間および燃料費を節約するために会場に移動するかなどのガイダンスを提供することができる。
【０２４４】
本明細書に開示されたカード１００およびシステム１は、例えば、メモリの記憶容量または処理能力を増大させるために、消費電力を低減するために、カードの進化のための特定の期待値を得るために、カードの構成要素を小型化する新技術であって、所与のＣＣＤの画素密度および／またはＬＥＤの画素密度などの、密度を高めるのに役立つ新技術の組み込みを可能にする。そのような重要な進化の要因では、カードは、ユーザが、もはや、より良い写真、より良いビデオ、または高精細メディアプレーヤーおよびデバイスへのサービスを求めていないことから、基準をはるかに超えている画素密度をホストすることができる。むしろ、画素の高密度は、より良い暗号化方式、およびすべての画素がデータ転送に関与する必要が無く、すべてではないが多くは、よりセキュリティを強化するためにトロイの木馬信号を送ることができるであろうような、よりセキュアなデータ転送を可能にする。ただ１つの整列された画素が、非常に短い時間（１秒未満）でほとんどのデータを転送するために必要とされる。カード対カードの通信、または、カード対、カードと同様の表面を搭載したデバイスの通信は、これらの磁気画素、発光画素および集光画素、さらに聴覚画素のより高密度の使用が、これらのデバイス間のハンドシェイク、暗号化およびデータ転送の複雑さを増加させることを可能とする。
【０２４５】
本明細書の例示的な実施形態は、各カード１００が近接され、または、カードと本明細書に開示された機能が装備されている別のデバイスとが近接されたとき、光インタフェース、ＬＥＤからＣＣＤおよびその逆等の画素対画素を提供する。このインタフェースは、カード対カード、またはカードおよびＰＯＳ間、またはＩＤカードリーダー等の他の容器、またはセキュアな施設への個人のアクセスの制限、または、フットボールの試合などのイベントへのエントリ制御のために、高度なセキュリティを提供する。
【０２４６】
また、カードの生体側面を活用しながら、カード対カードのデータ転送、またはカードからシステムまたはネットワークへ（そしてシステムまたはネットワークからカードへ）のデータ転送は、カードの光学的および磁気的通信の側面を利用することができる。
いわば、カードが、使用の各段階で生体認証を用いる携帯型メモリスティックになり、データ転送のはるかにセキュアな方法は、従来のメモリスティックには見られない。カード１００は、親指および指先間だけでなく、人差し指の間に保持することができるので、カードの主表面の全てからスキャンが行われることができ、我々は、複数のオブジェクトから、例えば、３本の指から、および生体改ざんまたはエミュレーションの点で改ざんすることが非常に困難なビューであるやや斜めの指のビューから、生体データを得ることができる。同様の方法でカード１００をユーザが保持することを必要とする、しかし網膜スキャンを得るために彼らの目を２つだけまで要求する、したがって３本の指および目の特徴を組み込む、そして、さらに行くと、必要に応じて、必要なときに、生体ロギングの超高レベルを表すユーザの目の両方のスキャンを要求する網膜スキャンを追加することができる。これは、我々が、ユーザが利用するサイレント通信方式を組み込むことが可能となるために、ユーザの恐喝への詐欺的な試みを減少させる可能性がある、生体改ざんの最も難解な方法さえ阻止することができる。
【０２４７】
カードの実施形態は、カードが確実に水に浮くように、正味の正の浮力を包含するのに必要なすべての材料を組み込むことができる。これは、分散型の浮き袋のように作用して、その質量または重量を相殺するために、カードのデザインの中に閉じ込められている、十分なガスを確保することによって行うことができる。実施形態では、カードは、金属コネクタ表面の劣化がなく、水分または汚れのための任意の侵入機会を可能にすることなく、水密機能および動作を保証するように、その表面のどこにも物理ポートを有していない。本明細書中に開示されるように、実施形態は、光学または磁気を用いてアクセスされ、かつ磁性層が磁気取り付けテザーのアンカーとして使用するために利用されるポートを含むことができる。
【０２４８】
電力供給については、開示されたカードの実施形態は、いくつかのソースのいずれかを使用することができる。例えば、公知のＲＦＩＤの電力供給の仕組みはさておき、可動インダクタが、カード内部に設けられた固定インダクタに電力を渡すというインテルによって開拓された公知の方法がある。もちろん、カードはまた、提案フォームファクタまたはより大きなフォームファクタにまだ収まるであろう、薄膜の充電式リチウムイオン電池等、バッテリー「層」としての独自のバッテリーを備えることができる。カードは、それが湖に浮かんでいるように、下方等、その周囲が液体であることが起きたことを検出可能である場合、可能な範囲で内部電源を維持しながら、電子であるファインダー信号、および可視光信号を放出することができる。放出される光周波数は、人間が見ることがより可能である光周波数を選択し、周囲光の内部の分析によって決定することができる。カードはまた、夜になるまで待ち、黄色のスペクトルのように、人間に見られる可能性が最も高い周波数を使用することができる。容易にカードを回復することができるように、カードは、近接ビーコンまたは光を用いて、検索チームまたは個々の検索において描くことができる。近接の無線電子信号は弱くてもよく、その範囲に限定されてもよいが、発光は、検索者が、人間の目には見えないときでもカードを「見る」ための周波数にデバイスを調整することができるようにバンドが制限されるように、制御される。
【０２４９】
カード１００は、電力配分、バッテリー、無線電力の誘導に特異的な磁気、ＲＦＩＤ、ネットワークアダプタ、無線ＬＡＮ、ブルートゥース（登録商標）、一つ以上のプロセッサ、メモリ、極端な角度のＬＥＤおよびＣＣＤ画素、触覚またはランブル要素、および他の磁気の組み込みを包含することができる。カード機能を妨害しない追加の磁気は、非常に高いレベルの、暗号化および超安全なデータ転送の準備において、カードを積層するための固定手段としての使用が意図される。ＶＶＬＳＩおよびフレキシブル（回路への害無しで撓むことを意味する）電子表面製造の分野では、これらの新型は、フォームファクタ内に収まるようになり、様々な改良が、世界中で使用されるＶＶＬＳＩの生産技術に組み込まれるように改善されるだろう。ここで、本発明者はまた、むしろ単なるプロセッサよりも、ネットワークのための中継器、メッシュネットワークおよびデバイスハウジングサーバとしての可能性を予想している。メッシュネットワークは、所与の会場においてネットワーク接続の信頼できるソースに到達するように、中継器として動作する、１つのカードから次のカードへユーザのデータの地域グループを渡して、各カード１００またはカードをサポートするために存在する任意のドックの可能性をもたらす。このような方法により、それを分離し、一人のユーザだけに、彼／彼女の自身のデータを参照することを可能にするように、すべてのデータが継続的に暗号化の下で維持されているが、無線ネットワークの範囲を拡張する能力は、メッシュネットワークアーキテクチャおよび配布戦略のこの組み込みを通して増強される。
【０２５０】
実施形態では、カード１００、サーバ２００および値解析部２３２が、ソーシャルコマースおよびｅコマースの側面を有効にするように一緒に作用する。ソーシャルコマースは、会場ベース（レンガとモルタル）のコマースをより効率的かつ低コストで行うためのユーザ間の情報の共有および使用を含む。ソーシャルｅコマースは、ユーザがネットワークを介して独占的に実施される仮想取引または取引に該当するソーシャルコマースと同じである。例では、プロおよびセミプロの商取引の専門家が、開発し、発見し、クーポン、割引、グルーポン、および報酬の他の形態にユーザを接続し、カード１００のユーザと共有することで生計を立てることができ、これらの同じ個人が、所与のユーザの位置に基づいて、最も効率的な可能性のある動作を持つ、クーポン等に関連するアイテムを得るための方法をさらに開発することができる。これは、ローカルの会場へのマップだけでなく、ローカル会場自体の中におけるマップを提供することを含むことができる。そのように、サーバ２００および値解析部２３２は、ユーザが、彼らが興味を持っているすべてのクーポン等を事前にスキャンすることができるようなインテリジェントなアルゴリズムをさらに開発することができるため、サーバは、ユーザのショッピング計画を作成することができる。ユーザはまた、実際のアイテムをスキャンするか、またはインターネットなどのネットワークからスキャンするためのバーコードを得ることができる。これらは、カード１００によって、標準的なディスプレイからスキャンすることができる。ユーザは、その後、１回の旅行で可能な限り低いコストでローカルにアイテムを入手する方法をカード１００によって指示され、または、いくつかの旅行がコストを低くする場合、その情報がユーザに提供されることができる。これは、１つのポイントから別の場所へ、および会場自体の中でのマッピング命令を含むことができる。ユーザがクーポン等においてスキャンしたとき、これはユーザの関心のあるアイテムである、とサーバ２００および値解析部２３２に伝えることができる。システム１は、その後、すべてのクーポンを含む最良の取引、および取引の支払いのための最良の方法を検索し続けることができる。会場は、販売の実際のポイントの後、ユーザがクーポンなどを償還することを可能にするポリシーを何度も有する。会場はまた、一定の期間の価格保護、販売のポストポイントを提供するポリシーを有してもよい。会場は、より良い時間またはより長い期間のためにカード１００のユーザにこれらの保護を提供するために、システム１およびカード１００の所有者と契約することができる。そのように、ユーザがクーポンにおいて（クーポンのために）スキャンしたかまたは会場でスキャンし、彼らのカートに入っている各アイテムごとに、上記の方針の条項に従って、サーバ２００と値解析部２３２は、より多くのクーポン等、ならびにポリシーおよび契約の制限に対する支払い方法を追求するだろう。そこでは、ユーザがクーポンなどを探すことを忘れ、サーバ２００と値解析部２３２が、会場のポリシーおよび契約によって許可された期間、これらのクーポン等を求め続けた場合、これらのクーポンなどは、自動的に償還されることができ、クレジット、販売のポストポイントとして適用されるかもしれない。実際の販売が発生した場合、すべてのアイテムは販売トリガサーバ２００と値解析部２３２に関係し、クーポン等、ならびに所与の会場のポリシーおよび契約の制限まで販売に適用されるポスト取引であることができる支払手段のための検索が開始される。販売ポイントおよび会場の販売システムのポイントにおける償還クーポン等が、一つのデータのアップロード等において当該クーポンを受け入れることができない場合、カードは、販売システムのポイントによって、スキャン用のバーまたはＱｒコードを介して、各クーポンなどを提示することができる。興味深いことに、会場が、販売の実際の瞬間にクーポン等を受け入れることができないが、クーポン等および他の支払い手段をバッチ処理または１つずつの処理において適用するポスト取引クレジットを許可する場合、これは、完全に自動化され、人間による操作を必要としないので、それは、すべての販売のポストポイントで行うことができる。アイデアは、ショッピングの経験を会場の他のクライアント（ここで問題のユーザの後ろのラインで待っている者）のためのより良いものにしながら、カード１００のユーザの利益を最大化し、かつ会場のための会場の作業の手間を最小限に抑えるようにショッピングを合理化することである。これらのようなソーシャルコマースおよびｅコマースの方法は、カード１００のユーザおよびカード１００を持っていない他の客、ならびに問題の会場に適用され、プロセスにおいて誰もが利益を得て、誰もが何も失っていないので、ウイルスサポートを見つけるだろう。
【図１】
0006030768.tif 000002
【図２】
0006030768.tif 000003
【図３Ａ】
0006030768.tif 000004
【図３Ｂ】
0006030768.tif 000005
【図３Ｃ】
0006030768.tif 000006
【図４Ａ】
0006030768.tif 000007
【図４Ｂ】
0006030768.tif 000008
【図４Ｃ】
0006030768.tif 000009
【図４Ｄ】
0006030768.tif 000010
【図５】
0006030768.tif 000011
【図６】
0006030768.tif 000012
【図７Ａ】
0006030768.tif 000013
【図７Ｂ】
0006030768.tif 000014
【図８Ａ】
0006030768.tif 000015
【図８Ｂ】
0006030768.tif 000016
【図９Ａ】
0006030768.tif 000017
【図９Ｂ】
0006030768.tif 000018
【図９Ｃ】
0006030768.tif 000019
【図１０Ａ】
0006030768.tif 000020
【図１０Ｂ】
0006030768.tif 000021
【図１１Ａ】
0006030768.tif 000022
【図１１Ｂ】
0006030768.tif 000023
【図１１Ｃ】
0006030768.tif 000024
【図１２】
0006030768.tif 000025
【図１３】
0006030768.tif 000026
【図１４Ａ】
0006030768.tif 000027
【図１４Ｂ】
0006030768.tif 000028
【図１４Ｃ】
0006030768.tif 000029
【図１５Ａ】
0006030768.tif 000030
【図１５Ｂ】
0006030768.tif 000031
【図１５Ｃ】
0006030768.tif 000032
【図１５Ｄ】
0006030768.tif 000033
【図１５Ｅ】
0006030768.tif 000034
【図１６Ａ】
0006030768.tif 000035
【図１６Ｂ】
0006030768.tif 000036
【図１６Ｃ】
0006030768.tif 000037
【図１７Ａ】
0006030768.tif 000038
【図１７Ｂ】
0006030768.tif 000039
【図１７Ｃ】
0006030768.tif 000040
【図１８】
0006030768.tif 000041